(57)【要約】      （修正有）【課題】無線リソースの逼迫やシステム負荷の増加を防止できる交換機、無線ネットワーク制御装置、無線ネットワーク装置及び無線通信ネットワークシステムを提供する。【解決手段】無線ネットワーク制御装置（ＲＮＣ）７は、既存在無線セルのみに対する第１呼出要求を交換機から受信する第１呼出要求受信部７ｂと、対象通信端末装置が存在していると推定される推定存在無線セルを導出する推定存在無線セル導出部７ｃと、既存在無線セル及び推定存在無線セルに対して呼び出しを実行する第１呼出実行部７ｄと、呼び出しに対する応答信号を交換機に送信する呼出応答信号送信部７ｅと、第１呼出要求に対する応答信号を送信しない場合に、既存在無線セルとは異なる無線セルに対する第２呼出要求を交換機から受信する第２呼出要求受信部７ｆと、当該異なる無線セルに対して呼び出しを実行する第２呼出実行部７ｇとを有している。【選択図】図４
2015039163.tif 000002
【特許請求の範囲】
【請求項１】
通信要求対象である対象通信端末装置が現時点から過去所定期間内に存在した無線セルである既存在無線セルのみに対する呼び出し要求であって前記対象通信端末装置の端末識別情報を含む第１呼出要求を、前記既存在無線セルを含む複数の無線セルで形成された位置登録エリアを管理する管理ノードに送信する第１呼出要求送信部と、
前記第１呼出要求に対する応答信号を前記管理ノードから受信する呼出応答信号受信部と、
前記第１呼出要求送信部が前記第１呼出要求を送信してから、前記呼出応答信号受信部が前記応答信号を所定期間受信しない場合に、前記複数の無線セルのうちの少なくとも前記既存在無線セルとは異なる無線セルに対する呼び出し要求であって前記端末識別情報を含む第２呼出要求を、前記管理ノードに送信する第２呼出要求送信部と
を有することを特徴とする交換機。
【請求項２】
前記既存在無線セルに基づいて、前記対象通信端末装置が存在していると推定される推定存在無線セルを導出する推定存在無線セル導出部をさらに有すること
を特徴とする請求項１記載の交換機。
【請求項３】
前記位置登録エリアを形成する前記複数の無線セル同士の相対位置関係を記憶する無線セル相対位置関係記憶部をさらに有し、
前記推定存在無線セル導出部は、前記無線セル相対位置関係記憶部に記憶された前記相対位置関係に基づいて、前記既存在無線セルと隣り合う無線セル、前記既存在無線セルから所定距離内の無線セル及び前記既存在無線セルとオーバレイしている無線セルの少なくともいずれかの無線セルを前記推定存在無線セルとして導出すること
を特徴とする請求項２記載の交換機。
【請求項４】
複数の無線セルで形成された位置登録エリアを管理する管理ノードの接続時に該管理ノードから少なくとも送信され、前記複数の無線セルのオーバレイに関する情報であるオーバレイ情報を受信するオーバレイ情報受信部と、
前記オーバレイ情報を記憶するオーバレイ情報記憶部と、
通信要求対象である対象通信端末装置が現時点から過去所定期間内に存在した無線セルである既存在無線セルと、該既存在無線セルとオーバレイし前記対象通信端末装置が存在していると推定される無線セルであって前記オーバレイ情報記憶部から導出された推定存在無線セルとの少なくともいずれか一方のみに対する呼び出し要求であって前記対象通信端末装置の端末識別情報を含む第１呼出要求を、前記既存在無線セルを含む前記管理ノードに送信する第１呼出要求送信部と、
前記第１呼出要求に対する応答信号を前記管理ノードから受信する呼出応答信号受信部と、
前記第１呼出要求送信部が前記第１呼出要求を送信してから、前記呼出応答信号受信部が前記応答信号を所定期間受信しない場合に、前記複数の無線セルのうちの少なくとも前記既存在無線セル及び前記推定存在無線セルとは異なる無線セルに対する呼び出し要求であって前記端末識別情報を含む第２呼出要求を、前記管理ノードに送信する第２呼出要求送信部と
を有することを特徴とする交換機。
【請求項５】
通信要求対象である対象通信端末装置が現時点から過去所定期間内に存在した無線セルである既存在無線セルのみに対する呼び出し要求であって前記対象通信端末装置の端末識別情報を含む第１呼出要求を、上位ノードから受信する第１呼出要求受信部と、
前記第１呼出要求受信部が受信した前記第１呼出要求の対象である前記既存在無線セルに基づいて、前記対象通信端末装置が存在していると推定される推定存在無線セルを導出する推定存在無線セル導出部と、
前記既存在無線セル及び前記推定存在無線セルに対して呼び出しを実行する第１呼出実行部と、
前記呼び出しに対する応答信号を前記上位ノードに送信する呼出応答信号送信部と、
前記第１呼出要求受信部が前記第１呼出要求を受信してから、前記呼出応答信号送信部が前記応答信号を所定期間送信しない場合に、前記既存在無線セルを含む複数の無線セルで形成された位置登録エリアを形成する該複数の無線セルのうちの少なくとも前記既存在無線セルとは異なる無線セルに対する呼び出し要求であって前記端末識別情報を含む第２呼出要求を、前記上位ノードから受信する第２呼出要求受信部と、
前記第２呼出要求受信部が受信した前記第２呼出要求に基づいて、前記異なる無線セルに対して呼び出しを実行する第２呼出実行部と
を有することを特徴とする無線ネットワーク制御装置。
【請求項６】
前記位置登録エリアを形成する前記複数の無線セル同士の相対位置関係を記憶する無線セル相対位置関係記憶部をさらに有し、
前記推定存在無線セル導出部は、前記無線セル相対位置関係記憶部に記憶された前記相対位置関係に基づいて、前記既存在無線セルと隣り合う無線セル、前記既存在無線セルから所定距離内の無線セル及び前記既存在無線セルとオーバレイしている無線セルの少なくともいずれかの無線セルを前記推定存在無線セルとして導出すること
を特徴とする請求項５記載の無線ネットワーク制御装置。
【請求項７】
上位ノードへの少なくとも接続時に、自機が収容する無線セルのオーバレイに関する情報であるオーバレイ情報を該上位ノードに送信するオーバレイ情報送信部と、
通信要求対象である対象通信端末装置が現時点から過去所定期間内に存在した無線セルである既存在無線セルと、該既存在無線セルとオーバレイし前記対象通信端末装置が存在していると推定される推定存在無線セルとの少なくともいずれか一方のみに対する呼び出し要求であって前記対象通信端末装置の端末識別情報を含む第１呼出要求を、前記上位ノードから受信する第１呼出要求受信部と、
前記第１呼出要求受信部で受信した前記第１呼出要求に含まれた前記既存在無線セル及び前記推定存在無線セルに対して呼び出しを実行する第１呼出実行部と、
前記呼び出しに対する応答信号を前記上位ノードに送信する呼出応答信号送信部と、
前記第１呼出要求受信部が前記第１呼出要求を受信してから、前記呼出応答信号送信部が前記応答信号を所定期間送信しない場合に、前記既存在無線セルを含む複数の無線セルで形成された位置登録エリアを形成する複数の無線セルのうちの少なくとも前記既存在無線セル及び前記推定存在無線セルとは異なる無線セルに対する呼び出し要求であって前記端末識別情報を含む第２呼出要求を、前記上位ノードから受信する第２呼出要求受信部と、
前記第２呼出要求受信部が受信した前記第２呼出要求に基づいて、前記異なる無線セルに対して呼び出しを実行する第２呼出実行部と
を有することを特徴とする無線ネットワーク装置。
【請求項８】
無線ネットワーク制御装置と、前記無線ネットワーク制御装置を介して通信端末装置と通信する交換機とを備えた無線通信ネットワークシステムであって、
前記交換機は、
通信要求対象である対象通信端末装置が現時点から過去所定期間内に存在した無線セルである既存在無線セルのみに対する呼び出し要求であって前記対象通信端末装置の端末識別情報を含む第１呼出要求を、前記既存在無線セルを含む複数の無線セルで形成された位置登録エリアを管理する前記無線ネットワーク制御装置に送信する第１呼出要求送信部と、
前記第１呼出要求に対する応答信号を前記無線ネットワーク制御装置から受信する呼出応答信号受信部と、
前記第１呼出要求送信部が前記第１呼出要求を送信してから、前記第１呼出応答信号受信部が前記応答信号を所定期間受信しない場合に、前記複数の無線セルのうちの少なくとも前記既存在無線セルとは異なる無線セルに対する呼び出し要求であって前記端末識別情報を含む第２呼出要求を、前記無線ネットワーク制御装置に送信する第２呼出要求送信部と
を備え、
前記無線ネットワーク制御装置は、
前記第１呼出要求を前記交換機から受信する第１呼出要求受信部と、
前記第１呼出要求受信部が受信した前記第１呼出要求の対象である前記既存在無線セルに基づいて、前記対象通信端末装置が存在していると推定される推定存在無線セルを導出する推定存在無線セル導出部と、
前記既存在無線セル及び前記推定存在無線セルに対して呼び出しを実行する第１呼出実行部と、
前記呼び出しに対する応答信号を前記交換機に送信する呼出応答信号送信部と、
前記第１呼出要求受信部が前記第１呼出要求を受信してから、前記呼出応答信号送信部が前記応答信号を所定期間送信しない場合に、前記第２呼出要求を前記交換機から受信する第２呼出要求受信部と、
前記第２呼出要求受信部が受信した前記第２呼出要求に基づいて、前記異なる無線セルに対して呼び出しを実行する第２呼出実行部と
を備えていること
を特徴とする無線通信ネットワークシステム。
【請求項９】
無線ネットワーク制御装置と、前記無線ネットワーク制御装置を介して通信端末装置と通信する交換機とを備えた無線通信ネットワークシステムであって、
前記交換機は、
通信要求対象である対象通信端末装置が現時点から過去所定期間内に存在した無線セルである既存在無線セルに基づいて、前記対象通信端末装置が存在していると推定される推定存在無線セルを導出する推定存在無線セル導出部と、
前記既存在無線セル及び前記推定存在無線セル導出部が導出した推定存在無線セルのみに対する呼び出し要求であって前記対象通信端末装置の端末識別情報を含む第１呼出要求を、前記既存在無線セルを含む複数の無線セルで形成された位置登録エリアを管理する前記無線ネットワーク制御装置に送信する第１呼出要求送信部と、
前記第１呼出要求に対する応答信号を前記無線ネットワーク制御装置から受信する呼出応答信号受信部と、
前記第１呼出要求送信部が前記第１呼出要求を送信してから、前記呼出応答信号受信部が前記応答信号を所定期間受信しない場合に、前記複数の無線セルのうちの少なくとも前記既存在無線セルとは異なる無線セルに対する呼び出し要求であって前記端末識別情報を含む第２呼出要求を、前記管理ノードに送信する第２呼出要求送信部と
を備え、
前記無線ネットワーク制御装置は、
前記第１呼出要求を前記交換機から受信する第１呼出要求受信部と、
前記第１呼出要求受信部が受信した前記第１呼出要求に含まれた前記既存在無線セル及び前記推定存在無線セルに対して呼び出しを実行する第１呼出実行部と、
前記呼び出しに対する応答信号を前記交換機に送信する呼出応答信号送信部と、
前記第１呼出要求受信部が前記第１呼出要求を受信してから、前記呼出応答信号送信部が前記応答信号を所定期間送信しない場合に、前記第２呼出要求を前記交換機から受信する第２呼出要求受信部と、
前記第２呼出要求受信部が受信した前記第２呼出要求に基づいて、前記異なる無線セルに対して呼び出しを実行する第２呼出実行部と
を備えていること
を特徴とする無線通信ネットワークシステム。
【請求項１０】
無線ネットワーク装置と、前記無線ネットワーク装置を介して通信端末装置と通信する交換機とを備えた無線通信ネットワークシステムであって、
前記交換機は、
複数の無線セルで形成された位置登録エリアを管理する無線ネットワーク装置の接続時に該無線ネットワーク装置から少なくとも送信され、前記複数の無線セルのオーバレイに関する情報であるオーバレイ情報を受信するオーバレイ情報受信部と、
前記オーバレイ情報を記憶するオーバレイ情報記憶部と、
通信要求対象である対象通信端末装置が現時点から過去所定期間内に存在した無線セルである既存在無線セルと、該既存在無線セルとオーバレイし前記対象通信端末装置が存在していると推定される無線セルであって前記オーバレイ情報記憶部から導出された推定存在無線セルとの少なくともいずれか一方のみに対する呼び出し要求であって前記対象通信端末装置の端末識別情報を含む第１呼出要求を、前記既存在無線セルを含む前記無線ネットワーク装置に送信する第１呼出要求送信部と、
前記第１呼出要求に対する応答信号を前記無線ネットワーク装置から受信する呼出応答信号受信部と、
前記第１呼出要求送信部が前記第１呼出要求を送信してから、前記呼出応答信号受信部が前記応答信号を所定期間受信しない場合に、前記複数の無線セルのうちの少なくとも前記既存在無線セルとは異なる無線セルに対する呼び出し要求であって前記端末識別情報を含む第２呼出要求を、前記無線ネットワーク装置に送信する第２呼出要求送信部と
を備え、
前記無線ネットワーク装置は、
前記交換機への少なくとも接続時に、自機が収容する無線セルの前記オーバレイ情報を該交換機に送信するオーバレイ情報送信部と、
前記第１呼出要求を前記交換機から受信する第１呼出要求受信部と、
前記第１呼出要求受信部で受信した前記第１呼出要求に含まれた前記既存在無線セル及び前記推定存在無線セルに対して呼び出しを実行する第１呼出実行部と、
前記呼び出しに対する応答信号を前記交換機に送信する呼出応答信号送信部と、
前記第１呼出要求受信部が前記第１呼出要求を受信してから、前記呼出応答信号送信部が前記応答信号を所定期間送信しない場合に、前記第２呼出要求を、前記交換機から受信する第２呼出要求受信部と、
前記第２呼出要求受信部が受信した前記第２呼出要求に基づいて、前記異なる無線セルに対して呼び出しを実行する第２呼出実行部と
を備えていること
を特徴とする無線通信ネットワークシステム。
【発明の詳細な説明】
【技術分野】
【０００１】
本発明は、交換機、無線ネットワーク制御装置、無線ネットワーク装置及び無線通信ネットワークシステムに関する。
【背景技術】
【０００２】
無線通信端末装置へ着信を行う場合、無線通信ネットワークは、着信対象の無線通信端末装置が存在する位置登録エリアに着信対象の無線通信端末装置の端末識別情報を含むページング信号を送信する。ページング信号に含まれた当該端末識別情報の無線通信端末装置は、当該ページング信号を受信すると着信応答信号を無線通信ネットワークに送信する。当該着信応答信号を受信した無線通信ネットワークは着信応答信号を送信した無線通信端末装置に対して着信処理を行う。
【先行技術文献】
【特許文献】
【０００３】
【特許文献１】特開平１１−６９４５８号公報
【発明の概要】
【発明が解決しようとする課題】
【０００４】
位置登録エリア内には複数の無線セルがあり、ページング信号は当該位置登録エリア内の全ての無線セルに送信される。このため、ページング信号は、無線通信端末装置が待ち受けを行っていない無線セルにも送信されることになりページング量が増加してしまう。これにより、従来の無線通信ネットワークは、ページングによる無線リソースの逼迫やシステム負荷増加の要因になるという問題を有している。
【０００５】
また、従来の無線通信ネットワークでは、ページング量を抑制するために、位置登録エリアを狭くする運用も行われている。その場合、位置登録エリア内に存在する無線セルの合計数が相対的に少なくなるため、無線セルに送信されるページング量も相対的に減少する。しかしながら、位置登録エリアが狭くなることにより、無線通信端末装置の移動による位置登録処理が増加してしまう。この位置登録処理はシステム負荷増加の要因となる。このため、従来の無線通信ネットワークは、位置登録エリアを狭くしても、システム負荷を抑制することができないという問題を有している。
【０００６】
また、特許文献１には、ページング着呼時、交換機の端末グループ制御部９においてページンググループ端末６、７のリソース情報を読み出し、通信中であればページンググループ端末情報から削除することで、プロトコル制御部１３が位置登録情報から信号送出する呼び出しエリアを割り出す端末数を減らし、最小限の呼び出しエリアにのみページング着呼の着呼信号を送出することが記載されている。しかしながら、特許文献１に記載された発明は、ページンググループ端末６、７のリソース情報を読み出す必要があり、当該リソース情報を読み出すために負荷がかかってしまうという問題を有している。
本発明の目的は、無線リソースの逼迫やシステム負荷の増加を防止できる交換機、無線ネットワーク制御装置、無線ネットワーク装置及び無線通信ネットワークシステムを提供することにある。
【課題を解決するための手段】
【０００７】
上記目的を達成するために、本発明の一態様による交換機は、通信要求対象である対象通信端末装置が現時点から過去所定期間内に存在した無線セルである既存在無線セルのみに対する呼び出し要求であって前記対象通信端末装置の端末識別情報を含む第１呼出要求を、前記既存在無線セルを含む複数の無線セルで形成された位置登録エリアを管理する管理ノードに送信する第１呼出要求送信部と、前記第１呼出要求に対する応答信号を前記管理ノードから受信する呼出応答信号受信部と、前記第１呼出要求送信部が前記第１呼出要求を送信してから、前記呼出応答信号受信部が前記応答信号を所定期間受信しない場合に、前記複数の無線セルのうちの少なくとも前記既存在無線セルとは異なる無線セルに対する呼び出し要求であって前記端末識別情報を含む第２呼出要求を、前記管理ノードに送信する第２呼出要求送信部とを有することを特徴とする。
このような構成によれば、無線リソースの逼迫やシステム負荷の増加を防止できる。
【０００８】
上記一態様による交換機は、前記既存在無線セルに基づいて、前記対象通信端末装置が存在していると推定される推定存在無線セルを導出する推定存在無線セル導出部をさらに有していてもよい。
このような構成によれば、通信端末装置が移動していると予想される無線セルに対して呼出要求を実行できる。
【０００９】
上記一態様による交換機は、前記位置登録エリアを形成する前記複数の無線セル同士の相対位置関係を記憶する無線セル相対位置関係記憶部をさらに有していてもよく、前記推定存在無線セル導出部は、前記無線セル相対位置関係記憶部に記憶された前記相対位置関係に基づいて、前記既存在無線セルと隣り合う無線セル、前記既存在無線セルから所定距離内の無線セル及び前記既存在無線セルとオーバレイしている無線セルの少なくともいずれかの無線セルを前記推定存在無線セルとして導出してもよい。
このような構成によれば、通信端末装置が移動していると予想される無線セルに対して呼出要求を実行できる。
【００１０】
上記目的を達成するために、本発明の他の態様による交換機は、複数の無線セルで形成された位置登録エリアを管理する管理ノードの接続時に該管理ノードから少なくとも送信され、前記複数の無線セルのオーバレイに関する情報であるオーバレイ情報を受信するオーバレイ情報受信部と、前記オーバレイ情報を記憶するオーバレイ情報記憶部と、通信要求対象である対象通信端末装置が現時点から過去所定期間内に存在した無線セルである既存在無線セルと、該既存在無線セルとオーバレイし前記対象通信端末装置が存在していると推定される無線セルであって前記オーバレイ情報記憶部から導出された推定存在無線セルとの少なくともいずれか一方のみに対する呼び出し要求であって前記対象通信端末装置の端末識別情報を含む第１呼出要求を、前記既存在無線セルを含む前記管理ノードに送信する第１呼出要求送信部と、前記第１呼出要求に対する応答信号を前記管理ノードから受信する呼出応答信号受信部と、前記第１呼出要求送信部が前記第１呼出要求を送信してから、前記呼出応答信号受信部が前記応答信号を所定期間受信しない場合に、前記複数の無線セルのうちの少なくとも前記既存在無線セル及び前記推定存在無線セルとは異なる無線セルに対する呼び出し要求であって前記端末識別情報を含む第２呼出要求を、前記管理ノードに送信する第２呼出要求送信部とを有することを特徴とする。
このような構成によれば、無線リソースの逼迫やシステム負荷の増加を防止できる。
【００１１】
また、上記目的を達成するために、本発明の一態様による無線ネットワーク制御装置は、通信要求対象である対象通信端末装置が現時点から過去所定期間内に存在した無線セルである既存在無線セルのみに対する呼び出し要求であって前記対象通信端末装置の端末識別情報を含む第１呼出要求を、上位ノードから受信する第１呼出要求受信部と、前記第１呼出要求受信部が受信した前記第１呼出要求の対象である前記既存在無線セルに基づいて、前記対象通信端末装置が存在していると推定される推定存在無線セルを導出する推定存在無線セル導出部と、前記既存在無線セル及び前記推定存在無線セルに対して呼び出しを実行する第１呼出実行部と、前記呼び出しに対する応答信号を前記上位ノードに送信する呼出応答信号送信部と、前記第１呼出要求受信部が前記第１呼出要求を受信してから、前記呼出応答信号送信部が前記応答信号を所定期間送信しない場合に、前記位置登録エリアを形成する前記複数の無線セルのうちの少なくとも前記既存在無線セルとは異なる無線セルに対する呼び出し要求であって前記端末識別情報を含む第２呼出要求を、前記上位ノードから受信する第２呼出要求受信部と、前記第２呼出要求受信部が受信した前記第２呼出要求に基づいて、前記異なる無線セルに対して呼び出しを実行する第２呼出実行部とを有することを特徴とする。
このような構成によれば、無線リソースの逼迫やシステム負荷の増加を防止できる。
【００１２】
上記一態様による無線ネットワーク制御装置は、前記位置登録エリアを形成する前記複数の無線セル同士の相対位置関係を記憶する無線セル相対位置関係記憶部をさらに有していてもよく、前記推定存在無線セル導出部は、前記無線セル相対位置関係記憶部に記憶された前記相対位置関係に基づいて、前記既存在無線セルと隣り合う無線セル、前記既存在無線セルから所定距離内の無線セル及び前記既存在無線セルとオーバレイしている無線セルの少なくともいずれかの無線セルを前記推定存在無線セルとして導出してもよい。
このような構成によれば、通信端末装置が移動していると予想される無線セルに対して呼出要求を実行できる。
【００１３】
また、上記目的を達成するために、本発明の一態様による無線ネットワーク装置は、上位ノードへの少なくとも接続時に、自機が収容する無線セルのオーバレイに関する情報であるオーバレイ情報を該上位ノードに送信するオーバレイ情報送信部と、通信要求対象である対象通信端末装置が現時点から過去所定期間内に存在した無線セルである既存在無線セルと、該既存在無線セルとオーバレイし前記対象通信端末装置が存在していると推定される推定存在無線セルとの少なくともいずれか一方のみに対する呼び出し要求であって前記対象通信端末装置の端末識別情報を含む第１呼出要求を、前記上位ノードから受信する第１呼出要求受信部と、前記第１呼出要求受信部で受信した前記第１呼出要求に含まれた前記既存在無線セル及び前記推定存在無線セルに対して呼び出しを実行する第１呼出実行部と、前記呼び出しに対する応答信号を前記上位ノードに送信する呼出応答信号送信部と、前記第１呼出要求受信部が前記第１呼出要求を受信してから、前記呼出応答信号送信部が前記応答信号を所定期間送信しない場合に、前記既存在無線セルを含む複数の無線セルで形成された位置登録エリアを形成する複数の無線セルのうちの少なくとも前記既存在無線セル及び前記推定存在無線セルとは異なる無線セルに対する呼び出し要求であって前記端末識別情報を含む第２呼出要求を、前記上位ノードから受信する第２呼出要求受信部と、前記第２呼出要求受信部が受信した前記第２呼出要求に基づいて、前記異なる無線セルに対して呼び出しを実行する第２呼出実行部とを有することを特徴とする。
このような構成によれば、無線リソースの逼迫やシステム負荷の増加を防止できる。
【００１４】
また、上記目的を達成するために、本発明の一態様による無線通信ネットワークシステムは、無線ネットワーク制御装置と、前記無線ネットワーク制御装置を介して通信端末装置と通信する交換機とを備えた無線通信ネットワークシステムであって、前記交換機は、通信要求対象である対象通信端末装置が現時点から過去所定期間内に存在した無線セルである既存在無線セルのみに対する呼び出し要求であって前記対象通信端末装置の端末識別情報を含む第１呼出要求を、前記既存在無線セルを含む複数の無線セルで形成された位置登録エリアを管理する前記無線ネットワーク制御装置に送信する第１呼出要求送信部と、前記第１呼出要求に対する応答信号を前記無線ネットワーク制御装置から受信する呼出応答信号受信部と、前記第１呼出要求送信部が前記第１呼出要求を送信してから、前記第１呼出応答信号受信部が前記応答信号を所定期間受信しない場合に、前記複数の無線セルのうちの少なくとも前記既存在無線セルとは異なる無線セルに対する呼び出し要求であって前記端末識別情報を含む第２呼出要求を、前記管理ノードに送信する第２呼出要求送信部とを備え、前記無線ネットワーク制御装置は、前記第１呼出要求を前記交換機から受信する第１呼出要求受信部と、前記第１呼出要求受信部が受信した前記第１呼出要求の対象である前記既存在無線セルに基づいて、前記対象通信端末装置が存在していると推定される推定存在無線セルを導出する推定存在無線セル導出部と、前記既存在無線セル及び前記推定存在無線セルに対して呼び出しを実行する第１呼出実行部と、前記呼び出しに対する応答信号を前記上位ノードに送信する呼出応答信号送信部と、前記第１呼出要求受信部が前記第１呼出要求を受信してから、前記呼出応答信号送信部が前記応答信号を所定期間送信しない場合に、前記第２呼出要求を前記交換機から受信する第２呼出要求受信部と、前記第２呼出要求受信部が受信した前記第２呼出要求に基づいて、前記異なる無線セルに対して呼び出しを実行する第２呼出実行部とを備えていることを特徴とする。
このような構成によれば、無線リソースの逼迫やシステム負荷の増加を防止できる。
【００１５】
また、上記目的を達成するために、本発明の他の態様による無線通信ネットワークシステムは、無線ネットワーク制御装置と、前記無線ネットワーク制御装置を介して通信端末装置と通信する交換機とを備えた無線通信ネットワークシステムであって、前記交換機は、通信要求対象である対象通信端末装置が現時点から過去所定期間内に存在した無線セルである既存在無線セルに基づいて、前記対象通信端末装置が存在していると推定される推定存在無線セルを導出する推定存在無線セル導出部と、前記既存在無線セル及び前記推定存在無線セル導出部が導出した推定存在無線セルのみに対する呼び出し要求であって前記対象通信端末装置の端末識別情報を含む第１呼出要求を、前記既存在無線セルを含む複数の無線セルで形成された位置登録エリアを管理する前記無線ネットワーク制御装置に送信する第１呼出要求送信部と、前記第１呼出要求に対する応答信号を前記無線ネットワーク制御装置から受信する呼出応答信号受信部と、前記第１呼出要求送信部が前記第１呼出要求を送信してから、前記呼出応答信号受信部が前記応答信号を所定期間受信しない場合に、前記複数の無線セルのうちの少なくとも前記既存在無線セルとは異なる無線セルに対する呼び出し要求であって前記端末識別情報を含む第２呼出要求を、前記管理ノードに送信する第２呼出要求送信部とを備え、前記無線ネットワーク制御装置は、前記第１呼出要求を前記交換機から受信する第１呼出要求受信部と、前記第１呼出要求受信部が受信した前記第１呼出要求に含まれた前記既存在無線セル及び前記推定存在無線セルに対して呼び出しを実行する第１呼出実行部と、前記呼び出しに対する応答信号を前記交換機に送信する呼出応答信号送信部と、前記第１呼出要求受信部が前記第１呼出要求を受信してから、前記呼出応答信号送信部が前記応答信号を所定期間送信しない場合に、前記第２呼出要求を前記交換機から受信する第２呼出要求受信部と、前記第２呼出要求受信部が受信した前記第２呼出要求に基づいて、前記異なる無線セルに対して呼び出しを実行する第２呼出実行部とを備えていることを特徴とする。
このような構成によれば、無線リソースの逼迫やシステム負荷の増加を防止できる。
【００１６】
また、上記目的を達成するために、本発明のさらに他の態様による無線通信ネットワークシステムは、無線ネットワーク装置と、前記無線ネットワーク装置を介して通信端末装置と通信する交換機とを備えた無線通信ネットワークシステムであって、前記交換機は、複数の無線セルで形成された位置登録エリアを管理する無線ネットワーク装置の接続時に該無線ネットワーク装置から少なくとも送信され、前記複数の無線セルのオーバレイに関する情報であるオーバレイ情報を受信するオーバレイ情報受信部と、前記オーバレイ情報を記憶するオーバレイ情報記憶部と、通信要求対象である対象通信端末装置が現時点から過去所定期間内に存在した無線セルである既存在無線セルと、該既存在無線セルとオーバレイし前記対象通信端末装置が存在していると推定される無線セルであって前記オーバレイ情報記憶部から導出された推定存在無線セルとの少なくともいずれか一方のみに対する呼び出し要求であって前記対象通信端末装置の端末識別情報を含む第１呼出要求を、前記既存在無線セルを含む前記無線ネットワーク装置に送信する第１呼出要求送信部と、前記第１呼出要求に対する応答信号を前記無線ネットワーク装置から受信する呼出応答信号受信部と、前記第１呼出要求送信部が前記第１呼出要求を送信してから、前記呼出応答信号受信部が前記応答信号を所定期間受信しない場合に、前記複数の無線セルのうちの少なくとも前記既存在無線セルとは異なる無線セルに対する呼び出し要求であって前記端末識別情報を含む第２呼出要求を、前記無線ネットワーク装置に送信する第２呼出要求送信部とを備え、前記無線ネットワーク装置は、前記交換機への少なくとも接続時に、自機が収容する無線セルの前記オーバレイ情報を該交換機に送信するオーバレイ情報送信部と、前記第１呼出要求を前記交換機から受信する第１呼出要求受信部と、前記第１呼出要求受信部で受信した前記第１呼出要求に含まれた前記既存在無線セル及び前記推定存在無線セルに対して呼び出しを実行する第１呼出実行部と、前記呼び出しに対する応答信号を前記交換機に送信する呼出応答信号送信部と、前記第１呼出要求受信部が前記第１呼出要求を受信してから、前記呼出応答信号送信部が前記応答信号を所定期間送信しない場合に、前記第２呼出要求を、前記交換機から受信する第２呼出要求受信部と、前記第２呼出要求受信部が受信した前記第２呼出要求に基づいて、前記異なる無線セルに対して呼び出しを実行する第２呼出実行部とを備えていることを特徴とする。
このような構成によれば、無線リソースの逼迫やシステム負荷の増加を防止できる。
【発明の効果】
【００１７】
本発明によれば、無線リソースの逼迫やシステム負荷の増加を防止できる。
【図面の簡単な説明】
【００１８】
【図１】本発明の第１の実施形態による無線通信ネットワークシステム１の概略構成を示すブロック図である。
【図２】本発明の第１の実施形態による交換機としてのＳＧＳＮ３の概略構成を示すブロック図である。
【図３】本発明の第１の実施形態による交換機としてのＳＧＳＮ３に設けられた無線セル情報保存部３ｅの構成例を示す図である。
【図４】本発明の第１の実施形態による無線ネットワーク制御装置（ＲＮＣ７）の概略構成を示すブロック図である。
【図５】本発明の第１の実施形態によるＲＮＣ７に設けられた無線セル保存期間決定テーブル７ｈの構成例を示す図である。
【図６】本発明の第１の実施形態による無線通信ネットワークシステム１の動作の一例を示すシーケンス図である。
【図７】本発明の第１の実施形態による無線通信ネットワークシステム１における第１呼出要求（第１ページング要求）を模式的に示す図である。
【図８】従来の無線通信ネットワークにおけるページング要求を模式的に示す図である。
【図９】従来の無線通信ネットワークにおける他のページング要求を模式的に示す図である。
【図１０】従来の無線通信ネットワークにおけるさらに他のページング要求を模式的に示す図である。
【図１１】本発明の第１の実施形態の変形例１による無線ネットワーク制御装置（ＲＮＣ３７）の概略構成を示すブロック図である。
【図１２】本発明の第１の実施形態の変形例１による無線通信ネットワークシステム１における第１呼出要求を模式的に示す図である。
【図１３】本発明の第１の実施形態の変形例２による交換機（ＳＧＳＮ３）及び無線ネットワーク制御装置（ＲＮＣ７）の概略構成を示すブロック図である。
【図１４】本発明の第１の実施形態の変形例２による交換機（ＳＧＳＮ３）及び無線ネットワーク制御装置（ＲＮＣ３７）の概略構成を示すブロック図である。
【図１５】本発明の第２の実施形態による無線通信ネットワークシステム２の概略構成を示すブロック図である。
【図１６】本発明の第２の実施形態による無線ネットワーク制御装置（ＲＮＣ４７）の概略構成を示すブロック図である。
【図１７】本発明の第２の実施の形態による無線通信ネットワークシステム２の動作の一例を示すシーケンス図である。
【図１８】本発明の第３の実施形態による無線通信ネットワークシステム２０１の概略構成を示すブロック図である。
【図１９】本発明の第３の実施形態による交換機（ＭＭＥ６３）及び無線ネットワーク装置（ｅＮｏｄｅＢ６７、６９）の概略構成を示すブロック図である。
【図２０】本発明の第３の実施形態によるＭＭＥ６３に設けられたオーバレイ情報記憶部６３ｆの構成例を示す図である。
【図２１】本発明の第３の実施の形態による無線通信ネットワークシステム２０１の動作の一例を示すシーケンス図である。
【発明を実施するための形態】
【００１９】
〔第１の実施形態〕
（無線通信ネットワークシステム１の概略構成）
本発明の第１の実施形態による交換機、無線ネットワーク制御装置及びそれらを備えた無線通信ネットワークについて、図１から１２を用いて説明する。まず、本実施形態による無線通信ネットワークシステムの概略構成について図１を用いて説明する。
図１は、本実施形態による無線通信ネットワークシステム１の概略構成を示すブロック図である。図１に示すように、無線通信ネットワークシステム１は、パケット交換機（ＳＧＳＮ：Ｓｅｒｖｉｎｇ  ＧＰＲＳ  （Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）３と、パケット交換用ゲートウェイ（ＧＧＳＮ：Ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）４と、加入者データベース（Ｈｏｍｅ  Ｌｏｃａｔｉｏｎ  Ｒｅｇｉｓｔｅｒ：ＨＬＲ）５と、回線交換機（ＭＳＣ：Ｍｏｂｉｌｅ  Ｓｅｒｖｉｃｅ
ｓ  Ｓｗｉｔｃｈｉｎｇ  Ｃｅｎｔｅｒ）６と、ビジターロケーションレジスタ（ＶＬＲ：Ｖｉｓｉｔｏｒ  Ｌｏｃａｔｉｏｎ  Ｒｅｇｉｓｔｅｒ）８と、回線交換用ゲートウェイ（ＧＭＳＣ：Ｇａｔｅｗａｙ  Ｍｏｂｉｌｅ  ｓｅｒｖｉｃｅｓ  Ｓｗｉｔｃｈｉｎｇ  Ｃｅｎｔｅｒ）１０と、無線ネットワーク制御装置（Ｒａｄｉｏ  Ｎｅｔｗｏｒｋ  Ｃｏｎｔｒｏｌｌｅｒ：ＲＮＣ）７と、複数の無線基地局（Ｂａｓｅ  Ｔｒａｎｓｃｅｉｖｅｒ  Ｓｔａｔｉｏｎ：ＢＴＳ）９、１１、１３、１５（以下、ＢＴＳ９、１１、１３、１５を「ＢＴＳ９〜１５」と称する場合がある）とを有している。ＳＧＳＮ３、ＧＧＳＮ４、ＨＬＲ５、ＭＳＣ６、ＶＬＲ８及びＧＭＳＣ１０により３Ｇ（第３世代移動通信システム）コアネットワークが構成されている。無線通信ネットワークシステム１は、当該３Ｇコアネットワークと、ＲＮＣ７とを含み、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）標準仕様に基づく無線通信システムを構成している。ＳＧＳＮ３は本実施形態による交換機に相当し、ＲＮＣ７は本実施形態による無線ネットワーク制御装置に相当する。
【００２０】
ＨＬＲ５は、ＧＧＳＮ４及びＧＭＳＣ１０に接続されている。ＨＬＲ５は、不図示の通信端末装置（例えば、移動通信端末装置）の加入者情報や位置情報などを記憶するようになっている。当該加入者情報は、例えばユーザ識別子やＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒ）である。また、当該位置情報は、通信端末装置が在圏する無線セル（在圏セル）を形成するＢＴＳのセル識別子である。本例では、当該位置情報は、位置登録エリア１７を構成するＢＴＳ９〜１５が形成する無線セルのセル識別子である。
【００２１】
ＳＧＳＮ３及びＧＧＳＮ４は、３Ｇコアネットワークのパケット交換ドメインノードである。ＧＧＳＮ４はＨＬＲ５及びＳＧＳＮ３に接続されている。ＧＧＳＮ４は、３Ｇコアネットワークに接続された外部の他のパケットネットワークとの接続点となる。また、ＧＧＳＮ４は、パケット通信時のユーザの認証や、接続の制御、ＱｏＳ（Ｑｕａｌｉｔｙ  ｏｆ  Ｓｅｒｖｉｃｅ）などの役割を担う。
ＳＧＳＮ３は、ＧＧＳＮ４及びＲＮＣ７に接続されている。ＳＧＳＮ３は、交換機であり、通信端末装置（不図示）及びＲＮＣ７を収容している。ＳＧＳＮ３は、通信端末装置と他の通信端末装置との間のパケット交換を行うための装置である。
【００２２】
ＳＧＳＮ３は、上記機能の他に、無線リソースの逼迫やシステム負荷の増加を防止するために、通信要求対象である対象通信端末装置が現時点から過去所定期間内に存在した無線セルである既存在無線セルのみに対する第１呼出要求を実行する機能を有している。当該機能を発揮するためにＳＧＳＮ３が有している構成については後述する。
【００２３】
ＧＭＳＣ１０は、ＨＬＲ５及びＭＳＣ６に接続されている。ＧＭＳＣ６は、３Ｇコアネットワークの回線交換ドメインノードであり、他の回線交換ネットワークとの相互接続点となる。
ＭＳＣ６は、ＲＮＣ７、ＧＭＳＣ１０及びＶＬＲ８に接続されている。ＭＳＣ６は、交換機であり、通信端末装置（不図示）及びＲＮＣ７を収容している。ＭＳＣ６は、通信端末装置と他の通信端末装置との間の回線交換を行うための装置である。
ＶＬＲ８は、通信端末装置の電話番号や端末識別番号などの加入者情報を管理するデータベースである。ＶＬＲ８は、加入者情報を一時的に保存しておくことで、ＨＬＲ５の代わりのデータベースとしての機能を発揮するようになっている。
【００２４】
また、ＲＮＣ７は、ＢＴＳ９〜１５及びＢＴＳ９〜１５が形成する無線セル内に設けられた不図示のＢＴＳ（詳細は後述）に対応して設けられており、ＢＴＳ９〜１５及び当該ＢＴＳが形成する無線セルに存在（在圏）している通信端末装置の無線通信に関する処理を行う。具体的には、ＲＮＣ７は、当該通信端末装置の回線接続処理や通話時のハンドオーバー処理等を行う。また、ＲＮＣ７は、自機に対応付けられたＢＴＳ（本例では、ＢＴＳ９〜１５及びＢＴＳ９〜１５が形成する無線セル内に設けられた不図示のＢＴＳ）のセル識別情報と、ＢＴＳ９〜１５等が形成する無線セルに在圏している通信端末装置の端末識別情報（例えば、端末識別子やＭＳＩＳＤＮなど）とを対応付けて記憶している。なお、ＲＮＣは、基地局制御装置、無線制御局、等とも呼ばれる場合がある。
【００２５】
また、ＲＮＣ７は、上記機能の他に、無線リソースの逼迫やシステム負荷の増加を防止するために、ＳＧＳＮ３から受信した第１呼出要求の対象の既存在無線セルに基づいて、対象通信端末装置が存在していると推定される推定存在無線セルを導出し、当該既存在無線セル及び当該推定存在無線セルに呼び出し要求（例えばページング要求）を実行する機能を有している。当該機能を発揮するためにＲＮＣ７が有している構成については後述する。
【００２６】
ＢＴＳ９は、特定の範囲に対してセル識別情報（例えば、セル識別子やセルＩＤ）を送出することにより３Ｇ無線エリア（無線セル）を形成するようになっている。本例では、ＢＴＳ９は３Ｇ無線セル（図中長方形枠で示す領域）を形成し、当該無線セルの中に６つの無線セル９ａ、９ｂ、９ｃ、９ｄ、９ｅ、９ｆ（以下、無線セル９ａ、９ｂ、９ｃ、９ｄ、９ｅ、９ｆを「無線セル９ａ〜９ｆ」と称する場合がある）が形成されている。無線セル９ａ〜９ｆはそれぞれ、ＢＴＳ９とは別のＢＴＳ（不図示）が形成する無線セル（例えばマイクロセル）である。
【００２７】
ＢＴＳ１１は３Ｇ無線セル（図中長方形枠で示す領域）を形成し、当該無線セルの中に６つの無線セル１１ａ、１１ｂ、１１ｃ、１１ｄ、１１ｅ、１１ｆ（以下、無線セル１１ａ、１１ｂ、１１ｃ、１１ｄ、１１ｅ、１１ｆを「無線セル１１ａ〜１１ｆ」と称する場合がある）が形成されている。無線セル１１ａ〜１１ｆはそれぞれ、ＢＴＳ１１とは別のＢＴＳ（不図示）が形成する無線セル（例えばマイクロセル）である。
【００２８】
ＢＴＳ１３は３Ｇ無線セル（図中長方形枠で示す領域）を形成し、当該無線セルの中に６つの無線セル１３ａ、１３ｂ、１３ｃ、１３ｄ、１３ｅ、１３ｆ（以下、無線セル１３ａ、１３ｂ、１３ｃ、１３ｄ、１３ｅ、１３ｆを「無線セル１３ａ〜１３ｆ」と称する場合がある）が形成されている。無線セル１３ａ〜１３ｆはそれぞれ、ＢＴＳ１３とは別のＢＴＳ（不図示）が形成する無線セル（例えばマイクロセル）である。
【００２９】
ＢＴＳ１５は３Ｇ無線セル（図中長方形枠で示す領域）を形成し、当該無線セルの中に６つの無線セル１５ａ、１５ｂ、１５ｃ、１５ｄ、１５ｅ、１５ｆ（以下、無線セル１５ａ、１５ｂ、１５ｃ、１５ｄ、１５ｅ、１５ｆを「無線セル１５ａ〜１５ｆ」と称する場合がある）が形成されている。無線セル１５ａ〜１５ｆはそれぞれ、ＢＴＳ１５とは別のＢＴＳ（不図示）が形成する無線セル（例えばマイクロセル）である。
【００３０】
通信端末装置（不図示）がＢＴＳ９〜１５が形成するいずれかの無線セル内にある場合には、当該通信端末装置が存在する無線セルを形成するいずれかのＢＴＳ９〜１５は、当該通信端末装置との間で３Ｇ方式に従った無線通信を行うことができる。例えば通信端末装置がＢＴＳ９の形成する無線セルに存在している場合には、当該通信端末装置は、ＢＴＳ９を介してＢＴＳ９の上流（上位）に位置しているＲＮＣ７及びＳＧＳＮ３と通信するようになっている。セル識別情報はＢＴＳ９〜１５毎にそれぞれ付与されている。このため、セル識別情報を判定することにより、無線セルがどのＢＴＳ９〜１５に収容されているのかを区別することができる。また、同様に、無線セル９ａ〜９ｆ、１１ａ〜１１ｆ、１３ａ〜１３ｆ、１５ａ〜１５ｆを形成するＢＴＳにもそれぞれセル識別情報が付与されている。このため、当該セル識別情報を判定することにより、無線セル９ａ〜９ｆ、１１ａ〜１１ｆ、１３ａ〜１３ｆ、１５ａ〜１５ｆがどのＢＴＳに収容されているのかを区別することができる。
【００３１】
ＢＴＳ９及びＢＴＳ１１は、周波数＃Ａ（＃Ａは所定の値、例えば８００ＭＨｚ）の電波を無線セルに送信し、周波数帯＃Ａの無線セルを形成している。ＢＴＳ１３及びＢＴＳ１５は、周波数＃Ｂ（＃Ｂは＃Ａとは異なる所定の値、例えば２ＧＨｚ）の電波を無線セルに送信し、周波数帯＃Ｂの無線セルを形成している。
【００３２】
本実施形態では、例えば、無線セル９ａと無線セル１３ａとがオーバレイしており、無線セル９ｂと無線セル１３ｂとがオーバレイしており、無線セル９ｃと無線セル１３ｃとがオーバレイしており、無線セル９ｄと無線セル１３ｄとがオーバレイしており、無線セル９ｅと無線セル１３ｅとがオーバレイしており、無線セル９ｆと無線セル１３ｆとがオーバレイしている。
また、例えば、無線セル１１ａと無線セル１５ａとがオーバレイしており、無線セル１１ｂと無線セル１５ｂとがオーバレイしており、無線セル１１ｃと無線セル１５ｃとがオーバレイしており、無線セル１１ｄと無線セル１５ｄとがオーバレイしており、無線セル１１ｅと無線セル１５ｅとがオーバレイしており、無線セル１１ｆと無線セル１５ｆとがオーバレイしている。
【００３３】
ＢＴＳ９〜１５が形成する無線セル及び無線セル９ａ〜９ｆ、１１ａ〜１１ｆ、１３ａ〜１３ｆ、１５ａ〜１５ｆによって位置登録エリア１７が形成されている。ＲＮＣ７は、下位ノードであるＢＴＳ９〜１５及び無線セル９ａ〜９ｆ、１１ａ〜１１ｆ、１３ａ〜１３ｆ、１５ａ〜１５ｆをそれぞれ形成するＢＴＳを管理することにより、位置登録エリア１７を間接的に管理している。すなわち、ＲＮＣ７は、位置登録エリア１７を管理する管理ノードに相当する。
【００３４】
詳細は後述するが、例えば、ＲＮＣ７は、ＳＧＳＮ３から無線セル９ａ、１１ｂ、１３ａが既存在無線セルであることを示す情報を受信すると、当該情報に基づいて例えば無線セル１３ｂを推定存在無線セルとして導出し、図中破線矢印で示すように、無線セル９ａ、１１ｂ、１３ａ及び無線セル１３ｂに対して呼び出し要求（例えばページング要求）を実行する。また、ＲＮＣ７は、無線セル１１ｂにオーバレイしている無線セル１５ｂ及び無線セル１３ｂにオーバレイしている無線セル９ｂに対して呼び出し要求を実行するように構成されていてもよい。
【００３５】
（交換機としてのＳＧＳＮ３の概略構成）
次に、本実施形態による交換機としてのＳＧＳＮ３について図１を参照しつつ図２及び図３を用いて説明する。図２は、ＳＧＳＮ３の呼び出し要求の機能に関連する機能ブロック図である。
図２に示すように、ＳＧＳＮ３は、制御部３ａと、第１呼出要求送信部３ｂと、呼出応答信号受信部３ｃと、第２呼出要求送信部３ｄと、無線セル情報保存部３ｅとを有している。第１呼出要求送信部３ｂと、第２呼出要求送信部３ｄとは、図２に示すように分離されておらず、１つの呼出要求送信部が第１及び第２呼出要求送信部３ｂ、３ｄを兼ねるように構成されていてもよい。
【００３６】
制御部３ａ、第１呼出要求送信部３ｂ、呼出応答信号受信部３ｃ、第２呼出要求送信部３ｄ及び無線セル情報保存部３ｅは、バスライン３ｆに接続されている。制御部３ａ、第１呼出要求送信部３ｂ、呼出応答信号受信部３ｃ、第２呼出要求送信部３ｄ及び無線セル情報保存部３ｅは、物理的に別の装置としてそれぞれ実現されていてもよいし、ＳＧＳＮ３の一機能としてそれぞれ実現されていてもよい。
制御部３ａは、ＳＧＳＮ３を統括的に制御するようになっている。第１呼出要求送信部３ｂ、呼出応答信号受信部３ｃ、第２呼出要求送信部３ｄ及び無線セル情報保存部３ｅは、バスライン３ｆを介して送信される制御部３ａからの制御信号に基づいて所定の動作を実行するようになっている。
【００３７】
第１呼出要求送信部３ｂは、既存在無線セルのみに対する呼び出し要求である第１呼出要求を当該既存在無線セルを含む複数の無線セルで形成された位置登録エリアを管理する管理ノードに送信するようになっている。
ここで、既存在無線セルは、通信要求対象である対象通信端末装置が現時点（第１呼出要求の送信時点）から過去所定期間内に存在した無線セルである。例えば既存在無線セルは、図１において無線セル９ａ、１１ｂ、１３ｂとして例示されている。管理ノードは、図１においてＲＮＣ７として例示されている。また、当該第１呼出要求には、対象通信端末装置の端末識別情報（例えば、ユーザ識別子、ユーザＩＤあるいはＭＳＩＳＤＮなど）が含まれている。
【００３８】
無線通信ネットワークシステム１に接続された外部装置（不図示）から対象通信端末装置の端末識別情報を含む通信要求をＳＧＳＮ３が受信すると、制御部３ａは、当該端末識別情報を第１呼出要求送信部３ｂに送信する。第１呼出要求送信部３ｂは当該端末識別情報に対応付けられた既存在無線セルのセル識別情報（例えばセルＩＤやセル識別子など）を無線セル情報保存部３ｅ（詳細は後述）から取得し、取得した既存在無線セルのセル識別情報と受信した端末識別情報とを含む第１呼出要求を、取得した既存在無線セルを含む複数の無線セルで形成された位置登録エリアを管理している管理ノード（本例では、ＲＮＣ）に送信する。
【００３９】
呼出応答信号受信部３ｃは、第１呼出要求に対する応答信号を管理ノードから受信するようになっている。本例では、第１呼出要求はＲＮＣ７に送信されるため、呼出応答信号受信部３ｃは、当該応答信号をＲＮＣ７から受信する。また、呼出応答信号受信部３ｃは、当該応答信号を受信すると、当該応答信号を受信したことを制御部３ａに通知するようになっている。
一方、制御部３ａは、第１呼出要求送信部３ｂが第１呼出要求信号を送信してから呼出応答信号受信部３ｃが応答信号を受信するまでの待機時間を計測するようになっている。制御部３ａは、第１呼出要求送信部３ｂが第１呼出要求を送信してから、呼出応答信号受信部３ｄが応答信号を受信しない待機期間が所定期間を経過したら、第２呼出要求の送信を第２呼出要求送信部３ｄに送信するようになっている。
【００４０】
当該第２呼出要求は、複数の無線セルのうちの少なくとも既存在無線セルとは異なる無線セルに対する呼び出し要求である。当該第２呼出要求には、第１呼出要求に含まれたのと同じ端末識別情報が含まれる。当該複数の無線セルは、第１呼出要求が実行される位置登録エリアを形成する無線セルである。当該第２呼出要求は、第２呼出要求送信部３ｄから送信される。
すなわち、第２呼出要求送信部３ｄは、第１呼出要求送信部３ｂが第１呼出要求を送信してから、呼出応答信号受信部３ｄが第１呼出要求に対する応答信号を所定期間受信しない場合に、当該第２呼出要求を管理ノードに送信するようになっている。ここで、当該管理ノードは、第１呼出要求が実行される位置登録エリアを管理する管理ノード（本例では、ＲＮＣ７）である。
【００４１】
次に、ＳＧＳＮ３に設けられた無線セル情報保存部３ｅについて図３を用い説明する。図３は、無線セル情報保存部３ｅの構成例を示す図である。
図３に示すように、無線セル情報保存部３ｅは、「サービス種別」と、「過去に通信した無線セル情報」と、「直前に通信した無線セル情報」との３個の項目に大別されている。「サービス種別」は、通信端末装置が利用したサービスの種類を示している。本例では、「サービス種別」欄には、「音声着信」、「電子メール」及び「Ｍ２Ｍ（マシンツーマシン（Ｍａｃｈｉｎｅ−ｔｏ−Ｍａｃｈｉｎｅ））着信」が格納されている。なお、「サービス種別」欄に示された「・・・」は、何らかのサービス種別が格納されていることを表している。「音声着信」は、通信端末装置が利用したサービスが音声通話であることを示し、「電子メール」は、通信端末装置が利用したサービスが電子メールの送受信であることを示し、「Ｍ２Ｍ着信」は、Ｍ２Ｍに用いられる通信端末装置に対する通信であることを示している。
【００４２】
「過去に通信した無線セル情報」は、「保存する期間Ｔ（秒（ｓｅｃ））」と、「保無線存セル最大数Ｎ（個）」と、「無線セル情報」との３個に区分されている。「保存する期間Ｔ（ｓｅｃ）」は、既存在無線セルとして無線セル情報保存部３ｅに保存しておく期間を示している。「保存無線セルの最大数Ｎ（個）」は、一のサービス種別における保存可能な既存在無線セルの最大数を示している。「無線セル情報」は、既存在無線セルのセル識別情報を示している。また、無線セル情報に格納された「無線セル＃」は無線セルを特定可能なセル識別情報を表している。なお、「無線セル情報」欄に示す複数の「無線セル＃」は必ずしも同じセル識別情報を表しているとは限らない。また、「保存する期間Ｔ（ｓｅｃ）」、「保無線存セル最大数Ｎ（個）」及び「無線セル情報」の各欄に示された「・・・」は、保存期間や最大数などの何らかのデータが格納されていることを表している。
【００４３】
例えば「音声着信」に対応付けられて「無線セル情報」欄に格納された無線セルのセル識別情報は、無線セル情報保存部３ｅに保存されてから保存する期間Ｔａ（ｓｅｃ）が経過すると、「無線セル情報」欄から削除される。また、「無線セル情報」欄及び「直前に通信した無線セル情報」欄に格納されているセル識別情報の総数が保存無線セルの最大数Ｎａの際に、新たにセル識別情報を保存する場合には、最先に保存されたセル識別情報が「無線セル情報」欄から削除され、「直前に通信した無線セル情報」欄に格納されているセル識別情報が「無線セル情報」欄に移行され、「直前に通信した無線セル情報」欄に新たなセル識別情報が格納される。
【００４４】
本例では例えば  サービス種別の「音声着信」に対応付けて、「保存する期間Ｔ（ｓｅｃ）」には期間「Ｔａ」が格納され、「保存無線セルの最大数Ｎ（個）」には最大数「Ｎａ」が格納され、「無線セル情報」には「無線セル＃、無線セル＃、無線セル＃、・・・・」が格納されている。
また、本例では例えば、サービス種別の「電子メール」に対応付けて、「保存する期間Ｔ（ｓｅｃ）」には期間「Ｔｂ」が格納され、「保存無線セルの最大数Ｎ（個）」には最大数「Ｎｂ」が格納され、「無線セル情報」には「無線セル＃、無線セル＃、無線セル＃、・・・・」が格納されている。
【００４５】
さらに、本例では例えば、サービス種別の「Ｍ２Ｍ着信」に対応付けて、「保存する期間Ｔ（ｓｅｃ）」には期間「Ｔｘ」が格納され、「保存無線セルの最大数Ｎ（個）」には最大数「Ｎｘ」が格納され、「無線セル情報」には「無線セル＃、無線セル＃、無線セル＃、・・・・」が格納されている。
このように、無線セル情報保存部３ｅは、既存在無線セルのセル識別情報をサービス種別に応じて設定された個数分（本例では、Ｎａ個、Ｎｂ個及びＮｘ個）だけ保存するようになっている。
【００４６】
また、無線セル情報保存部３ｅは、無線セルのセル識別情報を保存する期間がサービス種別に応じて異なる（本例では、Ｔａ秒、Ｔｂ秒及びＴｘ秒）ように設定されている。
また、無線セル情報保存部３ｅにおいて、既存在無線セルを保存する期間Ｔや保存する最大個数Ｎはサービス種別に応じて設定されている。例えば、移動の多い通信端末装置（例えば携帯電話機器や物流の移動管理用装置など）でのサービスは、移動の少ない通信端末措置（例えば自動販売機やスマートメータなど）でのサービスよりも、保存する期間Ｔが短く、保存する最大個数Ｎが多く設定されている。図３では、例えばサービス種別が「音声着信」の保存する期間Ｔａは「電子メール」の保存する期間Ｔｂよりも短く、当該期間Ｔｂは「Ｍ２Ｍ着信」の保存する期間Ｔｘよりも短く設定されている。また、「音声着信」の保存する最大数Ｎａは「電子メール」の保存する最大数Ｎｂよりも多く、当該最大数Ｎｂは「Ｍ２Ｍ着信」の保存する最大個数Ｎｘよりも多く設定されている。「音声着信」や「電子メール」は動く通信端末装置である移動端末装置からの着信要求が想定され、当該移動端末装置は、Ｍ２Ｍに用いられる通信端末装置と比較すると、一の着信要求から次の着信要求において無線セルを移動している可能性が高い。このため、「音声着信」や「電子メール」、特に「音声着信」では、保存期間が短く設定される代わりに、保存無線セルの最大数が多く設定されている。
【００４７】
「直前に通信した無線セル情報」は、第１呼出要求送信部３ｂが第１呼出要求を管理ノードに送信する直前に通信端末装置が通信していた無線セルのセル識別情報を示している。すなわち、「直前に通信した無線セル情報」及び「無線セル情報」に格納されるセル識別情報のうち、「直前に通信した無線セル情報」に格納されるセル識別情報の無線セルが通信端末装置が通信した最新の無線セルとなる。なお、「直前に通信した無線セル情報」欄に示された「・・・」は、何らかのセル識別情報が格納されていることを表している。
本例では例えば、サービス種別の「音声着信」、「電子メール」及び「Ｍ２Ｍ着信」のそれぞれに対応付けて「直前に通信した無線セル情報」には「無線セル＃」が格納されている。なお、「直前に通信した無線セル情報」欄に示す「無線セル＃」は必ずしも同じセル識別情報を表しているとは限らない。
【００４８】
図２に戻って、無線セル情報保存部３ｅは、ＳＧＳＮ３と通信履歴のある通信端末装置の端末識別情報毎に図３に示すテーブル形式で既存在無線セルのセル識別情報を保存するようになっている。これにより、無線セル情報保存部３ｅは、ＳＧＳＮ３と通信履歴のある通信端末装置の端末識別情報と、当該通信端末装置が過去に存在した無線セルのセル識別情報とをサービス種別毎に対応付けて記憶することができる。
【００４９】
（無線ネットワーク制御装置の概略構成としてのＲＮＣ７の概略構成）
次に、本実施形態による無線ネットワーク制御装置としてのＲＮＣ７について図１を参照しつつ図４及び図５を用いて説明する。図４は、ＳＧＳＮ３から受信した第１呼出要求に関連するＲＮＣ７の機能ブロック図である。
図４に示すように、ＲＮＣ７は、制御部７ａと、第１呼出要求受信部７ｂと、推定存在無線セル導出部７ｃと、第１呼出実行部７ｄと、呼出応答信号送信部７ｅと、第２呼出要求受信部７ｆと、第２呼出実行部７ｇと、無線セル保存期間決定テーブル７ｈとを有している。第１呼出要求受信部７ｂと、第２呼出要求受信部７ｆとは、図４に示すように分離されておらず、１つの呼出要求受信部が第１及び第２呼出要求受信部７ｂ、７ｆを兼ねるように構成されていてもよい。また、第１呼出実行部７ｄと、第２呼出実行部７ｇとは、図４に示すように分離されておらず、１つの呼出実行部が第１及び第２呼出実行部７ｄ、７ｇを兼ねるように構成されていてもよい。
【００５０】
制御部７ａと、第１呼出要求受信部７ｂと、推定存在無線セル導出部７ｃと、第１呼出実行部７ｄと、呼出応答信号送信部７ｅと、第２呼出要求受信部７ｆと、第２呼出実行部７ｇと、無線セル保存期間決定テーブル７ｈとは、バスライン７ｉに接続されている。制御部７ａと、第１呼出要求受信部７ｂと、推定存在無線セル導出部７ｃと、第１呼出実行部７ｄと、呼出応答信号送信部７ｅと、第２呼出要求受信部７ｆと、第２呼出実行部７ｇと、無線セル保存期間決定テーブル７ｈとは、物理的に別の装置としてそれぞれ実現されていてもよいし、ＲＮＣ７の一機能としてそれぞれ実現されていてもよい。
【００５１】
制御部７ａは、ＲＮＣ７を統括的に制御するようになっている。第１呼出要求受信部７ｂ、推定存在無線セル導出部７ｃ、第１呼出実行部７ｄ、呼出応答信号送信部７ｅ、第２呼出要求受信部７ｆ、第２呼出実行部７ｇ及び無線セル保存期間決定テーブル７ｈは、バスライン７ｉを介して送信される制御部７ａからの制御信号に基づいて所定の動作を実行するようになっている。
【００５２】
第１呼出要求受信部７ｂは、既存在無線セルのみに対する呼び出し要求である第１呼出要求を上位ノードから受信するようになっている。
ここで、既存在無線セルは、通信要求対象である対象通信端末装置が現時点（第１呼出要求送信部３ｂから第１呼出要求が送信された時点）から過去所定期間内に存在した無線セルである。上位ノードは、ＲＮＣ７の上位ノードであり、図１においてＳＧＳＮ３として例示されている。また、第１呼出要求受信部７ｂが受信する第１呼出要求には、対象通信端末装置の端末識別情報（例えば、ユーザ識別子、ユーザＩＤあるいはＭＳＩＳＤＮなど）が含まれている。
【００５３】
ＲＮＣ７は、ＳＧＳＮ３から対象通信端末装置の端末識別情報及び既存在無線セルのセル識別情報を含む第１呼出要求を第１呼出要求受信部７ｂを介してＳＧＳＮ３から受信すると、制御部７ａは、当該既存在無線セルのセル識別情報を推定存在無線セル導出部７ｃに送信し、推定存在無線セル導出部７ｃに対して推定存在無線セルの導出を指示する。また、制御部７ａは、当該対象通信端末装置の端末識別情報を第１呼出実行部７ｄに送信し、呼び出し要求の実行を指示する。
【００５４】
推定存在無線セル導出部７ｃは、第１呼出要求受信部７ｂが受信した第１呼出要求の対象である既存在無線セルに基づいて、当該対象通信端末装置が存在していると推定される推定存在無線セルを導出するようになっている。より具体的には、推定存在無線セル導出部７ｃは、制御部７ａから送信された既存在無線セルのセル識別情報と、無線セル保存期間決定テーブル７ｈ（詳細は後述）とに基づいて、推定存在無線セルを導出し、導出した推定存在無線セルを第１呼出実行部７ｄに送信する。
【００５５】
ここで、無線セル保存期間決定テーブル７ｈについて図５を用いて説明する。図５は、無線セル保存期間決定テーブル７ｈに設けられたデータテーブルの構造例を示す図である。無線セル保存期間決定テーブル７ｈは、第１呼出要求送信部３ｂ（図２参照）から第１呼出要求が送信された時点から過去所定期間内に対象通信端末装置が通信した無線セルのセル識別情報を保存しておく期間を、サービス種別及び所定条件に応じて決定するテーブルである。本実施形態では、無線セル保存期間決定テーブル７は、２種類のデータテーブルを有しているが、データテーブルの数はこれに限られない。
【００５６】
図５（ａ）に示すように、無線セル保存期間決定テーブル７ｈは、「サービス種別」と「過去に通信した無線セル」の２個の項目に大別されている。「サービス種別」は、通信端末装置が利用したサービスの種類を示している。本例では、「サービス種別」欄には、「音声着信」、「電子メール」及び「Ｍ２Ｍ着信」が格納されている。なお、「サービス種別」欄に示された「・・・」は、何らかのサービス種別が格納されていることを表している。「音声着信」は、通信端末装置が利用したサービスが音声通話であることを示し、「電子メール」は、通信端末装置が利用したサービスが電子メールの送受信であることを示し、「Ｍ２Ｍ着信」は、Ｍ２Ｍ装置の通信端末装置に対する通信であることを示している。
【００５７】
「過去に通信した無線セル」は、既存在無線セルを示している。「保存する期間Ｔ」は推定存在無線セルとして導出するために既存在無線セルのセル識別情報を保存しておく期間を示している。「保存する期間Ｔ」はページング残容量に応じて分類されている。「ページング残容量」は、位置登録エリアを形成する全ての無線セルに対する呼び出し要求の容量から既存在無線セルに対する呼び出し要求の容量を減算した容量である。
「保存する期間Ｔ」はページング残容量とサービス種別に応じて区分されている。ページング残容量がセル識別情報を保存しておく期間の決定に用いられる所定条件に相当する。無線セル保存期間決定テーブル７ｈは、第１呼出要求の容量が少ないほどセル識別情報を保存しておく期間を長くし、第１呼出要求の容量が多いほどセル識別情報を保存しておく期間を短く設定している。
【００５８】
本例では例えば、「保存する期間Ｔ」として、サービス種別の「音声着信」に対応付けて、ページング残容量がＰ１以上かつＰ２以下では「Ｔａ１（秒（ｓｅｃ））」、ページング残容量がＰ２より大きくＰ３以下では「Ｔａ２（ｓｅｃ）」、ページング残容量がＰｎ−１より大きくＰｎ以下では「Ｔａｎ（ｓｅｃ）」が設定されている。
また、本例では例えば、「保存する期間Ｔ」として、サービス種別の「電子メール」に対応付けて、ページング残容量がＰ１以上かつＰ２以下では「Ｔｂ１（秒（ｓｅｃ））」、ページング残容量がＰ２より大きくＰ３以下では「Ｔｂ２（ｓｅｃ）」、ページング残容量がＰｎ−１より大きくＰｎ以下では「Ｔｂｎ（ｓｅｃ）」が設定されている。
【００５９】
また、本例では例えば、「保存する期間Ｔ」として、サービス種別の「Ｍ２Ｍ着信」に対応付けて、ページング残容量がＰ１以上かつＰ２以下では「Ｔｘ１（ｓｅｃ）」、ページング残容量がＰ２より大きくＰ３以下では「Ｔｘ２（ｓｅｃ）」、ページング残容量がＰｎ−１より大きくＰｎ以下では「Ｔｘｎ（ｓｅｃ）」が設定されている。なお、図５（ａ）に示すデータベース構造の各欄に示された「・・・」は、サービス種別や時間などの何らかのデータが格納されていることを表している。
【００６０】
ページング残容量が少なければ少ないほど、効率的にページングを行う必要があるので、セル識別情報を保存する期間は長くなるように設定される。このため、本実施形態では、「保存する期間Ｔ」の各期間は、サービス種別が「音声着信」では例えば「Ｔａ１＞Ｔａ２＞Ｔａｎ」の関係が成り立つように設定され、サービス種別が「電子着信」では例えば「Ｔｂ１＞Ｔｂ２＞Ｔｂｎ」の関係が成り立つように設定され、サービス種別が「Ｍ２Ｍ着信」では例えば「Ｔｘ１＞Ｔｘ２＞Ｔｘｎ」の関係が成り立つように設定されている。
なお、「保存する期間Ｔ」欄において設定された各期間の上記大小関係は、一例であってこれに限られず、「保存する期間Ｔ」欄において設定された各期間は、他の大小関係が成り立つように設定されていてももちろんよい。
【００６１】
図５（ｂ）は、無線セル保存期間決定テーブル７ｈに設けられたデータテーブルの構造の他の例を示している。図５（ｂ）に示すように、本例のデータテーブル構造は、「保存する期間Ｔ」が「時間帯」に応じで区分されている。当該時間帯がセル識別情報を保存しておく期間の決定に用いられる所定条件に相当する。
本例では例えば、「保存する期間Ｔ」として、サービス種別の「音声着信」に対応付けて、時間帯１では「Ｔａ１（ｓｅｃ）」、時間帯２では「Ｔａ２（ｓｅｃ）」、時間帯ｎでは「Ｔａｎ（ｓｅｃ）」が設定されている。
【００６２】
また、本例では例えば、「保存する期間Ｔ」として、サービス種別の「電子メール」に対応付けて、時間帯１では「Ｔｂ１（ｓｅｃ）」、時間帯２では「Ｔｂ２（ｓｅｃ）」、時間帯３では「Ｔｂｎ（ｓｅｃ）」が設定されている。
また、本例では例えば、「保存する期間Ｔ」として、サービス種別の「Ｍ２Ｍ着信」に対応付けて、時間帯１では「Ｔｘ１（ｓｅｃ）」、時間帯２では「Ｔｘ２（ｓｅｃ）」、時間帯３では「Ｔｘｎ（ｓｅｃ）」が設定されている。なお、図５（ｂ）に示すデータベース構造の各欄に示された「・・・」は、サービス種別や時間などの各欄に関連する何らかのデータが格納されていることを表している。
【００６３】
一般的に、通信状況は時間帯によって変化する。例えば深夜の時間帯では、移動通信端末装置のユーザが就寝中であり、当該移動通信端末装置は、一ヶ所に留まっている確率が高くなる。また、例えば通信が混雑する時間帯では、通信エラーなどにより、一の移動通信端末装置が複数回の通信接続要求（例えば着信要求）を実行する場合がある。さらに通勤時間帯では、ユーザが通勤することにより当該ユーザが使用する移動通信端末装置が頻繁に移動する確率が高くなる。そこで、本実施形態では、「保存する期間Ｔ」の各期間は、深夜の時間帯では例えば相対的に長く、通勤時間帯では例えば相対的に短く設定される。
【００６４】
例えば一例として、時間帯を５つ（図５（ｂ）における「時間帯ｎ」のｎ＝５）に区分し、「時間帯１」を深夜の時間帯（１時から７時）とし、「時間帯２」を通勤時間帯（７時から１０時）とし、「時間帯３」（図５（ｂ）では不図示）を日中の時間帯（１０時から１７時）とし、「時間帯４」（図５（ｂ）では不図示）を日中から就寝前にかけての時間帯（１７時から２１時）とし、「時間帯５」（図５（ｂ）におけるｎ＝５）を就寝前から深夜にかけての時間帯（２１時から翌日の１時）とした場合、「時間帯１」における「保存する期間Ｔ」での期間は、「時間帯２」における「保存する期間Ｔ」での期間より長い時間に設定される。また、「時間帯３」における「保存する期間Ｔ」での期間は、「時間帯２」における「保存する期間Ｔ」での期間よりも長く「時間帯１」での当該期間よりも短く設定される。また、「時間帯４」における「保存する期間Ｔ」での期間は、「時間帯３」における「保存する期間Ｔ」での期間よりも長く「時間帯１」での当該期間よりも短く設定される。さらに、「時間帯５」における「保存する期間Ｔ」での期間は、「時間帯４」における「保存する期間Ｔ」での期間よりも長く「時間帯１」での当該期間よりも短く設定される。
なお、「保存する期間Ｔ」欄において設定された各期間の長短の上記関係は、一例であってこれに限られず、「保存する期間Ｔ」欄において設定された各期間の長短は、上記以外の他の関係が成り立つように設定されていてももちろんよい。
【００６５】
図４に戻って、推定存在無線セル導出部７ｃは、無線セル保存期間決定テーブル７ｈを参照し、通信要求対象のサービスの種別と、第１呼出要求受信部７ｂが受信した既存在無線セルに対する呼出要求の全容量と、第１呼出要求を実行する時間帯とに基づいて、保存期間を決定する。次いで、推定存在無線セル導出部７ｃは、ＲＮＣ７が保存している既存在無線セルのうち、第１呼出要求受信部７ｂが受信した既存在無線セルとは異なる無線セルであって既存在無線セルの保存期間を経過していない無線セルを推定存在無線セルと決定して導出する。一方、推定存在無線セル導出部７ｃは、第１呼出要求受信部７ｂが受信した既存在無線セルのうち、既存在無線セルの保存期間を経過している無線セルについては呼出対象から削除する。このようにして、推定存在無線セル導出部７ｃは、推定存在無線セルを導出し、導出した推定存在無線セルのセル識別情報を第１呼出実行部７ｄに送信する。また、推定存在無線セル導出部７ｃは、既存在無線セルや導出した推定存在無線セルとオーバレイしている無線セルが存在する場合には、オーバレイしている当該無線セルのセル識別情報を第１呼出実行部７ｄに送信するように構成されていてもよい。どの無線セル同士がオーバレイしているのかに関する情報は例えばＲＮＣ７に設けられた所定の記憶部（不図示）に記憶されている。また、推定存在無線セル導出部７ｃは、既存在無線セルから削除すべき無線セルを導出した場合には、当該無線セルのセル識別情報を第１呼出実行部７ｄに送信する。
【００６６】
第１呼出実行部７ｄは、第１呼出要求受信部７ａから送信された既存在無線セルと、推定存在無線セル導出部７ｃから送信された推定存在無線セルとに対して呼び出しを実行するようになっている。また、第１呼出実行部７ｄは、呼び出し対象の当該既存在無線セルにオーバレイしている無線セルと、呼び出し対象の当該推定存在無線セルにオーバレイしている無線セルとに対して呼び出しを実行するようになっていてもよい。第１呼出実行部７ｄが、既存在無線セルとして無線セル９ａ、１１ｂ、１３ａ（図１参照）のセル識別情報を第１呼出要求受信部７ａから受信し、推定存在無線セルとして無線セル１３ｂ（図１参照）のセル識別情報を推定存在無線セル導出部７ｃから受信したとする。この場合、図１に破線矢印で示すように、第１呼出実行部７ｄは、無線セル９ａ、１１ｂ、１３ａ、１３ｂに対して第１呼出要求（例えばページング要求）を実行する。また、第１呼出実行部７ｄは、無線セル１１ｂにオーバレイしている無線セル１５ｂ及び無線セル１３ｂにオーバレイしている無線セル９ｂに対して第１呼出要求を実行してもよい。
【００６７】
呼出応答信号送信部７ｅは、第１呼出実行部７ｄが実行した第１呼出要求に対する通信端末装置からの応答信号を受信すると、当該応答信号を上位ノード（本実施形態ではＳＧＳＮ３）に送信するようになっている。
第２呼出要求受信部７ｆは、ＳＧＳＮ３に設けられた第２呼出要求送信部３ｄが送信した第２呼出要求を受信するようになっている。第２呼出要求は、第１呼出要求送信部３ｂが第１呼出要求を送信してから、呼出応答信号受信部３ｄが第１呼出要求に対する応答信号を所定期間受信しない場合に、ＳＧＳＮ３から送信される要求である。このため、見方を変えると、第２呼出要求は、第１呼出要求受信部７ｂが第１呼出要求を受信してから、呼出応答信号送信部７ｅが応答信号を所定期間送信しない場合に、ＳＧＳＮ３から送信される要求となる。また、第２呼出要求受信部７ｆが受信する第２呼出要求には、第１呼出要求において呼出対象となった位置登録エリアを形成する複数の無線セルのうちの少なくとも既存在無線セルとは異なる無線セルのセル識別情報が含まれる。さらに、第２呼出要求受信部７ｆが受信する第２呼出要求には、第１呼出要求に含まれていたのと同一の端末識別情報が含まれる。
【００６８】
第２呼出実行部７ｇは、第２呼出要求受信部７ｆが受信した第２呼出要求に基づいて、既存在無線セルとは異なる無線セルに対して呼び出しを実行するようになっている。第２呼出実行部７ｇが第２呼出要求を実行する際には、推定存在無線セル導出部７ｃは推定存在無線セルを導出しない。
【００６９】
（ＳＧＳＮ３及びＲＮＣ７を備えた無線通信ネットワークシステム１の動作）
次に、本実施形態による交換機としてのＳＧＳＮ３、無線ネットワーク制御装置としてのＲＮＣ７及びこれらを備えた無線通信ネットワークシステム１の動作について、図１から図５を参照しつつ、図６を用いて説明する。図６は、本実施形態による無線通信ネットワークシステム１の動作の一例を示すシーケンス図である。
図６に示すように、無線通信ネットワークシステム１は、通信端末装置（Ｕｓｅｒ  Ｅｑｕｉｐｍｅｎｔ：ＵＥ）２７の存在する位置登録エリアが変更するたびに、位置登録処理を実行する。
例えば、ＵＥ２７が位置登録エリアのエリア情報が変わったことを認識すると、ＲＮＣ７を介してＳＧＳＮ３に対して位置登録要求を実行する（ステップＳ１）。この位置登録要求には、ＵＥ２７が在圏しているセル識別情報が含まれている。
ＳＧＳＮ３は、この位置登録要求に含まれたセル識別情報をＵＥ２７の端末識別情報に対応付けて無線セル情報保存部３ｅに保存する（ステップＳ３）。また、ＲＮＣ７も同様に、この位置登録要求に含まれたセル識別情報をＵＥ２７の端末識別情報に対応付けて所定の記憶部に記憶する。
【００７０】
また、ＵＥ２７は、ＳＧＳＮ３とのシグナリングコネクションを確立するためにＲＮＣ７を介してコネクション確立信号を送信する（ステップＳ５）。このコネクション確立信号には、ＵＥ２７が在圏しているセル識別情報が含まれている。
ＳＧＳＮ３は、このコネクション確立信号に含まれたセル識別情報をＵＥ２７の端末識別情報に対応付けて無線セル情報保存部３ｅに保存する（ステップＳ７）。また、ＲＮＣ７も同様に、このコネクション確立信号に含まれたセル識別情報をＵＥ２７の端末識別情報に対応付けて所定の記憶部に記憶する。
【００７１】
このように、ＲＮＣ７やＳＧＳＮ３は、位置登録要求信号やコネクション確立信号を受信すると、これらの信号に含まれるＵＥ２７のセル識別情報等を記録するとともに、保存内容を更新する。これにより、例えばＳＧＳＮ３は、無線セル情報保存部３ｅに保存されたＵＥ２７が在圏した無線セルの在圏履歴を保存できる。
なお、位置登録要求信号やコネクション確立信号だけではなく、ＵＥ２７から発信される信号にセル識別情報が含まれていた場合、その情報を記憶部に保存しても良い。
【００７２】
ここで、例えば無線通信ネットワークシステム１に接続された外部装置（不図示）からＵＥ２７に対して音声着信要求があったとする。ＳＧＳＮ３が当該着信要求を受信すると、制御部３ａは、無線セル情報保存部３ｅに対し、ＵＥ２７の端末識別情報及び図３に示す「サービス種別」欄のサービスの種類（本例では音声着信）に対応付けられた既存在無線セルのセル識別情報を第１呼出要求送信部３ｂに送信することを指令する。この指令を受けて無線セル情報保存部３ｅは、ＵＥ２７の端末識別情報に対応付けられた「無線セル情報」欄及び「直前に通信した無線セル情報」欄に、「音声着信」に対応付けて格納された既存在無線セルのセル識別情報を第１呼出要求送信部３ｂに送信する。第１呼出要求送信部３ｂは、着信要求対象のＵＥ２７の端末識別情報と受信した既存在無線セルのセル識別情報とを含む第１呼出要求をＲＮＣ７に送信する（ステップＳ９）。第１呼出要求送信部３ｂが第１呼出要求を送信する際に、制御部３ａは、当該第１呼出要求に対する応答信号を受信するまでの待機時間の計測を開始する。
【００７３】
第１呼出要求を受信したＲＮＣ７は、推定存在無線セルを導出する（ステップＳ１１）。ステップＳ１１において、例えば、制御部７ａは、第１呼出要求に含まれた既存在無線セルのセル識別情報を推定存在無線セル導出部７ｃに送信し、推定存在無線セル導出部７ｃに対して推定存在無線セルの導出を指示する。また、制御部７ａは、当該対象通信端末装置の端末識別情報を第１呼出実行部７ｄに送信し、呼び出し要求の実行を指示する。制御部７ａからの指令を受けると、推定存在無線セル導出部７ｃは、無線セル保存期間決定テーブル７ｈと、既存在無線セルのセル識別情報と、通信要求対象のサービスの種別（本例では音声着信）と、呼出要求残容量（ページング残容量）と、第１呼出要求を実行する時間帯とに基づいて、推定存在無線セルを導出する。推定存在無線セル導出部７ｃは、導出した推定存在無線セルのセル識別情報を第１呼出実行部７ｄに送信する。また、推定存在無線セル導出部７ｃは、既存在無線セルや導出した推定存在無線セルとオーバレイしている無線セルが存在する場合には、オーバレイしている当該無線セルのセル識別情報を第１呼出実行部７ｄに送信してもよい。
【００７４】
第１呼出実行部７ｄは、制御部７ａからＵＥ２７の端末識別情報を受信し、第１呼出要求受信部７ｂから既存在無線セルのセル識別情報を受信し、推定存在無線セル導出部７ｃから推定存在無線セルのセル識別情報を受信し、制御部７ａから第１呼出要求の実行指令を受けたら、当該セル識別情報の既存在無線セル及び推定存在無線セル並びに必要に応じて当該既存在無線セルや当該推定存在無線セルとオーバレイしている無線セルに対して呼び出し要求を実行する（ステップＳ１３）。
【００７５】
ここで、第１呼出要求に含まれた既存在無線セル及び推定存在無線セルにＵＥ２７が存在していなかったとする。この場合、ＲＮＣ７は第１呼出要求に対する応答信号を受信しない。これにより、ＳＧＳＮ３の制御部３ａが計測する時間は所定期間を経過して当該応答信号の待機時間はタイムアウトとなる（ステップＳ１５）。
当該待機時間がタイムアウトになると、ＳＧＳＮ３は、第１呼出要求に失敗した際に行われる第２呼出要求を実行する（ステップＳ１７）。
第２呼出要求送信部３ｄは、第１呼出要求に含まれて位置登録エリアを形成する既存在無線セル以外の無線セルに呼び出し要求を実行することを示す情報を含む第２呼出要求をＲＮＣ７に送信する（ステップＳ１７ａ）。このとき、第２呼出要求には、当該位置登録エリアを形成する無線セルの全てに呼び出し要求を実行することを示す情報が含まれていてもよい。
【００７６】
制御部７ａは、当該位置登録エリアを形成し、既存在無線セルとは異なる無線セルのセル識別情報を取得し、第２呼出実行部７ｇに送信する（ステップＳ１７ｂ）。一方、第２呼出要求に、当該位置登録エリアを形成する無線セルの全てに呼び出し要求を実行することを示す情報が含まれていた場合には、制御部７ａは、当該位置登録エリアを形成する全ての無線セルのセル識別情報を取得し、第２呼出実行部７ｇに送信する。
【００７７】
第２呼出要求の実行指令を受けた第２呼出実行部７ｇは、制御部７ａによって指定された無線セルに対し、第２呼出要求を実行する（ステップＳ１７ｃ）。
当該第２呼出要求に対する応答信号を受信すると、ＳＧＳＮ３は、従来公知の手法により呼接続処理を開始するとともに継続する（ステップＳ１９）。
なお、ＳＧＳＮ３は、待機時間がタイムアウトになる前に、第１呼出要求に対する応答信号を受信したら、従来公知の手法により呼接続処理を開始するとともに継続する（ステップＳ１９）。
【００７８】
以上説明したように、本実施形態による交換機、無線ネットワーク制御装置及びそれらを備えた無線通信ネットワークシステムは、位置登録エリアを形成する全ての無線セルではなく、通信端末装置が存在している可能性が相対的に高い無線セルのみに第１呼出要求（ページング要求）を実行することができる。これにより、本実施形態による交換機、無線ネットワーク制御装置及びそれらを備えた無線通信ネットワークシステムによれば、無線リソースの逼迫やシステム負荷の増加を防止することができる。
【００７９】
また、第１呼出要求に対する応答信号が得られない場合であっても、本実施形態による交換機、無線ネットワーク制御装置及びそれらを備えた無線通信ネットワークシステムは、第１呼出要求の対象となった無線セル以外の無線セルに対して第２呼出要求を実行できる。これにより、本実施形態による交換機、無線ネットワーク制御装置及びそれらを備えた無線通信ネットワークシステムは、従来の無線通信ネットワークシステムと比較して、呼出要求の量が同等以下となる。
【００８０】
また、位置登録エリアを形成する全ての無線セルに第２呼出要求を実行したとしても、本実施形態では、呼出要求を２段階に分け、１回目の呼出要求の量を全ての無線セルに対する呼出要求の量よりも少なくできる。これにより、本実施形態によれば、無線通信ネットワークシステムが所定期間（例えば１日）に実行する呼出要求の量を全体的に低減することができる。このため、本実施形態によれば、位置登録エリアを形成する全ての無線セルに対して第２呼出要求を実行したとしても、無線リソースの逼迫やシステム負荷の増加を防止することができる。
【００８１】
（従来の無線通信ネットワークシステムとの比較）
次に、本実施形態による交換機、無線ネットワーク制御装置及びそれらを備えた無線通信ネットワークシステムと、従来の無線通信ネットワークシステムとの比較について、図７から図１０を用いて説明する。
図７は、本実施形態による無線通信ネットワークシステム１において、第１呼出要求を実行している状態を模式的に示している。図７に示すように、ＲＮＣ７は、位置登録エリア２５を管理する管理ノードである。位置登録エリア２５は、無線セル１９ａ、１９ｂ、１９ｃ、１９ｄ、１９ｅ、１９ｆ、１９ｇ、１９ｈ、１９ｉ（以下、無線セル１９ａ〜１９ｉと称する）と、無線セル２１ａ、２１ｂ、２１ｃ、２１ｄ、２１ｅ、２１ｆ、２１ｇ、２１ｈ、２１ｉ（以下、無線セル２１ａ〜２１ｉと称する）と、無線セル２３ａ、２３ｂ、２３ｃ、２３ｄ、２３ｅ、２３ｆ、２３ｇ、２３ｈ、２３ｉ（以下、無線セル２３ａ〜２３ｉと称する）とで形成されている。無線セル１９ａ〜１９ｉは、不図示のＢＴＳが周波数＃Ａの電波を送信することにより形成された無線セルである。無線セル２１ａ〜２１ｉは、不図示のＢＴＳが周波数＃Ｂの電波を送信することにより形成された無線セルである。無線セル２３ａ〜２３ｉは、不図示のＢＴＳが周波数＃Ｃの電波を送信することにより形成された無線セルである。
【００８２】
無線セル１９ａ、無線セル２１ａ及び無線セル２３ａは、互いにオーバレイしており、無線セル１９ｂ、無線セル２１ｂ及び無線セル２３ｂは、互いにオーバレイしており、無線セル１９ｃ、無線セル２１ｃ及び無線セル２３ｃは、互いにオーバレイしている。無線セル１９ｄ、無線セル２１ｄ及び無線セル２３ｄは、互いにオーバレイしており、無線セル１９ｅ、無線セル２１ｅ及び無線セル２３ｅは、互いにオーバレイしており、無線セル１９ｆ、無線セル２１ｆ及び無線セル２３ｆは、互いにオーバレイしている。無線セル１９ｇ、無線セル２１ｇ及び無線セル２３ｇは、互いにオーバレイしており、無線セル１９ｈ、無線セル２１ｈ及び無線セル２３ｈは、互いにオーバレイしており、無線セル１９ｉ、無線セル２１ｉ及び無線セル２３ｉは、互いにオーバレイしている。
【００８３】
ここで、交換機としてのＳＧＳＮ３（図７では不図示）は、対象通信端末装置（不図示）が直前に通信していた無線セル１９ｈと、無線セル１９ｈよりも前に当該対象通信端末装置が通信していた無線セル１９ｉ、２３ｃ、２３ｉとを既存在無線セルであると決定したとする。また、ＲＮＣ７は、推定存在無線セルとして無線セル２１ｂ、２３ｇを導出したとする。このため、図７に破線矢印で示すように本例では、ＲＮＣ７は、無線セル１９ｈ、１９ｉ、２１ｂ、２３ｃ、２３ｇ、２３ｉ及びこれらの無線セルとオーバレイしている無線セル２１ｈ、２３ｈ、２１ｉ、１９ｂ、２３ｂ、１９ｃ、２１ｃ、１９ｇ、２１ｇに対して第１呼出要求を実行する。当該第１呼出要求は、位置登録エリア２５を形成する２７個の無線セルのうちの１８個に対して実行されている。このため、本実施形態による第１呼出要求の量は、２７個全ての無線セルに呼出要求を実行した場合の約６７％（＝（１８／２７）×１００）となる。これにより、ＲＮＣ７と位置登録エリア２５との間の無線リソースの一部（本例では約３３％）が解放されるので、ＲＮＣ７との間で通信が可能になる。さらに、本実施形態によれば、呼出要求の量が低減するので、システム負荷の増加を防止できる。
【００８４】
図８は、従来の無線通信ネットワークシステムにおける呼出要求を模式的に示している。図８に示すように、位置登録エリア１０１は、無線セル１０５ａ、１０５ｂ、１０５ｃ、１０５ｄによって形成され、位置登録エリア１０３は、無線セル１０７ａ、１０７ｂ、１０７ｃ、１０７ｄによって形成されている。
例えば、移動通信端末装置１０９が無線セル１０５ｂに在圏している場合には、図８の図中破線矢印で示すように、従来の無線通信ネットワークシステムは、無線セル１０５ｂの他に位置登録エリア１０１を形成する無線セル１０５ａ、１０５ｃ、１０５ｄにも呼出要求を実行する。
このように、従来の無線通信ネットワークシステムは、呼出要求の量が１００％となる。これにより、ＲＮＣ（不図示）と位置登録エリア１０５との間の無線リソースが解放されず、無線リソースが逼迫してしまう。さらに、従来の無線通信ネットワークシステムでは、呼出要求の量が大きくなるので、システム負荷が増加してしまう。
【００８５】
図９は、従来の他の無線通信ネットワークシステムにおける呼出要求を模式的に示している。図９に示すように、本例における従来の無線通信ネットワークシステムは、図８に示す従来の無線通信ネットワークシステムと比較して、位置登録エリアの面積が小さくなっている。位置登録エリア１１１は、無線セル１１７ａ、１１７ｂ、１１７ｃによって形成され、位置登録エリア１１３は、無線セル１１９ａ、１１９ｂ、１１９ｃによって形成され、位置登録エリア１１５は、無線セル１２１ａ、１２１ｂ、１２１ｃによって形成されている。
例えば、移動通信端末装置１０９が無線セル１１７ｂに在圏している場合には、図９の図中破線矢印で示すように、従来の無線通信ネットワークシステムは、無線セル１１７ｂの他に位置登録エリア１１１を形成する無線セル１１７ａ、１１７ｃにも呼出要求を実行する。
【００８６】
このように、従来の無線通信ネットワークシステムは、呼出要求の量が１００％となる。これにより、ＲＮＣ（不図示）と位置登録エリア１０５との間の無線リソースが解放されず、無線リソースが逼迫してしまう。また、本例における従来の無線通信ネットワークシステムは、図８に示す無線通信ネットワークシステムと比較して、位置登録エリアの面積が小さくなっているので、呼出要求の量の絶対値は小さくなっている。しかしながら、移動通信端末装置１０９が位置登録エリアを跨って移動する確率が高くなる。このため、本例における従来の無線通信ネットワークシステムは、図８に示す無線通信ネットワークシステムと比較して、システム負荷の低減に劇的な効果は得られない。
【００８７】
図１０は、従来のさらに他の無線通信ネットワークシステムにおける呼出要求を模式的に示している。図１０に示すように、本例における従来の無線通信ネットワークシステムでは、位置登録エリア１２７が２つのＲＮＣ１２３、１２５によって管理されている。また、本例における従来の無線通信ネットワークシステムは、周波数の異なる無線セルがオーバレイしている構成を有している。
【００８８】
図１０に示すように、位置登録エリア１２７は、無線セル１２９ａ、１２９ｂ、１２９ｃ、１２９ｄ、１２９ｅ、１２９ｆ、１２９ｇ、１２９ｈと、無線セル１３１ａ、１３１ｂ、１３１ｃ、１３１ｄ、１３１ｅ、１３１ｆ、１３１ｇ、１３１ｈとによって形成されている。無線セル１２９ａ、１２９ｂ、１２９ｃ、１２９ｄ及び無線セル１３１ａ、１３１ｂ、１３１ｃ、１３１ｄは、不図示のＢＴＳが周波数＃Ａの電波を送信することにより形成された無線セルである。無線セル１２９ｅ、１２９ｆ、１２９ｇ、１２９ｈと、無線セル１３１ｅ、１３１ｆ、１３１ｇ、１３１ｈは、不図示のＢＴＳが周波数＃Ｂの電波を送信することにより形成された無線セルである。無線セル１２９ａと無線セル１２９ｅとがオーバレイしており、無線セル１２９ｂと無線セル１２９ｆとがオーバレイしており、無線セル１２９ｃと無線セル１２９ｇとがオーバレイしており、無線セル１２９ｄと無線セル１２９ｈとがオーバレイしている。無線セル１３１ａと無線セル１３１ｅとがオーバレイしており、無線セル１３１ｂと無線セル１３１ｆとがオーバレイしており、無線セル１３１ｃと無線セル１３１ｇとがオーバレイしており、無線セル１３１ｄと無線セル１３１ｈとがオーバレイしている。
【００８９】
例えば、移動通信端末装置１０９が周波数＃Ａの待ち受け状態で無線セル１２９ｄに在圏している場合には、図１０の図中破線矢印で示すように、従来の無線通信ネットワークシステムは、無線セル１２９ｄと同じ周波数帯の無線セル１２９ａ、１２９ｂ、１２９ｃ、１３１ａ、１３１ｂ、１３１ｃ、１３１ｄのみでなく、周波数帯の異なる無線エリア１２９ｅ、１２９ｆ、１２９ｇ、１２９ｈ、１３１ｅ、１３１ｆ、１３１ｇ、１３１ｈにも呼出要求を実行する。
このように、従来の無線通信ネットワークシステムは、呼出要求の量が１００％となる。これにより、ＲＮＣ（不図示）と位置登録エリア１２７との間の無線リソースが解放されず、無線リソースの逼迫やシステム負荷の増加を防止できない。
これに対し、本実施形態による無線通信ネットワークシステム１は、位置登録エリアを形成する一部の無線セルのみに第１呼出要求を実行するので、呼出要求の量が低減され、ＲＮＣ７と位置登録エリア２５との間の無線リソースを確保し、かつシステム負荷の増加を防止できる。
【００９０】
（変形例１）
（変形例１による無線ネットワーク制御装置の概略構成）
次に、本実施形態の変形例１による無線ネットワーク制御装置について図１１及び図１２を用いて説明する。本変形例による無線ネットワーク制御装置は、図４に示すＲＮＣ７とほぼ同様の構成を有し、同様の機能を発揮するので、異なる点のみを簡述する。図１１は、本変形例による無線ネットワーク制御装置としてのＲＮＣ３７の概略構成であって、交換機から受信した第１呼出要求に関連するＲＮＣ３７の機能ブロック図である。
【００９１】
図１１に示すように、ＲＮＣ３７は、制御部３７ａと、第１呼出要求受信部３７ｂと、推定存在無線セル導出部３７ｃと、第１呼出実行部３７ｄと、呼出応答信号送信部３７ｅと、第２呼出要求受信部３７ｆと、第２呼出実行部３７ｇと、無線セル相対位置関係記憶部３７ｈと、バスライン３７ｉとを有している。第１呼出要求受信部３７ｂは、第１呼出要求受信部７ｂと同様の構成を有し、同様の機能を発揮するようになっており、第１呼出実行部３７ｄは、第１呼出実行部７ｄと同様の構成を有し、同様の機能を発揮するようになっており、呼出応答信号送信部３７ｅは、呼出応答信号送信部７ｅと同様の構成を有し、同様の機能を発揮するようになっているので、説明は省略する。また、第２呼出要求受信部３７ｆは、第２呼出要求受信部７ｆと同様の構成を有し、同様の機能を発揮するようになっており、第２呼出実行部３７ｇは、第２呼出実行部７ｇと同様の構成を有し、同様の機能を発揮するようになっており、バスライン３７ｉは、バスライン７ｉと同様の構成を有し、同様の機能を発揮するようになっているので、説明は省略する。
【００９２】
制御部３７ａは、バスライン３７ｉを介して無線セル相対位置関係記憶部３７ｈに所定の制御信号を送信する点を除いて、制御部７ａと同様の構成を有し、同様の機能を発揮するようになっているので、説明は省略する。
無線セル相対位置関係記憶部３７ｈは、位置登録エリアを形成する複数の無線セル同士の相対位置関係を記憶している。無線セル相対位置関係記憶部３７ｈは、無線セルのセル識別情報を用いて当該相対位置関係を記憶している。無線セル相対位置関係記憶部３７ｈは、例えば一の無線セルと隣り合う無線セルのセル識別情報の他に、一の無線セルから所定距離内に存在する無線セルのセル識別情報、あるいは一の無線セルとオーバレイしている無線セルのセル識別情報を記憶している。
推定存在無線セル導出部３７ｃは、無線セル相対位置関係記憶部３７ｈに記憶された無線セルの相対位置関係に基づいて、既存在無線セルと隣り合う無線セル、既存在無線セルから所定距離内の無線セル及び既存在無線セルとオーバレイしている無線セルの少なくともいずれかの無線セルを推定存在無線セルとして導出するようになっている。
【００９３】
図１２は、本変形例による無線通信ネットワークシステムにおいて、第１呼出要求を実行している状態を模式的に示している。図１２に示す位置登録エリア２５及び無線セル１９ａ〜１９ｉ、２１ａ〜２１ｉ、２３ａ〜２３ｉの構成は、図７に示す位置登録エリア２５及び無線セル１９ａ〜１９ｉ、２１ａ〜２１ｉ、２３ａ〜２３ｉの構成と同様であるため、説明は省略する。
ここで、交換機（図１２では不図示）が、対象通信端末装置（不図示）が直前に通信していた無線セル１９ｈと、無線セル１９ｈよりも前に当該対象通信端末装置が通信していた無線セル２３ｂ、２３ｉとを既存在無線セルと決定したとする。
【００９４】
ＲＮＣ３７が、当該交換機から既存在無線セル１９ｈ、２３ｂ、２３ｉのセル識別情報を受信すると、推定存在無線セル導出部３７ｃは、既存在無線セル１９ｈ、２３ｂ、２３ｉのセル識別情報と例えば隣り合う無線セルのセル識別情報を取得し、取得したセル識別情報の無線セルを推定存在無線セルとして導出する。このため、図１２に示すように、既存在無線セル１９ｈと隣り合う無線セル１９ｇ、１９ｉと、無線セル２３ｂと隣り合う無線セル２３ａ、２３ｃと、無線セル２３ｉと隣り合う無線セル２３ｈとが推定存在無線セルとして導出される。さらに、既存在無線セル１９ｈ及び推定存在無線セル２３ｈとオーバレイしている無線セル２１ｈと、既存在無線セル２３ｂとオーバレイしている無線セル１９ｂ、２１ｂと、既存在無線セル２３ｉ及び推定存在無線セル１９ｉとオーバレイしている無線セル２１ｉと、推定存在無線セル２３ａとオーバレイしている無線セル１９ａ、２１ａと、推定存在無線セル２３ｃとオーバレイしている無線セル１９ｃ、２１ｃと、推定存在無線セル１９ｇとオーバレイしている無線セル２１ｇ、２３ｇとが推定存在無線セルとして導出される。
これにより、図１２の図中破線矢印で示すように、ＲＮＣ３７の第１呼出実行部３７ｄは、無線セル１９ａ、１９ｂ、１９ｃ、１９ｇ、１９ｈ、１９ｉ、２１ａ、２１ｂ、２１ｃ、２１ｇ、２１ｈ、２１ｉ、２３ａ、２３ｂ、２３ｃ、２３ｇ、２３ｈ、２３ｉに対して第１呼出要求を実行する。
【００９５】
本変形例による交換機、無線ネットワーク制御装置及びそれらを備えた無線通信ネットワークシステムの動作は、図６に示すシーケンス図のステップＳ１１において、無線セル保存期間決定テーブルではなく無線セル相対位置関係記憶部３７ｈに記憶された情報を用いて推定存在無線セルを導出する点を除いて、上記実施形態による交換機としてのＳＧＳＮ３、無線ネットワーク制御装置としてのＲＮＣ７及びそれらを備えた無線通信ネットワークシステム１の動作と同様であるため、説明は省略する。
【００９６】
本変形例によるＲＮＣ３７は、無線セル保存期間決定テーブルを有していないが、無線セル保存期間決定テーブルを有していてももちろんよい。この場合、推定存在無線セル導出部３７ｃは、無線セル保存期間決定テーブルと無線セル相対位置関係記憶部３７ｈとを用いて推定存在無線セルを導出したり、必要に応じて無線セル保存期間決定テーブル及び無線セル相対位置関係記憶部３７ｈのいずれか一方を用いて推定存在無線セルを導出したりしてもよい。
【００９７】
以上説明したように、本変形例による交換機、無線ネットワーク制御装置及びそれらを備えた無線通信ネットワークシステムによれば、位置登録エリアを形成する複数の無線セルのうち、通信端末装置が存在していると可能性が相対的に高い無線セルに対して選択的に呼出要求を実行できる。これにより、本変形例によれば、上記実施形態による交換機、無線ネットワーク制御装置及びそれらを備えた無線通信ネットワークシステムと同様の効果が得られる。
【００９８】
（変形例２）
次に、本実施形態の変形例２による交換機、無線ネットワーク制御装置及びそれらを備えた無線通信ネットワークシステムについて図１３を用いて説明する。図１３は、本変形例による交換機としてのＳＧＳＮ３及び無線ネットワーク制御装置としてのＲＮＣ７の呼び出し要求の機能に関連する機能ブロック図である。なお、本変形例による無線通信ネットワークシステムの全体構成は、図１に示す上記実施形態による無線通信ネットワークシステム１と同様であるため、その説明は省略する。
【００９９】
図１３に示すように、本変形例による無線通信ネットワークシステムは、呼び出し要求の機能に関連する構成として推定存在無線セル導出部及び無線セル保存期間決定テーブルが無線ネットワーク制御装置ではなく、交換機に設けられている点に特徴を有している。すなわち、本変形例による交換機としてのＳＧＳＮ３は、呼び出し要求の機能に関連する構成として、制御部３ａ、第１及び第２呼出要求送信部３ｂ、３ｄ、呼出応答信号受信部３ｃ並びに無線セル情報保存部３ｅに加えて、推定存在無線セル導出部７ｃ及び無線セル保存期間決定テーブル７ｈを有している。一方、本変形例による無線ネットワーク制御装置としのＲＮＣ７は、呼び出し要求の機能に関連する構成として、制御部７ａ、第１及び第２呼出要求受信部７ｂ、７ｆ、第１及び第２呼出実行部７ｄ、７ｇ並びに呼出応答信号送信部７ｅとを有しており、推定存在無線セル導出部及び無線セル保存期間決定テーブルを有していない。
【０１００】
制御部３ａは、バスライン３ｆを介して推定存在無線セル導出部７ｃに所定の制御信号を送信する点を除いて、図３に示す制御部３ａと同様の構成を有し、同様の機能を発揮するようになっている。
第１呼出要求送信部３ｂは、第１呼出要求に推定存在無線セル導出部７ｃが導出した推定存在無線セルのセル識別情報を含める点を除いて、図２に示す第１呼出要求送信部３ｂと同様の構成を有し、同様の機能を発揮するようになっている。
【０１０１】
第１呼出要求受信部７ｂは、推定存在無線セル導出部７ｃが導出した推定存在無線セルのセル識別情報を含む第１呼出要求を受信する点を除いて、図４に示す第１呼出要求受信部７ｂと同様の構成を有し、同様の機能を発揮するようになっている。
制御部７ａは、推定存在無線セル導出部７ｃに所定の制御信号を送信しない点を除いて、図４に示す制御部７ａと同様の構成を有し、同様の機能を発揮するようになっている。
【０１０２】
第２呼出要求送信部３ｄ、呼出応答信号受信部３ｃ、無線セル情報保存部３ｅ、推定存在無線セル導出部７ｃ、無線セル保存期間決定テーブル７ｈ、第２呼出要求受信部７ｆ、第１及び第２呼出実行部７ｄ、７ｇ、呼出応答信号送信部７ｅの各機能は、図２及び図４を用いて説明したこれらの構成要素と同様の構成を有し、同様の機能を発揮するようになっているため説明は省略する。
【０１０３】
次に、本形例による交換機及び無線ネットワーク制御装置の動作について説明する。
本変形例によるＳＧＳＮ３が、無線通信ネットワークシステムに接続された外部装置（不図示）から、通信要求対象である対象通信端末装置の端末識別情報を含む通信要求（例えば音声着信）を受信すると、制御部３ａは、無線セル情報保存部３ｅに対し、当該対象通信端末装置の端末識別情報及び図３に示す「サービス種別」欄のサービスの種類（本例では音声着信）に対応付けられた既存在無線セルのセル識別情報を第１呼出要求送信部３ｂに送信することを指令する。また、制御部３ａは、無線セル情報保存部３ｅに対し、当該端末識別情報及び当該サービスの種類（本例では音声着信）に対応付けられた既存在無線セルのセル識別情報を推定存在無線セル導出部７ｃに送信することを指令する。さらに、制御部３ａは、推定存在無線セル導出部７ｃに対し、無線セル情報保存部３ｅから受信した既存在無線セルのセル識別情報に基づいて推定存在無線セルの導出を指令する。
【０１０４】
この指令を受けて無線セル情報保存部３ｅは、当該対象通信端末装置の端末識別情報に対応付けられた「無線セル情報」欄及び「直前に通信した無線セル情報」欄に、「音声着信」に対応付けて格納された既存在無線セルのセル識別情報（図３参照）を第１呼出要求送信部３ｂ及び推定存在無線セル導出部７ｃに送信する。
また、この指令を受けて推定存在無線セル導出部７ｃは、無線セル保存期間決定テーブル７ｈと、既存在無線セルのセル識別情報と、通信要求対象のサービスの種類（本例では音声着信）と、呼出要求残容量（ページング残容量）と、第１呼出要求を実行する時間帯とに基づいて（図５参照）、推定存在無線セルを導出する。推定存在無線セル導出部７ｃは、導出した推定存在無線セルのセル識別情報を第１呼出要求送信部３ｂに送信する。また、推定存在無線セル導出部７ｃは、既存在無線セルや導出した推定存在無線セルとオーバレイしている無線セルが存在する場合には、オーバレイしている当該無線セルのセル識別情報を第１呼出要求送信部３ｂに送信してもよい。本変形例では、どの無線セル同士がオーバレイしているのかに関する情報はＳＧＳＮ３に設けられた所定の記憶部（不図示）に記憶されている。
【０１０５】
第１呼出要求送信部３ｂは、当該対象通信端末装置の端末識別情報と、受信した既存在無線セルのセル識別情報と、推定存在無線セルのセル識別情報と、必要に応じてオーバレイしている無線セルのセル識別情報とを含む第１呼出要求をＲＮＣ７に送信する。第１呼出要求は、当該対象通信端末装置の端末識別情報と、当該既存在無線セルのセル識別情報と、当該推定存在無線セルのセル識別情報とを含み、当該既存在無線セル及び当該推定存在無線セルのみに対する呼び出し要求であってもよい。第１呼出要求送信部３ｂが第１呼出要求を送信する際に、制御部３ａは、当該第１呼出要求に対する応答信号を受信するまでの待機時間の計測を開始する。
【０１０６】
ＲＮＣ７の第１呼出要求受信部７ｂが第１呼出要求を受信すると、ＲＮＣ７の制御部７ａは、第１呼出要求受信部７ｂに対し、第１呼出要求に含まれた既存在無線セル、推定存在無線セル及びオーバレイしている無線セルのそれぞれのセル識別情報を第１呼出実行部７ｄに送信することを指令する。
この指令を受けて第１呼出要求受信部７ｂは当該セル識別情報を第１呼出実行部７ｄに送信する。
【０１０７】
第１呼出実行部７ｄは、制御部７ａから当該対象通信端末装置の端末識別情報を受信し、第１呼出要求受信部７ｂから当該セル識別情報を受信し、制御部７ａから第１呼出要求の実行指令を受けたら、当該セル識別情報の既存在無線セル及び推定存在無線セル並びに当該既存在無線セルや当該推定存在無線セルとオーバレイしている無線セルに対して呼び出し要求を実行する。
第１呼出実行部７ｄが呼び出し要求を実行した後のＳＧＳＮ３及びＲＮＣ７の各動作は、図１から図６を用いて説明した上記実施形態によるＳＧＳＮ３及びＲＮＣ７の動作と同様であるため、説明は省略する。
【０１０８】
以上説明したように、本変形例による無線通信ネットワークシステムは、推定存在無線セル導出部及び無線セル保存期間決定テーブルを交換機側に有している。このため、本変形例による無線通信ネットワークシステムは、無線ネットワーク制御装置側に無線セル保存期間決定テーブルなどの無線セルに関する情報を記憶する記憶部を設ける必要がない。このため、本変形例による無線通信ネットワークシステムによれば、従来の無線ネットワーク制御装置に大幅な改良を加えずに、交換機に改良を加えるだけで、上記実施形態による無線通信ネットワークシステム１と同様の効果が得られる。
【０１０９】
（変形例３）
次に、本実施形態の変形例３による交換機、無線ネットワーク制御装置及びそれらを備えた無線通信ネットワークシステムについて図１４を用いて説明する。図１４は、本変形例による交換機としてのＳＧＳＮ３及び無線ネットワーク制御装置としてのＲＮＣ３７の呼び出し要求の機能に関連する機能ブロック図である。なお、本変形例による無線通信ネットワークシステムの全体構成は、図１に示す上記実施形態による無線通信ネットワークシステム１と同様であるため、その説明は省略する。
【０１１０】
図１４に示すように、本変形例による無線通信ネットワークシステムは、呼び出し要求の機能に関連する構成として推定存在無線セル導出部及び無線セル相対位置関係記憶部が無線ネットワーク制御装置ではなく、交換機に設けられている点に特徴を有している。すなわち、本変形例による交換機としてのＳＧＳＮ３は、呼び出し要求の機能に関連する構成として、制御部３ａ、第１及び第２呼出要求送信部３ｂ、３ｄ、呼出応答信号受信部３ｃ並びに無線セル情報保存部３ｅに加えて、推定存在無線セル導出部３７ｃ及び無線セル相対位置関係記憶部３７ｈを有している。一方、本変形例による無線ネットワーク制御装置としのＲＮＣ３７は、呼び出し要求の機能に関連する構成として、制御部３７ａ、第１及び第２呼出要求受信部３７ｂ、３７ｆ、第１及び第２呼出実行部３７ｄ、３７ｇ並びに呼出応答信号送信部３７ｅとを有しており、推定存在無線セル導出部及び無線セル相対位置関係記憶部を有していない。
【０１１１】
制御部３ａは、バスライン３ｆを介して推定存在無線セル導出部３７ｃに所定の制御信号を送信する点を除いて、図３に示す制御部３ａと同様の構成を有し、同様の機能を発揮するようになっている。
第１呼出要求送信部３ｂは、推定存在無線セル導出部３７ｃが導出した推定存在無線セルのセル識別情報を第１呼出要求に含める点を除いて、図２に示す第１呼出要求送信部３ｂと同様の構成を有し、同様の機能を発揮するようになっている。
【０１１２】
第１呼出要求受信部３７ｂは、推定存在無線セル導出部３７ｃが導出した推定存在無線セルのセル識別情報を含む第１呼出要求を受信する点を除いて、図１１に示す第１呼出要求受信部３７ｂと同様の構成を有し、同様の機能を発揮するようになっている。
制御部３７ａは、推定存在無線セル導出部３７ｃに所定の制御信号を送信しない点を除いて、図１１に示す制御部３７ａと同様の構成を有し、同様の機能を発揮するようになっている。
制御部３ａ、第２呼出要求送信部３ｄ、呼出応答信号受信部３ｃ、無線セル情報保存部３ｅ、推定存在無線セル導出部３７ｃ、無線セル相対位置関係記憶部３７ｈ、第２呼出要求受信部３７ｆ、第１及び第２呼出実行部３７ｄ、３７ｇ、呼出応答信号送信部３７ｅの各機能は、図２及び図１１を用いて説明したこれらの構成要素と同様の構成を有し、同様の機能を発揮するようになっているため説明は省略する。
【０１１３】
次に、本形例による交換機及び無線ネットワーク制御装置の動作について説明する。
本変形例によるＳＧＳＮ３が、無線通信ネットワークシステムに接続された外部装置（不図示）から、通信要求対象である対象通信端末装置の端末識別情報を含む通信要求（例えば音声着信）を受信すると、制御部３ａは、無線セル情報保存部３ｅに対し、当該対象通信端末装置の端末識別情報及び図３に示す「サービス種別」欄のサービスの種類（本例では音声着信）に対応付けられた既存在無線セルのセル識別情報を第１呼出要求送信部３ｂに送信することを指令する。また、制御部３ａは、無線セル情報保存部３ｅに対し、当該端末識別情報及び当該サービスの種類（本例では音声着信）に対応付けられた既存在無線セルのセル識別情報を推定存在無線セル導出部３７ｃに送信することを指令する。さらに、制御部３ａは、推定存在無線セル導出部３７ｃに対し、無線セル情報保存部３ｅから受信した既存在無線セルのセル識別情報に基づいて推定存在無線セルの導出を指令する。
【０１１４】
この指令を受けて無線セル情報保存部３ｅは、当該対象通信端末装置の端末識別情報に対応付けられた「無線セル情報」欄及び「直前に通信した無線セル情報」欄に、「音声着信」に対応付けて格納された既存在無線セルのセル識別情報を第１呼出要求送信部３ｂ及び推定存在無線セル導出部３７ｃに送信する。
また、この指令を受けて推定存在無線セル導出部３７ｃは、無線セル相対位置関係記憶部３７ｈに記憶された無線セルの相対位置関係に基づいて、既存在無線セルと隣り合う無線セル、既存在無線セルから所定距離内の無線セル及び既存在無線セルとオーバレイしている無線セルの少なくともいずれかの無線セルを推定存在無線セルとして導出する。推定存在無線セル導出部３７ｃは、導出した推定存在無線セルのセル識別情報を第１呼出要求送信部３ｂに送信する。
【０１１５】
第１呼出要求送信部３ｂは、当該対象通信端末装置の端末識別情報と、受信した既存在無線セルのセル識別情報と、推定存在無線セル導出部３７ｃが導出した推定存在無線セルのセル識別情報とを含み、当該既存在無線セル及び当該推定存在無線セルのみに対する呼び出し要求である第１呼出要求をＲＮＣ３７に送信する。第１呼出要求送信部３ｂが第１呼出要求を送信する際に、制御部３ａは、当該第１呼出要求に対する応答信号を受信するまでの待機時間の計測を開始する。
【０１１６】
ＲＮＣ３７の第１呼出要求受信部３７ｂが第１呼出要求を受信すると、ＲＮＣ３７の制御部３７ａは、第１呼出要求受信部３７ｂに対し、第１呼出要求に含まれた既存在無線セル及び推定存在無線セルのそれぞれのセル識別情報を第１呼出実行部３７ｄに送信することを指令する。
この指令を受けて第１呼出要求受信部３７ｂは当該セル識別情報を第１呼出実行部３７ｄに送信する。
第１呼出実行部３７ｄは、制御部３７ａから対象通信端末装置の端末識別情報を受信し、第１呼出要求受信部３７ｂから当該セル識別情報を受信し、制御部３７ａから第１呼出要求の実行指令を受けたら、当該セル識別情報の既存在無線セル及び推定存在無線セルに対して呼び出し要求を実行する。
第１呼出実行部３７ｄが呼び出し要求を実行した後のＳＧＳＮ３及びＲＮＣ３７の各動作は、図１から図６を用いて説明した上記実施形態によるＳＧＳＮ３及びＲＮＣ７の動作と同様であるため、説明は省略する。
【０１１７】
本変形例によるＳＧＳＮ３は、無線セル保存期間決定テーブルを有していないが、無線セル保存期間決定テーブルを有していてももちろんよい。この場合、推定存在無線セル導出部３７ｃは、無線セル保存期間決定テーブルと無線セル相対位置関係記憶部３７ｈとを用いて推定存在無線セルを導出したり、必要に応じて無線セル保存期間決定テーブル及び無線セル相対位置関係記憶部３７ｈのいずれか一方を用いて推定存在無線セルを導出したりしてもよい。
【０１１８】
以上説明したように、本変形例による無線通信ネットワークシステムは、推定存在無線セル導出部３７ｃ及び無線セル相対位置関係記憶部３７ｈを有している。このため、本変形例による無線通信ネットワークシステムは、無線ネットワーク制御装置側に無線セル保存期間決定テーブルなどの無線セルに関する情報を記憶する記憶部を設ける必要がない。このため、本変形例による無線通信ネットワークシステムによれば、従来の無線ネットワーク制御装置に大幅な改良を加えずに、交換機に改良を加えるだけで、上記実施形態による無線通信ネットワークシステム１及び上記変形例１による無線通信ネットワークシステムと同様の効果が得られる。
【０１１９】
〔第２の実施形態〕
（無線通信ネットワークシステムの概略構成）
本発明の第２の実施形態による交換機、無線ネットワーク制御装置及びそれらを備えた無線通信ネットワークシステムについて図１５から図１７を用いて説明する。
図１５は、本実施形態による無線通信ネットワークシステム２の概略構成を示すブロック図である。なお、図１５には、後述する無線通信ネットワークシステムの動作シーケンス図に記載されたステップ番号の一部（例えばステップＳ１０９など）が併せて図示されている。図１５に示すように、無線通信ネットワークシステム２は、ＳＧＳＮ３と、ＲＮＣ４７と、ＲＮＣ４９と、不図示のＨＬＲ、ＧＧＳＮ、ＭＳＣ、ＶＬＲ及びＧＭＳＣと、複数のＢＴＳ３３、３５、３９、４３、４５、５３、５５とを有している。ＳＧＳＮ３は本実施形態による交換機に相当し、ＲＮＣ４７は本実施形態による無線ネットワーク制御装置に相当し、ＲＮＣ４９は他の無線ネットワーク制御装置に相当する。なお、本実施形態におけるＳＧＳＮ３は、上記第１実施形態におけるＳＧＳＮ３と同様の構成を有し、同様の機能を発揮するようになっているため、説明は省略する。
【０１２０】
ＲＮＣ４７は、ＢＴＳ３３、３５、３９及びＢＴＳ３３、３５、３９が形成する無線セル内に設けられた不図示のＢＴＳ（詳細は後述）に対応して設けられており、ＢＴＳ３３、３５、３９及びＢＴＳ３３、３５、３９が形成する無線セルに存在（在圏）している通信端末装置の無線通信に関する処理を行う。具体的には、ＲＮＣ４７は、当該通信端末装置の回線接続処理や通話時のハンドオーバー処理等を行う。また、ＲＮＣ４７は、自機に対応付けられたＢＴＳ（本例では、ＢＴＳ３３、３５、３９及びＢＴＳ３３、３５、３９が形成する無線セル内に設けられた不図示のＢＴＳ）のセル識別情報（例えばセル識別子）と、ＢＴＳ３３、３５、３９等が形成する無線セルに在圏している通信端末装置の端末識別情報（例えば、端末識別子やＭＳＩＳＤＮなど）とを対応付けて記憶している。
【０１２１】
また、ＲＮＣ４７は、上記機能の他に、無線リソースの逼迫やシステム負荷の増加を防止するために、ＳＧＳＮ３から受信した第１呼出要求の対象の既存在無線セルに基づいて、対象通信端末装置が存在していると推定される推定存在無線セルを導出し、当該既存在無線セル及び当該推定存在無線セルに呼び出し要求（例えばページング要求）を実行する機能を有している。当該機能を発揮するためにＲＮＣ４７が有している構成については後述する。
【０１２２】
ＢＴＳ３３は、上記第１実施形態におけるＢＴＳ９と同様の構成を有し、同様の機能を発揮するようになっている。また、ＢＴＳ３３が形成する無線セルの中に形成された６つの無線セル３３ａ、３３ｂ、３３ｃ、３３ｄ、３３ｅ、３３ｆ（以下、「無線セル３３ａ〜３３ｆ」と称する場合がある）は、上記第１実施形態における無線セル９ａ、９ｂ、９ｃ、９ｄ、９ｅ、９ｆと同様の構成を有し、同様の機能を発揮するようになっている。
【０１２３】
ＢＴＳ３５も同様に、上記第１実施形態におけるＢＴＳ９と同様の構成を有し、同様の機能を発揮するようになっている。また、ＢＴＳ３５が形成する無線セルの中に形成された６つの無線セル３５ａ、３５ｂ、３５ｃ、３５ｄ、３５ｅ、３５ｆ（以下、「無線セル３５ａ〜３５ｆ」と称する場合がある）は、上記第１実施形態における無線セル９ａ、９ｂ、９ｃ、９ｄ、９ｅ、９ｆと同様の構成を有し、同様の機能を発揮するようになっている。
【０１２４】
ＢＴＳ３９も同様に、上記第１実施形態におけるＢＴＳ９と同様の構成を有し、同様の機能を発揮するようになっている。また、ＢＴＳ３９が形成する無線セルの中に形成された６つの無線セル３９ａ、３９ｂ、３９ｃ、３９ｄ、３９ｅ、３９ｆ（以下、「無線セル３９ａ〜３９ｆ」と称する場合がある）は、上記第１実施形態における無線セル９ａ、９ｂ、９ｃ、９ｄ、９ｅ、９ｆと同様の構成を有し、同様の機能を発揮するようになっている。
【０１２５】
ＢＴＳ３３、３５、３９が形成する無線セル及び無線セル３３ａ〜３３ｆ、３５ａ〜３５ｆ、３９ａ〜３９ｆによって位置登録エリア３１が形成されている。ＲＮＣ４７は、下位ノードであるＢＴＳ３３、３５、３９及び無線セル３３ａ〜３３ｆ、３５ａ〜３５ｆ、３９ａ〜３９ｆをそれぞれ形成するＢＴＳを管理することにより、位置登録エリア３１を間接的に管理している。すなわち、ＲＮＣ４７は、位置登録エリア３１を管理する管理ノードに相当する。
【０１２６】
ＲＮＣ４９は、ＢＴＳ４３、４５、５１、５３、５５（以下、「ＢＴＳ４３〜５５」と称する場合がある）及びＢＴＳ４３〜５５が形成する無線セル内に設けられた不図示のＢＴＳ（詳細は後述）に対応して設けられており、ＢＴＳ４３〜５５及びＢＴＳ４３〜５５が形成する無線セルに存在（在圏）している通信端末装置の無線通信に関する処理を行う。具体的には、ＲＮＣ４９は、当該通信端末装置の回線接続処理や通話時のハンドオーバー処理等を行う。また、ＲＮＣ４９は、自機に対応付けられたＢＴＳ（本例では、ＢＴＳ４３〜５５及びＢＴＳ４３〜５５が形成する無線セル内に設けられた不図示のＢＴＳ）のセル識別情報（例えばセル識別子）と、ＢＴＳ４３〜５５等が形成する無線セルに在圏している通信端末装置の端末識別情報（例えば、端末識別子やＭＳＩＳＤＮなど）とを対応付けて記憶している。
【０１２７】
また、ＲＮＣ４９は、上記機能の他に、無線リソースの逼迫やシステム負荷の増加を防止するために、ＳＧＳＮ３から受信した第１呼出要求の対象の既存在無線セルに基づいて、対象通信端末装置が存在していると推定される推定存在無線セルを導出し、当該既存在無線セル及び当該推定存在無線セルに呼び出し要求（例えばページング要求）を実行する機能を有している。
ＢＴＳ４３は、上記第１実施形態におけるＢＴＳ９と同様の構成を有し、同様の機能を発揮するようになっている。また、ＢＴＳ４３が形成する無線セルの中に形成された６つの無線セル４３ａ、４３ｂ、４３ｃ、４３ｄ、４３ｅ、４３ｆ（以下、「無線セル４３ａ〜４３ｆ」と称する場合がある）は、上記第１実施形態における無線セル９ａ、９ｂ、９ｃ、９ｄ、９ｅ、９ｆと同様の構成を有し、同様の機能を発揮するようになっている。
【０１２８】
ＢＴＳ４５も同様に、上記第１実施形態におけるＢＴＳ９と同様の構成を有し、同様の機能を発揮するようになっている。また、ＢＴＳ３５が形成する無線セルの中に形成された６つの無線セル４５ａ、４５ｂ、４５ｃ、４５ｄ、４５ｅ、４５ｆ（以下、「無線セル４５ａ〜４５ｆ」と称する場合がある）は、上記第１実施形態における無線セル９ａ、９ｂ、９ｃ、９ｄ、９ｅ、９ｆと同様の構成を有し、同様の機能を発揮するようになっている。
【０１２９】
ＢＴＳ５１も同様に、上記第１実施形態におけるＢＴＳ９と同様の構成を有し、同様の機能を発揮するようになっている。また、ＢＴＳ５１が形成する無線セルの中に形成された６つの無線セル５１ａ、５１ｂ、５１ｃ、５１ｄ、５１ｅ、５１ｆ（以下、「無線セル５１ａ〜５１ｆ」と称する場合がある）は、上記第１実施形態における無線セル９ａ、９ｂ、９ｃ、９ｄ、９ｅ、９ｆと同様の構成を有し、同様の機能を発揮するようになっている。
【０１３０】
ＢＴＳ５３も同様に、上記第１実施形態におけるＢＴＳ９と同様の構成を有し、同様の機能を発揮するようになっている。また、ＢＴＳ５３が形成する無線セルの中に形成された６つの無線セル５３ａ、５３ｂ、５３ｃ、５３ｄ、５３ｅ、５３ｆ（以下、「無線セル５３ａ〜５３ｆ」と称する場合がある）は、上記第１実施形態における無線セル９ａ、９ｂ、９ｃ、９ｄ、９ｅ、９ｆと同様の構成を有し、同様の機能を発揮するようになっている。
【０１３１】
ＢＴＳ５５も同様に、上記第１実施形態におけるＢＴＳ９と同様の構成を有し、同様の機能を発揮するようになっている。また、ＢＴＳ５５が形成する無線セルの中に形成された６つの無線セル５５ａ、５５ｂ、５５ｃ、５５ｄ、５５ｅ、５５ｆ（以下、「無線セル５５ａ〜５５ｆ」と称する場合がある）は、上記第１実施形態における無線セル９ａ、９ｂ、９ｃ、９ｄ、９ｅ、９ｆと同様の構成を有し、同様の機能を発揮するようになっている。
【０１３２】
ＢＴＳ４３〜５５が形成する無線セル及び無線セル４３ａ〜４３ｆ、４５ａ〜４５ｆ、４９ａ〜４９ｆ、５１ａ〜５１ｆ、５３ａ〜５３ｆ、５５ａ〜５５ｆによって位置登録エリア４１が形成されている。ＲＮＣ４９は、下位ノードであるＢＴＳ４３〜５５及び無線セル４３ａ〜４３ｆ、４５ａ〜４５ｆ、４９ａ〜４９ｆ、５１ａ〜５１ｆ、５３ａ〜５３ｆ、５５ａ〜５５ｆをそれぞれ形成するＢＴＳを管理することにより、位置登録エリア４１を間接的に管理している。すなわち、ＲＮＣ４９は、位置登録エリア４１を管理する管理ノードに相当する。
【０１３３】
ＢＴＳ３３、３５及びＢＴＳ４３、４５は、周波数＃Ａ（＃Ａは所定の値、例えば８００ＭＨｚ）の電波を無線セルに送信し、周波数帯＃Ａの無線セルを形成している。ＢＴＳ３９及びＢＴＳ５１、５３、５５は、周波数＃Ｂ（＃Ｂは＃Ａとは異なる所定の値、例えば２ＧＨｚ）の電波を無線セルに送信し、周波数帯＃Ｂの無線セルを形成している。
【０１３４】
本実施形態では、例えば、無線セル３３ａと無線セル３９ａとがオーバレイしており、無線セル３３ｂと無線セル３９ｂとがオーバレイしており、無線セル３３ｃと無線セル３９ｃとがオーバレイしており、無線セル３３ｄと無線セル３９ｄとがオーバレイしており、無線セル３３ｅと無線セル３９ｅとがオーバレイしており、無線セル３３ｆと無線セル３９ｆとがオーバレイしている。
また、例えば、無線セル３５ａと無線セル５１ａとがオーバレイしており、無線セル３５ｂと無線セル５１ｂとがオーバレイしており、無線セル３５ｃと無線セル５１ｃとがオーバレイしており、無線セル３５ｄと無線セル５１ｄとがオーバレイしており、無線セル３５ｅと無線セル５１ｅとがオーバレイしており、無線セル３３ｆと無線セル５１ｆとがオーバレイしている。
【０１３５】
また、例えば、無線セル４３ａと無線セル５３ａとがオーバレイしており、無線セル４３ｂと無線セル５３ｂとがオーバレイしており、無線セル４３ｃと無線セル５３ｃとがオーバレイしており、無線セル４３ｄと無線セル５３ｄとがオーバレイしており、無線セル４３ｅと無線セル５３ｅとがオーバレイしており、無線セル４３ｆと無線セル５３ｆとがオーバレイしている。
また、例えば、無線セル４５ａと無線セル５５ａとがオーバレイしており、無線セル４５ｂと無線セル５５ｂとがオーバレイしており、無線セル４５ｃと無線セル５５ｃとがオーバレイしており、無線セル４５ｄと無線セル５５ｄとがオーバレイしており、無線セル４５ｅと無線セル５５ｅとがオーバレイしており、無線セル４５ｆと無線セル５５ｆとがオーバレイしている。
【０１３６】
このように、ＲＮＣ４７の配下のＢＴＳ３５が形成する無線セルと、ＲＮＣ４９の配下のＢＴＳ５１が形成する無線セルとは、オーバレイしている。また、無線セル３５ａ〜３５ｆは、無線セル５１ａ〜５１ｆとそれぞれオーバレイしている。すなわち、本実施形態では、異なるＲＮＣに管理されている無線セル同士がオーバレイしている構成を有している。
【０１３７】
（無線ネットワーク制御装置の概略構成）
次に、本実施形態による無線ネットワーク制御装置の概略構成について図１５を参照しつつ、図１６を用いて説明する。図１６は、本実施形態による無線ネットワーク制御装置としてのＲＮＣ４７の概略構成であって、交換機（例えばｘＧＳＮ）から受信した第１呼出要求に関連するＲＮＣ４７の機能ブロック図である。なお、ＲＮＣ４９もＲＮＣ４７と同様の構成を有しているため、本実施形態による無線ネットワーク制御装置の概略構成は、ＲＮＣ４７を例にとって説明し、ＲＮＣ４９の概略構成の図示や説明は省略する。
【０１３８】
図１６に示すように、ＲＮＣ４７は、制御部４７ａと、第１呼出要求受信部４７ｂと、推定存在無線セル導出部４７ｃと、第１呼出実行部４７ｄと、呼出応答信号送信部４７ｅと、第２呼出要求受信部４７ｆと、第２呼出実行部４７ｇと、無線セル相対位置関係記憶部４７ｈと、バスライン４７ｉと、第１呼出要求転送部４７ｊとを有している。
【０１３９】
第１呼出要求受信部４７ｂは、転送された第１呼出要求（詳細は後述）を受信することを除いて、第１呼出要求受信部７ｂと同様の構成を有し、同様の機能を発揮するようになっており、第１呼出実行部４７ｄは、第１呼出実行部７ｄと同様の構成を有し、同様の機能を発揮するようになっており、呼出応答信号送信部４７ｅは、呼出応答信号送信部７ｅと同様の構成を有し、同様の機能を発揮するようになっているので、説明は省略する。また、第２呼出要求受信部４７ｆは、第２呼出要求受信部７ｆと同様の構成を有し、同様の機能を発揮するようになっており、第２呼出実行部４７ｇは、第２呼出実行部７ｇと同様の構成を有し、同様の機能を発揮するようになっており、無線セル相対位置関係記憶部４７ｈは、無線セル相対位置関係記憶部３７ｈと同様の構成を有し、同様の機能を発揮するようになっており、バスライン４７ｉは、バスライン７ｉと同様の構成を有し、同様の機能を発揮するようになっているので、説明は省略する。
制御部４７ａは、バスライン４７ｉを介して第１呼出要求転送部４７ｊに所定の制御信号を送信する点を除いて、制御部３７ａと同様の構成を有し、同様の機能を発揮するようになっているので、説明は省略する。
【０１４０】
既存在無線セルとオーバレイしている無線セルであって他の無線ネットワーク制御装置（例えばＲＮＣ４９）が管理する他の位置登録エリア（例えば位置登録エリア４１）を形成する無線セル（例えば無線セル５１ａ）を推定存在無線セルであると、推定存在無線セル導出部４７ｃが導出した場合、第１呼出要求転送部４７ｊは、ＲＮＣ４９に対して、位置登録エリア４１を形成する推定存在無線セルである無線セル５１ａのセル識別情報とともに第１呼出要求を転送するようになっている。このように、本実施形態による無線通信ネットワークシステム２は、オーバレイしている無線セルがＲＮＣを跨っているとき、すなわちオーバレイしている無線セルが互いに異なるＲＮＣに管理されている場合に、第１呼出要求を一のＲＮＣから他のＲＮＣに転送できるようになっている。これにより、本実施形態によれば、位置登録エリアを跨って移動した通信端末装置に対する通信要求に応答することができる。
【０１４１】
（ＳＧＳＮ３、ＲＮＣ４７、４９を備えた無線通信ネットワークシステム２の動作）
次に、本実施形態による交換機としてのＳＧＳＮ３、無線ネットワーク制御装置としてのＲＮＣ４７、４９及びこれらを備えた無線通信ネットワークシステム２の動作について、図２、図１５及び図１６を参照しつつ、図１７を用いて説明する。図１７は、本実施形態による無線通信ネットワークシステム２の動作の一例を示すシーケンス図である。
【０１４２】
図１７に示すように、無線通信ネットワークシステム２は、ＵＥ２７の存在する位置登録エリアが変更するたびに、位置登録処理を実行する。例えば、ＵＥ２７が位置登録エリア３１の無線セル３３ａに移動してきてエリア情報が変わったことを認識すると、ＲＮＣ４７を介してＳＧＳＮ３に対して位置登録要求を実行する（ステップＳ１０１）。この位置登録要求には、ＵＥ２７が在圏している無線セル３３ａのセル識別情報が含まれている。
ＳＧＳＮ３は、この位置登録要求に含まれたセル識別情報をＵＥ２７の端末識別情報に対応付けて無線セル情報保存部３ｅに保存する（ステップＳ１０３）。また、ＲＮＣ４７も同様に、この位置登録要求に含まれたセル識別情報をＵＥ２７の端末識別情報に対応付けて所定の記憶部に記憶する。
【０１４３】
また、ＵＥ２７は、ＳＧＳＮ３とのシグナリングコネクションを確立するためにＲＮＣ４７を介してコネクション確立信号を送信する（ステップＳ１０５）。このコネクション確立信号には、ＵＥ２７がその後に移動して在圏している例えば無線セル３５ａのセル識別情報が含まれている。
ＳＧＳＮ３は、このコネクション確立信号に含まれたセル識別情報をＵＥ２７の端末識別情報に対応付けて無線セル情報保存部３ｅに保存する（ステップＳ１０７）。また、ＲＮＣ４７も同様に、このコネクション確立信号に含まれたセル識別情報をＵＥ２７の端末識別情報に対応付けて所定の記憶部に記憶する。
【０１４４】
このように、ＲＮＣ４７やＳＧＳＮ３は、位置登録要求信号やコネクション確立信号を受信すると、これらの信号に含まれるＵＥ２７のセル識別情報等を記録するとともに、保存内容を更新する。これにより、例えばＳＧＳＮ３の無線セル情報保存部３ｅには、「無線セル情報」欄に無線セル３３ａのセル識別情報が保存され、「直前に通信した無線セル情報」欄に無線セル３５ａのセル識別情報が保存され、ＵＥ２７が在圏した無線セルの在圏履歴が保存される。
【０１４５】
ここで、例えば無線通信ネットワークシステム２に接続された外部装置（不図示）からＵＥ２７に対して音声着信要求があったとする。この場合、ＳＧＳＮ３は、上記第１実施形態におけるステップＳ９と同様に動作する。この結果、第１呼出要求送信部３ｂは、着信要求対象のＵＥ２７の端末識別情報と、受信した既存在無線セルである無線セル３３ａ、３５ａのセル識別情報とを含む第１呼出要求をＲＮＣ４７に送信する（ステップＳ１０９）。第１呼出要求送信部３ｂが第１呼出要求を送信する際に、制御部３ａは、当該第１呼出要求に対する応答信号を受信するまでの待機時間の計測を開始する。
【０１４６】
第１呼出要求を受信したＲＮＣ４７は、推定存在無線セルを導出する（ステップＳ１１１）。ステップＳ１１１において、例えば、制御部４７ａは、第１呼出要求に含まれた既存在無線セルのセル識別情報を推定存在無線セル導出部４７ｃに送信し、推定存在無線セル導出部４７ｃに対して推定存在無線セルの導出を指示する。また、制御部４７ａは、当該対象通信端末装置の端末識別情報を第１呼出実行部４７ｄに送信し、呼び出し要求の実行を指示する。制御部４７ａからの指令を受けると、推定存在無線セル導出部４７ｃは、無線セル相対位置関係記憶部４７ｈと、既存在無線セルのセル識別情報と、通信要求対象のサービスの種別（本例では音声着信）とに基づいて、推定存在無線セルを導出する。推定存在無線セル導出部４７ｃは、例えば既存在無線セルにオーバレイしている無線セル３９ａ、５１ａを推定存在無線セルとして導出する。推定存在無線セル導出部４７ａは、導出した推定存在無線セルである無線セル３９ａのセル識別情報を第１呼出実行部４７ｄに送信する。
【０１４７】
第１呼出実行部４７ｄは、制御部４７ａからＵＥ２７の端末識別情報を受信し、第１呼出要求受信部４７ｂから既存在無線セルのセル識別情報を受信し、推定存在無線セル導出部４７ｃから推定存在無線セルのセル識別情報を受信し、制御部４７ａから第１呼出要求の実行指令を受けたら、当該セル識別情報の既存在無線セル３３ａ、３５ａ及び推定存在無線セル３９ａに対して呼び出し要求を実行する（ステップＳ１１３）。
【０１４８】
ステップＳ１１１において、制御部４７ａは、推定存在無線セル導出部４７ｃが導出した推定存在無線セルが既存在無線セル（例えば無線セル３５ａ）とオーバレイし、かつＲＮＣを跨った無線セル（例えば無線セル５１ａ）であると判定し（ステップＳ１１５）、第１呼出要求転送部４７ｊは、他の無線ネットワーク制御装置であるＲＮＣ４９に対して、他の位置登録エリアである位置登録エリア４１を形成する推定存在無線セル５１ａのセル識別情報とともに第１呼出要求を転送する（ステップＳ１１７）。
【０１４９】
第１呼出要求の転送信号を受信したＲＮＣ４９は、無線セル５３ａに対して第１呼出要求を実行する（ステップＳ１１９）。
ここで、図１５に示すように、例えばＵＥ２７が第１呼出要求が実行された無線セル５１ａに存在していたとすると、ＵＥ２７は第１呼出要求に対して応答信号をＲＮＣ４９に送信する。当該応答信号はＲＮＣ４９を介してＳＧＳＮ３に送信される（ステップＳ１２１）。
【０１５０】
ＳＧＳＮ３は、第１呼出要求を実行したＲＮＣ４７からの応答信号ではないものの、待機時間がタイムアウトとなる前に当該応答信号を受信した場合には、当該応答信号を受け付ける（ステップＳ１２３）。
第１呼出要求に対する応答信号を受信すると、ＳＧＳＮ３は、従来公知の手法により呼接続処理を開始するとともに継続する（ステップＳ１２５）。
なお、ＳＧＳＮ３は、待機時間がタイムアウトするまでに第１呼出要求に対する応答信号を受信しない場合には、第２呼出要求をＲＮＣ４７に実行する。その後、上記第１実施形態におけるステップＳ１７の処理が実行される。
【０１５１】
以上説明したように、本実施形態による交換機、無線ネットワーク制御装置及びそれらを備えた無線通信ネットワークシステムは、位置登録エリアを形成する複数の無線セルのうち、通信端末装置が存在していると可能性が相対的に高い無線セルに対して選択的に呼出要求を実行できる。これにより、本実施形態による交換機、無線ネットワーク制御装置及びそれらを備えた無線通信ネットワークシステムは、上記第１の実施形態による交換機、無線ネットワーク制御装置及びそれらを備えた無線通信ネットワークシステムと同様の効果が得られる。
【０１５２】
さらに、本実施形態による交換機、無線ネットワーク制御装置及びそれらを備えた無線通信ネットワークシステムは、オーバレイしている無線セルが無線ネットワーク制御装置を跨っているとき、すなわちオーバレイしている無線セルが互いに異なる無線ネットワーク制御装置に管理されている場合に、第１呼出要求を一の無線ネットワーク制御装置から他の無線ネットワーク制御装置に転送できるようになっている。これにより、本実施形態によれば、位置登録エリアを跨って移動した通信端末装置に対する通信要求に応答することができる。
【０１５３】
〔第３の実施形態〕
（無線通信ネットワークシステムの概略構成）
本発明の第３の実施形態による交換機、無線ネットワーク装置及び無線通信ネットワークシステムについて図１８から図２１を用いて説明する。まず、本実施形態による無線通信ネットワークシステムの概略構成について図１８を用いて説明する。
図１８は、本実施形態による無線通信ネットワークシステム２０１の概略構成を示すブロック図である。図１８に示すように、無線通信ネットワークシステム２０１は、Ｓ−ＧＷ（Ｓｅｒｖｉｎｇ−Ｇａｔｅｗａｙ）６２と、ＭＭＥ（Ｍｏｂｉｌｉｔｙ  Ｍａｎａｇｅｍｅｎｔ  Ｅｎｔｉｔｙ）６３と、Ｐ−ＧＷ（Ｐａｃｋｅｔ  Ｄａｔａ  Ｎｅｔｗｏｒｋ（ＰＤＮ）−Ｇａｔｅｗａｙ）６４と、加入者管理サーバ（Ｈｏｍｅ Ｓｕｂｓｃｒｉｂｅｒ Ｓｅｒｖｅｒ：ＨＳＳ）６６と、ＰＣＲＦ（Ｐｏｌｉｃｙ  ａｎｄ  Ｃｈａｒｇｉｎｇ  Ｒｕｌｅｓ  Ｆｕｎｃｔｉｏｎ）６８と、３ＧＰＰ  ＡＡＡ（Ａｕｔｈｅｎｔｉｃａｔｉｏｎ，Ａｕｔｈｏｒｉｚａｔｉｏｎ  ａｎｄ  Ａｃｃｏｕｎｔｉｎｇ）  Ｓｅｒｂｅｒ７０と、複数（本例では２つ）の無線基地局（ｅＮｏｄｅＢ）６７、６９とを有している。ＭＭＥ６３、Ｓ−ＧＷ６２、Ｇ−ＧＷ６４、ＨＳＳ６６、ＰＣＲＦ６８及び３ＧＰＰ  ＡＡＡ  Ｓｅｒｖｅｒ７０によりＥＰＣ（Ｅｖｏｌｖｅｄ  Ｐａｃｋｅｔ  Ｃｏｒｅ）ネットワークが構成されている。無線通信ネットワークシステム２０１は、当該ＥＰＣネットワークと、ｅＮｏｄｅＢ６７、６９とを含み、３．９Ｇ（第３．９世代移動通信システム（３．９ｔｈ  Ｇｅｎｅｒａｔｉｏｎ））標準仕様に基づく無線通信システムを構成している。ＭＭＥ６３は本実施形態による交換機に相当し、ｅＮｏｄｅＢ６７、６９は本実施形態による無線ネットワーク装置に相当する。
【０１５４】
ＨＳＳ６６は、ＭＭＥ６３及び３ＧＰＰ  ＡＡＡ  Ｓｅｒｖｅｒ７０に接続されている。ＨＳＳ６６は、通信端末装置（ＵＥ）２２７等に関するそれぞれのユーザ情報を保持する加入者情報データベースであり、加入者情報や位置情報などを記憶するようになっている。当該加入者情報は、例えばユーザ識別子やＭＳＩＳＤＮである。また、当該位置情報は、ＵＥ２２７が在圏する無線セル（在圏セル）のセル識別子である。本例では、当該位置情報は、ｅＮｏｄｅＢ６７が収容する位置登録エリア７１を形成するＬＴＥ（Ｌｏｎｇ  Ｔｅｒｍ  Ｅｖｏｌｕｔｉｏｎ）無線セル７３、７５、７９のそれぞれのセル識別子及びｅＮｏｄｅＢ６９が収容する位置登録エリア８１を形成するＬＴＥ無線セル８３、８５、９１、９３、９５のそれぞれのセル識別子である。
【０１５５】
ＭＭＥ６３は、ＨＳＳ６６及びｅＮｏｄｅＢ６７、６９に接続されている。ＭＭＥ６３は、ＬＴＥアクセスシステムの無線ゾーンに在圏するＵＥ２２７とインタフェースを持ち、ＵＥ２２７の移動管理、ＵＥ２７の認証及びＵＥ２２７とのＩＰ伝達経路の設定制御を行う。ＨＳＳ６６は、ＵＥ２２７の移動管理及び認証をＨＳＳ６６と連携して行う。
ＭＭＥ６３は、上記機能の他に、無線リソースの逼迫やシステム負荷の増加を防止するために、通信要求対象である対象通信端末装置が現時点から過去所定期間内に存在した無線セルである既存在無線セル及び推定存在無線セルの少なくともいずれか一方のみに対する第１呼出要求を実行する機能を有している。推定存在無線セルは、既存在無線セルとオーバレイし対象通信端末装置が存在していると推定される無線セルである。当該機能を発揮するためにＭＭＥ６３が有している構成については後述する。
【０１５６】
Ｓ−ＧＷ６２は、ｅＮｏｄｅＢ６７、６９、Ｐ−ＧＷ６４及びＰＣＲＦ６８に接続されている。Ｓ−ＧＷ６２は、ＭＭＥ６３の指令に基づいてユーザデータパケットの伝達制御を行うゲートウェイ装置である。Ｓ−ＧＷ６３は、Ｐ−ＧＷ６４又はｅＮｏｄｅＢ６７、６９から転送されるユーザデータパケットをｅＮｏｄｅＢ６７、６９又はＰ−ＧＷ６４に中継するようになっている。
【０１５７】
Ｐ−ＧＷ６４は、ＰＣＲＦ６８及びＳ−ＧＷ６２に接続され、これらのノードとの間で所定の制御信号の送受信が可能になっている。Ｐ−ＧＷ６４は、ＰＤＮとの接続点であり、ＩＰアドレスの割り当てなどを行うとともに、インターネット、不図示のサービス制御ネットワーク（ＩＰ  Ｍｕｌｔｉｍｅｄｉａ  Ｓｕｂｓｙｓｔｅｍ：ＩＭＳ）などのＰＤＮからＵＥ２２７等への全てのユーザデータパケットを受けるゲートウェイ装置である。
【０１５８】
ＰＣＲＦ６８は、Ｓ−ＧＷ６２、Ｐ−ＧＷ６４及びＩＭＳなどに設けられた不図示のＰＣＳＣＦ（Ｐｏｌｉｃｙ  ａｎｄ  Ｃｈａｒｇｉｎｇ  Ｒｕｌｅｓ  Ｆｕｎｃｔｉｏｎ）に接続されている。ＰＣＲＦ６８は、ＰＣＳＣＦとの間で所定の制御信号の送受信が可能になっている。ＰＣＲＦ６８は、Ｓ−ＧＷ６２及びＰ−ＧＷ６４での伝達品質制御を行うためのＱｏＳ（Ｑｕａｌｉｔｙ  ｏｆ  Ｓｅｒｖｉｃｅ）や課金方法などのＩＰパケット伝達ポリシーを決定する。
【０１５９】
３ＧＰＰ  ＡＡＡ  Ｓｅｒｖｅｒ７０は、ＨＳＳ６６に接続されている。３ＧＰＰ  ＡＡＡ  Ｓｅｒｖｅｒ７０は、通信端末装置が非セルラー無線アクセスシステムの無線ゾーンに在圏する際にＨＳＳ６６から転送されてきたユーザプロファイル及び認証ベクトルを基に通信端末装置の認証及び通信認可の判定を行う。
【０１６０】
ｅＮｏｄｅＢ６７は、特定の範囲に対してセル識別情報（例えば、セル識別子やセルＩＤ）を送出することによりＬＴＥ無線エリア（無線セル）を形成するようになっている。本例では、ｅＮｏｄｅＢ６７はＬＴＥ無線セル７３、７５、７９を形成している。ｅＮｏｄｅＢ６７は、ＬＴＥ無線セル７３、７５、７９内に存在（在圏）している通信端末装置の無線通信に関する処理を行う。具体的に、ｅＮｏｄｅＢ６７は、当該通信端末装置のパケット通信接続処理や通話時のハンドオーバ処理等を行う。
【０１６１】
また、ｅＮｏｄｅＢ６７は、上記機能の他に、無線リソースの逼迫やシステム負荷の増加を防止するために、ＭＭＥ６３から受信した第１呼出要求の対象の既存在無線セル及び推定存在無線セルに呼び出し要求（例えばページング要求）を実行する機能を有している。当該機能を発揮するためにｅＮｏｄｅＢ６７が有している構成については後述する。
【０１６２】
また、ＬＴＥ無線セル７３の中に６つの無線セル７３ａ、７３ｂ、７３ｃ、７３ｄ、７３ｅ、７３ｆ（以下、無線セル７３ａ、７３ｂ、７３ｃ、７３ｄ、７３ｅ、７３ｆを「無線セル７３ａ〜７３ｆ」と称する場合がある）が形成されている。ＬＴＥ無線セル７５の中に６つの無線セル７５ａ、７５ｂ、７５ｃ、７５ｄ、７５ｅ、７５ｆ（以下、無線セル７５ａ、７５ｂ、７５ｃ、７５ｄ、７５ｅ、７５ｆを「無線セル７５ａ〜７５ｆ」と称する場合がある）が形成されている。ＬＴＥ無線セル７９の中に６つの無線セル７９ａ、７９ｂ、７９ｃ、７９ｄ、７９ｅ、７９ｆ（以下、無線セル７９ａ、７９ｂ、７９ｃ、７９ｄ、７９ｅ、７９ｆを「無線セル７９ａ〜７９ｆ」と称する場合がある）が形成されている。無線セル７３ａ〜７３ｆ、７５ａ〜７５ｆ、７９ａ〜７９ｆはそれぞれ、ｅＮｏｄｅＢ６７とは別の基地局（不図示）が形成する無線セル（例えばマイクロセル）である。
【０１６３】
ｅＮｏｄｅＢ６７は、自機が収容するＬＴＥ無線セル７３、７５、７９及び無線セル７３ａ〜７３ｆ、７５ａ〜７５ｆ、７９ａ〜７９ｆのそれぞれのセル識別情報（例えばセル識別子）を記憶している。
ＬＴＥ無線セル７３、７５、７９及び無線セル７３ａ〜７３ｆ、７５ａ〜７５ｆ、７９ａ〜７９ｆによって位置登録エリア７１が形成されている。したがって、ｅＮｏｄｅＢ６７は、ＬＴＥ無線セル７３、７５、７９及び無線セル７３ａ〜７３ｆ、７５ａ〜７５ｆ、７９ａ〜７９ｆのセル識別情報などを記憶することにより位置登録エリア７１を管理する管理ノードに相当する。
【０１６４】
ｅＮｏｄｅＢ６９は、ｅＮｏｄｅＢ６７と同様の構成を有し、同様の機能を発揮するようになっている。すなわち、ｅＮｏｄｅＢ６９は、特定の範囲に対してセル識別情報（例えば、セル識別子やセルＩＤ）を送出することによりＬＴＥ無線エリア（無線セル）を形成するようになっている。本例では、ｅＮｏｄｅＢ６９はＬＴＥ無線セル８３、８５、９１、９３、９５を形成している。ｅＮｏｄｅＢ６９は、ＬＴＥ無線セル８３、８５、９１、９３、９５内に存在（在圏）している通信端末装置の無線通信に関する処理を行う。具体的に、ｅＮｏｄｅＢ６９は、当該通信端末装置のパケット通信接続処理や通話時のハンドオーバ処理等を行う。
【０１６５】
また、ｅＮｏｄｅＢ６９は、ｅＮｏｄｅＢ６７と同様に上記機能の他に、無線リソースの逼迫やシステム負荷の増加を防止するために、ＭＭＥ６３から受信した第１呼出要求の対象の既存在無線セル及び推定存在無線セルに呼び出し要求（例えばページング要求）を実行する機能を有している。当該機能を発揮するためにｅＮｏｄｅＢ６９が有している構成については後述する。
【０１６６】
ＬＴＥ無線セル８３の中に６つの無線セル８３ａ、８３ｂ、８３ｃ、８３ｄ、８３ｅ、８３ｆ（以下、無線セル８３ａ、８３ｂ、８３ｃ、８３ｄ、８３ｅ、８３ｆを「無線セル８３ａ〜８３ｆ」と称する場合がある）が形成されている。ＬＴＥ無線セル８５の中に６つの無線セル８５ａ、８５ｂ、８５ｃ、８５ｄ、８５ｅ、８５ｆ（以下、無線セル８５ａ、８５ｂ、８５ｃ、８５ｄ、８５ｅ、８５ｆを「無線セル８５ａ〜８５ｆ」と称する場合がある）が形成されている。ＬＴＥ無線セル９１の中に６つの無線セル９１ａ、９１ｂ、９１ｃ、９１ｄ、９１ｅ、９１ｆ（以下、無線セル９１ａ、９１ｂ、９１ｃ、９１ｄ、９１ｅ、９１ｆを「無線セル９１ａ〜９１ｆ」と称する場合がある）が形成されている。ＬＴＥ無線セル９１の中に６つの無線セル９１ａ、９１ｂ、９１ｃ、９１ｄ、９１ｅ、９１ｆ（以下、無線セル９１ａ、９１ｂ、９１ｃ、９１ｄ、９１ｅ、９１ｆを「無線セル９１ａ〜９１ｆ」と称する場合がある）が形成されている。無線セル８３ａ〜８３ｆ、８５ａ〜８５ｆ、９１ａ〜９１ｆ、９３ａ〜９３ｆ、９５ａ〜９５ｆはそれぞれ、ｅＮｏｄｅＢ６９とは別の基地局（不図示）が形成する無線セル（例えばマイクロセル）である。
【０１６７】
ｅＮｏｄｅＢ６９は、自機が収容するＬＴＥ無線セル８３、８５、９１、９３、９５及び無線セル８３ａ〜８３ｆ、８５ａ〜８５ｆ、９１ａ〜９１ｆ、９３ａ〜９３ｆ、９５ａ〜９５ｆのそれぞれのセル識別情報（例えばセル識別子）を記憶している。
ＬＴＥ無線セル８３、８５、９１、９３、９５及び無線セル８３ａ〜８３ｆ、８５ａ〜８５ｆ、９１ａ〜９１ｆ、９３ａ〜９３ｆ、９５ａ〜９５ｆによって位置登録エリア８１が形成されている。したがって、ｅＮｏｄｅＢ６９は、ＬＴＥ無線セル８３、８５、９１、９３、９５及び無線セル８３ａ〜８３ｆ、８５ａ〜８５ｆ、９１ａ〜９１ｆ、９３ａ〜９３ｆ、９５ａ〜９５ｆのセル識別情報などを記憶することにより位置登録エリア８１を管理する管理ノードに相当する。
【０１６８】
ＬＴＥ無線セル７３、７５、８３、８５は、周波数＃Ａ（＃Ａは所定の値、例えば８００ＭＨｚ）の電波が使用される周波数帯＃Ａの無線セルである。ＬＴＥ無線セル７９、９１、９３、９５は、周波数＃Ｂ（＃Ｂは＃Ａとは異なる所定の値、例えば２ＧＨｚ）の電波が使用される周波数帯＃Ｂの無線セルである。
【０１６９】
通信端末装置（図１８では、ＵＥ２２７として例示されている）が無線セル７３、７５、７９内にある場合には、ｅＮｏｄｅＢ６７は、当該通信端末装置との間でＬＴＥ方式に従った無線通信を行うことができる。また、通信端末装置が無線セル８３、８５、９１、９３、９５内にある場合には、ｅＮｏｄｅＢ６７は、当該通信端末装置との間でＬＴＥ方式に従った無線通信を行うことができる。図１８に示すように、例えばＵＥ２２７が無線セル９１内の無線セル９１ａに存在している場合には、ＵＥ２２７は、無線セル９１を収容し上流（上位）に位置しているｅＮｏｄｅＢ６９と通信する。
セル識別情報は無線セル７３、７５、７９、８３、８５、９１、９３、９５及び無線セル７３ａ〜７３ｆ、７５ａ〜７５ｆ、７９ａ〜７９ｆ、８３ａ〜８３ｆ、８５ａ〜８５ｆ、９１ａ〜９１ｆ、９３ａ〜９３ｆ、９５ａ〜９５ｆ毎にそれぞれ付与されている。このため、セル識別情報を判定することにより、通信端末装置がどの無線セルに在圏しているのかを判別することができる。
【０１７０】
本実施形態では、例えば、ＬＴＥ無線セル７３とＬＴＥ無線セル７９とはオーバレイしている。さらに、無線セル７３ａと無線セル７９ａとがオーバレイしており、無線セル７３ｂと無線セル７９ｂとがオーバレイしており、無線セル７３ｃと無線セル７９ｃとがオーバレイしており、無線セル７３ｄと無線セル７９ｄとがオーバレイしており、無線セル７３ｅと無線セル７９ｅとがオーバレイしており、無線セル７３ｆと無線セル７９ｆとがオーバレイしている。
また、例えば、ＬＴＥ無線セル７５とＬＴＥ無線セル９１とはオーバレイしている。さらに、無線セル７５ａと無線セル９１ａとがオーバレイしており、無線セル７５ｂと無線セル９１ｂとがオーバレイしており、無線セル７５ｃと無線セル９１ｃとがオーバレイしており、無線セル７５ｄと無線セル９１ｄとがオーバレイしており、無線セル７５ｅと無線セル９１ｅとがオーバレイしており、無線セル７５ｆと無線セル９１ｆとがオーバレイしている。
【０１７１】
また、例えば、ＬＴＥ無線セル８３とＬＴＥ無線セル９３とはオーバレイしている。さらに、無線セル８３ａと無線セル９３ａとがオーバレイしており、無線セル８３ｂと無線セル９３ｂとがオーバレイしており、無線セル８３ｃと無線セル９３ｃとがオーバレイしており、無線セル８３ｄと無線セル９３ｄとがオーバレイしており、無線セル８３ｅと無線セル９３ｅとがオーバレイしており、無線セル８３ｆと無線セル９３ｆとがオーバレイしている。
また、例えば、ＬＴＥ無線セル８５とＬＴＥ無線セル９５とはオーバレイしている。さらに、無線セル８５ａと無線セル９５ａとがオーバレイしており、無線セル８５ｂと無線セル９５ｂとがオーバレイしており、無線セル８５ｃと無線セル９５ｃとがオーバレイしており、無線セル８５ｄと無線セル９５ｄとがオーバレイしており、無線セル８５ｅと無線セル９５ｅとがオーバレイしており、無線セル８５ｆと無線セル９５ｆとがオーバレイしている。
【０１７２】
このように、ｅＮｏｄｅＢ６７が管理するＬＴＥ無線セル７３及びＬＴＥ無線セル７９がオーバレイしている。また、ｅＮｏｄｅＢ６９が管理するＬＴＥ無線セル８３及びＬＴＥ無線セル９３がオーバレイし、ＬＴＥ無線セル８５及びＬＴＥ無線セル９５とがオーバレイしている。さらに、ｅＮｏｄｅＢ６７が管理する無線セル７５とｅＮｏｄｅＢ６９が管理する無線セル９１とがオーバレイしている。また、無線セル７５ａ〜７５ｆは、無線セル９１ａ〜９１ｆとそれぞれオーバレイしている。すなわち、本実施形態では、同一のｅＮｏｄｅＢで管理されている無線セル同士がオーバレイしている領域と、異なるｅＮｏｄｅＢに管理されている無線セル同士がオーバレイしている領域とが混在した構成を有している。
【０１７３】
（交換機及び無線ネットワーク装置の概略構成）
次に、本実施形態による交換機としてのＭＭＥ６３及び無線ネットワーク装置としてのｅＮｏｄｅＢ６７、６９の概略構成について図１８を参照しつつ、図１９及び図２０を用いて説明する。図１９は、ＭＭＥ６３及びｅＮｏｄｅＢ６７、６９の呼び出し要求の機能に関連する機能ブロック図である。ｅＮｏｄｅＢ６９は、ｅＮｏｄｅＢ６７と同一の構成を有し、同一の機能を発揮するため、ｅＮｏｄｅＢ６７、６９の概略構成については、ｅＮｏｄｅＢ６７を例にとって説明し、図１９ではｅＮｏｄｅＢ６９の各構成要素の図示は省略されている。
【０１７４】
図１９に示すように、ＭＭＥ６３は、制御部６３ａと、第１呼出要求送信部６３ｂと、呼出応答信号受信部６３ｃと、第２呼出要求送信部６３ｄと、オーバレイ情報受信部６３ｅと、オーバレイ情報記憶部６３ｆと、推定存在無線セル導出部６３ｇと、通信端末装置情報記憶部６３ｈとを有している。第１呼出要求送信部６３ｂと、第２呼出要求送信部６３ｄとは、図１９に示すように分離されておらず、１つの呼出要求送信部が第１及び第２呼出要求送信部６３ｂ、６３ｄを兼ねるように構成されていてもよい。
【０１７５】
制御部６３ａ、第１呼出要求送信部６３ｂ、呼出応答信号受信部６３ｃ、第２呼出要求送信部６３ｄ、オーバレイ情報受信部６３ｅ、オーバレイ情報記憶部６３ｆ、推定存在無線セル導出部６３ｇ及び通信端末装置情報記憶部６３ｈは、バスライン６３ｉに接続されている。制御部６３ａ、第１呼出要求送信部６３ｂ、呼出応答信号受信部６３ｃ、第２呼出要求送信部６３ｄ、オーバレイ情報受信部６３ｅ、オーバレイ情報記憶部６３ｆ、推定存在無線セル導出部６３ｇ及び通信端末装置情報記憶部６３ｈは、物理的に別の装置としてそれぞれ実現されていてもよいし、ＭＭＥ６３の一機能としてそれぞれ実現されていてもよい。
制御部６３ａは、ＭＭＥ６３を統括的に制御するようになっている。第１呼出要求送信部６３ｂ、呼出応答信号受信部６３ｃ、第２呼出要求送信部６３ｄ、オーバレイ情報受信部６３ｅ、オーバレイ情報記憶部６３ｆ、推定存在無線セル導出部６３ｇ及び通信端末装置情報記憶部６３ｈは、バスライン６３ｉを介して送信される制御部６３ａからの制御信号に基づいて所定の動作を実行するようになっている。
【０１７６】
通信端末装置情報記憶部６３ｈは、複数の無線セルで形成された位置登録エリアを管理する管理ノードから通知された在圏通信端末装置の情報を記憶するようになっている。在圏通信端末装置は、当該管理ノードが管理する位置登録エリアに含まれる無線セルに在圏している通信端末装置である。また、上述のとおり本実施形態では、ｅＮｏｄｅＢ６７、６９は管理ノードに相当する。ｅＮｏｄｅＢ６７、６９は、在圏通信端末装置から発信要求を受信すると、当該在圏通信端末装置の端末識別情報（例えば、端末識別子やＭＳＩＳＤＮなど）と当該在圏通信端末装置が在圏している無線セルのセル識別情報とを対応付けてＭＭＥ６３に通知する。ＭＭＥ６３は、ｅＮｏｄｅＢ６７、６９から通知された情報から対応付けられた在圏通信端末装置の端末識別情報及び無線セルのセル識別情報を抽出し、当該端末識別情報及び当該セル識別情報を対応付けて通信端末装置情報記憶部６３ｈに記憶するようになっている。
【０１７７】
オーバレイ情報受信部６３ｅは、複数の無線セルで形成された位置登録エリアを管理する管理ノードの接続時に当該管理ノードから少なくとも送信され、当該複数の無線セルのオーバレイに関する情報であるオーバレイ情報を受信するようになっている。ＭＭＥ６３は、初めて接続される管理ノード（本例では、ｅＮｏｄｅＢ６７、６９）やシステム変更などが行われた管理ノードから、当該管理ノードが管理しているオーバレイ情報を受信するようになっている。
オーバレイ情報には、オーバレイに関する情報として、オーバレイ情報を送信した管理ノードの識別情報（例えば基地局識別情報）と、オーバレイしているそれぞれの無線セルの識別情報（例えばセル識別情報）とが含まれている。
【０１７８】
オーバレイ情報記憶部６３ｆは、オーバレイ情報受信部６３ｅで受信したオーバレイ情報を記憶するようになっている。制御部６３ａは、オーバレイ情報受信部６３ｅがオーバレイ情報を受信すると、受信したオーバレイ情報をバスライン６３ｉを介してオーバレイ情報記憶部６３ｆに送信する。オーバレイ情報記憶部６３ｆは、送信されたオーバレイ情報をデータベース化して記憶する。
【０１７９】
ここで、オーバレイ情報記憶部６３ｆで記憶されるオーバレイ情報について図２０を用いて説明する。図２０は、オーバレイ情報記憶部６３ｆに記憶されたオーバレイ情報のデータベースである。図２０（ａ）は、基地局と当該基地局が収容する無線セルとを対応付けるデータベースを示し、図２０（ｂ）は、オーバレイしている無線セル同士を対応付けるデータベースを示している。
図２０（ａ）に示すように、オーバレイ情報記憶部６３ｆは、基地局ごとに当該基地局が収容している無線セルのセル識別情報をデータベース化して記憶している。当該データベースは、「基地局識別情報」及び「セル識別情報（収容）」の２個の項目に区別されている。「基地局識別情報」は、オーバレイ情報受信部６３ｅで受信したオーバレイ情報に含まれた管理ノード、すなわち基地局の識別情報（例えば、ＥＣＧＩ：Ｅ−ＵＴＲＡＮ  Ｃｅｌｌ  Ｇｌｏｂａｌ  ＩＤ）を示している。「セル識別情報（収容）」は、オーバレイ情報受信部６３ｅで受信したオーバレイ情報に、基地局識別情報に対応付けられて含まれていた無線セルのセル識別情報を示している。
【０１８０】
図２０（ａ）の図中上段に示すデータベースにおいて、「基地局識別情報」欄の「＃１」は、ｅＮｏｄｅＢ６７の基地局識別情報を表している。また、当該データベースにおいて、「セル識別情報（収容）」欄の「ａ０」は、ＬＴＥ無線セル７３のセル識別情報を表し、「ａ１」は、無線セル７３ａのセル識別情報を表し、「ａ２」は、無線セル７３ｂのセル識別情報を表し、「ａ３」は、無線セル７３ｃのセル識別情報を表し、「ａ４」は、無線セル７３ｄのセル識別情報を表し、「ａ５」は、無線セル７３ｅのセル識別情報を表し、「ａ６」は、無線セル７３ｆのセル識別情報を表している。
当該「セル識別情報（収容）」欄の「ｂ０」は、ＬＴＥ無線セル７５のセル識別情報を表し、「ｂ１」は、無線セル７５ａのセル識別情報を表し、「ｂ２」は、無線セル７５ｂのセル識別情報を表し、「ｂ３」は、無線セル７５ｃのセル識別情報を表し、「ｂ４」は、無線セル７５ｄのセル識別情報を表し、「ｂ５」は、無線セル７５ｅのセル識別情報を表し、「ｂ６」は、無線セル７５ｆのセル識別情報を表している。
当該「セル識別情報（収容）」欄の「ｃ０」は、ＬＴＥ無線セル７９のセル識別情報を表し、「ｃ１」は、無線セル７９ａのセル識別情報を表し、「ｃ２」は、無線セル７９ｂのセル識別情報を表し、「ｃ３」は、無線セル７９ｃのセル識別情報を表し、「ｃ４」は、無線セル７９ｄのセル識別情報を表し、「ｃ５」は、無線セル７９ｅのセル識別情報を表し、「ｃ６」は、無線セル７９ｆのセル識別情報を表している。
したがって、オーバレイ情報記憶部６３ｆは、図２０（ａ）の図中上段に示すデータベースを作成することにより、基地局識別情報「＃１」の基地局（本例では、ｅＮｏｄｅＢ６７）がセル識別情報「ａ０、ａ１、ａ２、ａ３、ａ４、ａ５、ａ６、ｂ０、ｂ１、ｂ２、ｂ３、ｂ４、ｂ５、ｂ６、ｃ０、ｃ１、ｃ２、ｃ３、ｃ４、ｃ５、ｃ６」の２１個の無線セル（本例では、ＬＴＥ無線セル７３、７５、７９及び無線セル７３ａ〜７３ｆ、７５ａ〜７５ｆ、７９ａ〜７９ｆ）を収容しているという情報を記憶できる。
【０１８１】
図２０（ａ）の図中下段に示すデータベースにおいて、「基地局識別情報」欄の「＃２」は、ｅＮｏｄｅＢ６９の基地局識別情報を表している。当該データベースにおいて、「セル識別情報（収容）」欄の「ｄ０」は、ＬＴＥ無線セル８３のセル識別情報を表し、「ｄ１」は、無線セル８３ａのセル識別情報を表し、「ｄ２」は、無線セル８３ｂのセル識別情報を表し、「ｄ３」は、無線セル８３ｃのセル識別情報を表し、「ｄ４」は、無線セル８３ｄのセル識別情報を表し、「ｄ５」は、無線セル８３ｅのセル識別情報を表し、「ｄ６」は、無線セル８３ｆのセル識別情報を表している。
当該「セル識別情報（収容）」欄の「ｅ０」は、ＬＴＥ無線セル８５のセル識別情報を表し、「ｅ１」は、無線セル８５ａのセル識別情報を表し、「ｅ２」は、無線セル８５ｂのセル識別情報を表し、「ｅ３」は、無線セル８５ｃのセル識別情報を表し、「ｅ４」は、無線セル８５ｄのセル識別情報を表し、「ｅ５」は、無線セル８５ｅのセル識別情報を表し、「ｅ６」は、無線セル８５ｆのセル識別情報を表している。
当該「セル識別情報（収容）」欄の「ｆ０」は、ＬＴＥ無線セル９１のセル識別情報を表し、「ｆ１」は、無線セル９１ａのセル識別情報を表し、「ｆ２」は、無線セル９１ｂのセル識別情報を表し、「ｆ３」は、無線セル９１ｃのセル識別情報を表し、「ｆ４」は、無線セル９１ｄのセル識別情報を表し、「ｆ５」は、無線セル９１ｅのセル識別情報を表し、「ｆ６」は、無線セル９１ｆのセル識別情報を表している。
【０１８２】
当該「セル識別情報（収容）」欄の「ｇ０」は、ＬＴＥ無線セル９３のセル識別情報を表し、「ｇ１」は、無線セル９３ａのセル識別情報を表し、「ｇ２」は、無線セル９３ｂのセル識別情報を表し、「ｇ３」は、無線セル９３ｃのセル識別情報を表し、「ｇ４」は、無線セル９３ｄのセル識別情報を表し、「ｇ５」は、無線セル９３ｅのセル識別情報を表し、「ｇ６」は、無線セル９３ｆのセル識別情報を表している。
当該「セル識別情報（収容）」欄の「ｈ０」は、ＬＴＥ無線セル９５のセル識別情報を表し、「ｈ１」は、無線セル９５ａのセル識別情報を表し、「ｈ２」は、無線セル９５ｂのセル識別情報を表し、「ｈ３」は、無線セル９５ｃのセル識別情報を表し、「ｈ４」は、無線セル９５ｄのセル識別情報を表し、「ｈ５」は、無線セル９５ｅのセル識別情報を表し、「ｈ６」は、無線セル９５ｆのセル識別情報を表している。
したがって、オーバレイ情報記憶部６３ｆは、図２０（ａ）の図中下段に示すデータベースを作成することにより、基地局識別情報「＃２」の基地局（本例では、ｅＮｏｄｅＢ６９）がセル識別情報「ｄ０、ｄ１、ｄ２、ｄ３、ｄ４、ｄ５、ｄ６、ｅ０、ｅ１、ｅ２、ｅ３、ｅ４、ｅ５、ｅ６、ｆ０、ｆ１、ｆ２、ｆ３、ｆ４、ｆ５、ｆ６、ｇ０、ｇ１、ｇ２、ｇ３、ｇ４、ｇ５、ｇ６、ｈ０、ｈ１、ｈ２、ｈ３、ｈ４、ｈ５、ｈ６」の２３個の無線セル（本例では、ＬＴＥ無線セル８３、８５、９１、９３、９５及び無線セル８３ａ〜８３ｆ、８５ａ〜８５ｆ、９１ａ〜９１ｆ、９３ａ〜９３ｆ、９５ａ〜９５ｆ）を収容しているという情報を記憶できる。
【０１８３】
図２０（ｂ）に示すように、オーバレイ情報記憶部６３ｆは、オーバレイしている無線セル同士の識別情報を対応付けてデータベース化して記憶している。当該データベースは、「オーバレイセル」の項目を有している。「オーバレイセル」は、オーバレイ情報受信部６３ｅで受信したオーバレイ情報に含まれ、オーバレイしている無線セルとして対応付けられた無線セル同士を示している。オーバレイ情報記憶部６３ｆは、オーバレイしている無線セルのセル識別情報を「オーバレイセル」欄の同一行に格納するようになっている。図２０（ｂ）に示すデータベースでは、項目行を除く第１行目に格納されたセル識別情報「ａ１」及び「ｂ１」の無線セルが互いにオーバレイしていることを表し、第２行目に格納されたセル識別情報「ａ２」及び「ｂ２」の無線セルが互いにオーバレイしていることを表し、第４行目に格納されたセル識別情報「ａ６」及び「ｂ６」の無線セルが互いにオーバレイしていることを表している。
また、当該データベースでは、項目行を除く第５行目に格納されたセル識別情報「ｃ１」及び「ｄ１」の無線セルが互いにオーバレイしていることを表し、第６行目に格納されたセル識別情報「ｃ２」及び「ｄ２」の無線セルが互いにオーバレイしていることを表し、第８行目に格納されたセル識別情報「ｃ６」及び「ｄ６」の無線セルが互いにオーバレイしていることを表している。
また、当該データベースでは、項目行を除く第９行目に格納されたセル識別情報「ｅ１」及び「ｆ１」の無線セルが互いにオーバレイしていることを表し、第１０行目に格納されたセル識別情報「ｅ２」及び「ｆ２」の無線セルが互いにオーバレイしていることを表し、第１２行目に格納されたセル識別情報「ｅ６」及び「ｆ６」の無線セルが互いにオーバレイしていることを表している。
また、当該データベースでは、項目行を除く第１３行目に格納されたセル識別情報「ｇ１」及び「ｈ１」の無線セルが互いにオーバレイしていることを表し、第１４行目に格納されたセル識別情報「ｇ２」及び「ｈ２」の無線セルが互いにオーバレイしていることを表し、第１６行目に格納されたセル識別情報「ｇ６」及び「ｈ６」の無線セルが互いにオーバレイしていることを表している。なお、当該データベースにおける第３行目、第７行目、第１１行目及び第１５行目に記載した「・・・」は、何らかのセル識別情報が格納されていることを表している。
図２０（ｂ）に示す例では、オーバレイしている無線セルの個数は２つであるが、３つ以上の無線セル同士がオーバレイしている場合には、「オーバレイセル」欄の同一行に、３つ以上の無線セルのセル識別情報が格納される。
【０１８４】
ｅＮｏｄｅＢ６７、６９から送信されるオーバレイ情報には、自機が収容する無線セルのセル識別情報と、当該セル識別情報の無線セルとオーバレイする無線セルのセル識別情報とが自機の基地局識別情報に対応付けられて含まれている。オーバレイ情報記憶部６３ｆは、オーバレイ情報に含まれるこれらの識別情報から基地局識別情報及びセル識別情報を抽出し、図２０に示すデータベースを作成する。
【０１８５】
図１９に戻って、ＭＭＥ６３に備えられた推定存在無線セル導出部６３ｇは、ＭＭＥ６３が受信した通信要求に含まれる対象通信端末装置の端末識別情報に基づいて、既存在無線セルを取得するとともに、当該既存在無線セルとオーバレイしている無線セルを推定存在無線セルとして導出するようになっている。より具体的には、推定存在無線セル導出部６３ｇは、対象通信端末装置の端末識別情報と対応付けて通信端末装置情報記憶部６３ｈに記憶されたセル識別情報の無線セルを既存在無線セルとして取得する。さらに、推定存在無線セル導出部６３ｇは、オーバレイ情報記憶部６３ｆに格納された図２０（ｂ）に示すデータベースを参照し、通信端末装置情報記憶部６３ｈから取得したセル識別情報と対応付けられたセル識別情報の無線セルを推定存在無線セルとして導出する。推定存在無線セル導出部６３ｇは、制御部６３ａの指令に基づいて、既存在無線セル及び推定存在無線セルを導出するとともに、導出した既存在無線セル及び推定存在無線セルのセル識別情報を第１呼出要求送信部６３ｂに出力する。
【０１８６】
第１呼出要求送信部６３ｂは、既存在無線セル及び推定存在無線セルの少なくともいずれか一方のみに対する呼び出し要求である第１呼出要求を当該既存在無線セル及び推定存在無線セルを含む複数の無線セルで形成された位置登録エリアを管理する管理ノードに送信するようになっている。
ここで、既存在無線セルは、通信要求対象である対象通信端末装置が現時点（第１呼出要求の送信時点）から過去所定期間内に存在した無線セルである。例えば既存在無線セルは、図１９において無線セル７３ａ、７５ａとして例示されている。また、上述のとおり、推定存在無線セルは、既存在無線セルとオーバレイし対象通信端末装置が存在していると推定される無線セルである。推定存在無線セルは、図１９において無線セル７９ａ、９１ａとして例示されている。当該第１呼出要求には、対象通信端末装置の端末識別情報（例えば、ユーザ識別子、ユーザＩＤあるいはＭＳＩＳＤＮなど）が含まれている。
【０１８７】
第１呼出要求送信部６３ｂは、推定存在無線セル導出部６３ｇから既存在無線セル及び推定存在無線セルのそれぞれのセル識別情報を受信し、制御部６３ａから通信要求に含まれた端末識別情報を受信する。第１呼出要求送信部６３ｂは、制御部６３ａからの第１呼出要求の送信指示に基づいて、受信したセル識別情報の推定存在無線セルを収容するｅＮｏｄｅＢ及び受信した既存在無線セルを収容するｅＮｏｄｅＢのそれぞれに、受信した端末識別情報を含む第１呼出要求を送信する。
【０１８８】
呼出応答信号受信部６３ｃは、第１呼出要求に対する応答信号を管理ノードから受信するようになっている。呼出応答信号受信部６３ｃは、第１呼出要求の送信先から当該応答信号を受信する。本例では、呼出応答信号受信部６３ｃは、第１呼出要求を送信したｅＮｏｄｅＢ６７及びｅＮｏｄｅＢ６９から当該応答信号を受信する。また、呼出応答信号受信部６３ｃは、当該応答信号を受信すると、当該応答信号を受信したことを制御部６３ａに通知する。
一方、制御部６３ａは、第１呼出要求送信部６３ｂが第１呼出要求信号を送信してから呼出応答信号受信部６３ｃが応答信号を受信するまでの待機時間を計測するようになっている。制御部６３ａは、第１呼出要求送信部６３ｂが第１呼出要求を送信してから、呼出応答信号受信部６３ｃが応答信号を受信しない待機期間が所定期間を経過したら、第２呼出要求の送信を第２呼出要求送信部６３ｄに指示するようになっている。
【０１８９】
第２呼出要求送信部６３ｄは、制御部６３ａからの指示に基づいて、第１呼出要求を送信した管理ノード（本例では、ｅＮｏｄｅＢ６７、６９の両方又は一方）に第２呼出要求を送信するようになっている。
当該第２呼出要求は、複数の無線セルのうちの少なくとも既存在無線セル及び推定存在無線セルとは異なる無線セルに対する呼び出し要求である。当該第２呼出要求には、第１呼出要求に含まれたのと同じ端末識別情報が含まれる。当該複数の無線セルは、第１呼出要求が実行される位置登録エリアを形成する無線セルである。
すなわち、第２呼出要求送信部６３ｄは、第１呼出要求送信部６３ｂが第１呼出要求を送信してから、呼出応答信号受信部６３ｃが第１呼出要求に対する応答信号を所定期間受信しない場合に、当該第２呼出要求を管理ノードに送信するようになっている。ここで、当該管理ノードは、第１呼出要求が実行される位置登録エリアを管理する管理ノード（本例では、ｅＮｏｄｅＢ６７、６８の両方又はいずれか一方）である。
【０１９０】
次に、ｅＮｏｄｅＢ６７の概略構成について説明する。図１９に示すように、ｅＮｏｄｅＢ６７は、制御部６７ａと、第１呼出要求受信部６７ｂと、オーバレイ情報送信部６７ｃと、第１呼出実行部６７ｄと、呼出応答信号送信部６７ｅと、第２呼出要求受信部６７ｆと、第２呼出実行部６７ｇと、オーバレイ情報記憶部６７ｈとを有している。第１呼出要求受信部６７ｂと、第２呼出要求受信部６７ｆとは、図１９に示すように分離されておらず、１つの呼出要求受信部が第１及び第２呼出要求受信部６７ｂ、６７ｆを兼ねるように構成されていてもよい。また、第１呼出実行部６７ｄと、第２呼出実行部６７ｇとは、図１９に示すように分離されておらず、１つの呼出実行部が第１及び第２呼出実行部６７ｄ、６７ｇを兼ねるように構成されていてもよい。
【０１９１】
制御部６７ａと、第１呼出要求受信部６７ｂと、オーバレイ情報送信部６７ｃと、第１呼出実行部６７ｄと、呼出応答信号送信部６７ｅと、第２呼出要求受信部６７ｆと、第２呼出実行部６７ｇと、オーバレイ情報記憶部６７ｈとは、バスライン６７ｉに接続されている。制御部６７ａと、第１呼出要求受信部６７ｂと、オーバレイ情報送信部６７ｃと、第１呼出実行部６７ｄと、呼出応答信号送信部６７ｅと、第２呼出要求受信部６７ｆと、第２呼出実行部６７ｇと、オーバレイ情報記憶部６７ｈとは、物理的に別の装置としてそれぞれ実現されていてもよいし、ｅＮｏｄｅＢ６７の一機能としてそれぞれ実現されていてもよい。
【０１９２】
制御部６７ａは、ｅＮｏｄｅＢ６７を統括的に制御するようになっている。第１呼出要求受信部６７ｂ、オーバレイ情報送信部６７ｃ、第１呼出実行部６７ｄ、呼出応答信号送信部６７ｅ、第２呼出要求受信部６７ｆ、第２呼出実行部６７ｇ及びオーバレイ情報記憶部６７ｈは、バスライン６７ｉを介して送信される制御部６７ａからの制御信号に基づいて所定の動作を実行するようになっている。
【０１９３】
オーバレイ情報記憶部６７ｈは、ｅＮｏｄｅＢ６７が管理している位置登録エリアに含まれる無線セルのオーバレイ情報を記憶するようになっている。オーバレイ情報記憶部６７ｈは、オーバレイ情報を例えばデータベース化して記憶している。オーバレイ情報記憶部６７ｈは、図２０（ａ）に示すデータベースのように、ｅＮｏｄｅＢ６７が収容する無線セルのセル識別番号の一覧を記憶している。さらに、オーバレイ情報記憶部６７ｈは、図２０（ｂ）に示すデータベースのように、オーバレイしている無線セル同士のセル識別番号を対応付けて記憶している。
【０１９４】
オーバレイ情報送信部６７ｃは、上位ノードへの少なくとも接続時に、自機が収容するオーバレイ情報を当該上位ノードに送信するようになっている。本例では、ｅＮｏｄｅＢ６７の上位ノードは、ＭＭＥ６３が相当する。ｅＮｏｄｅＢ６７は、ＭＭＥ６３と初めて接続する際やシステム変更などを行った際に、オーバレイ情報をオーバレイ情報記憶部６７ｈから取得するとともに、オーバレイ情報送信部６７ｃを介してＭＭＥ６３に送信する。
【０１９５】
第１呼出要求受信部６７ｂは、既存在無線セル及び推定存在無線セルの少なくとも一方のみに対する呼び出し要求である第１呼出要求を上位ノードから受信するようになっている。
上述のとおり、既存在無線セルは、通信要求対象である対象通信端末装置が現時点（第１呼出要求送信部６３ｂから第１呼出要求が送信された時点）から過去所定期間内に存在した無線セルである。また、推定存在無線セルは、既存在無線セルとオーバレイしている無線セルである。また、第１呼出要求受信部６７ｂが受信する第１呼出要求には、既存在無線セル及び推定存在無線セルの両方または一方のセル識別情報と、対象通信端末装置の端末識別情報とが含まれている。
【０１９６】
ｅＮｏｄｅＢ６７は、ＭＭＥ６３から対象通信端末装置の端末識別情報と、既存在無線セル及び推定存在無線セルの両方または一方のセル識別情報とを含む第１呼出要求を第１呼出要求受信部６７ｂを介してＭＭＥ６３から受信する。第１呼出要求受信部６７ｂが第１呼出要求を受信すると、制御部６７ａは、当該第１呼出要求に含まれた端末識別情報、既存在無線セル及び推定存在無線セルを第１呼出実行部６７ｄに送信するとともに、第１呼出要求の実行を指示する。
第１呼出実行部６７ｄは、制御部６７ａの当該指示に基づいて、第１呼出要求受信部６７ｂから送信された既存在無線セル及び推定存在無線セルに対して第１呼出要求（例えばページング要求）を実行するようになっている。
【０１９７】
呼出応答信号送信部６７ｅは、第１呼出実行部６７ｄが実行した第１呼出要求に対する通信端末装置からの応答信号を受信すると、当該応答信号を上位ノード（本実施形態ではＭＭＥ６３）に送信するようになっている。
第２呼出要求受信部６７ｆは、ＭＭＥ６３に設けられた第２呼出要求送信部６３ｄが送信した第２呼出要求を受信するようになっている。第２呼出要求は、第１呼出要求送信部６３ｂが第１呼出要求を送信してから、呼出応答信号受信部６３ｃが第１呼出要求に対する応答信号を所定期間受信しない場合に、ＭＭＥ６３から送信される要求である。このため、見方を変えると、第２呼出要求は、第１呼出要求受信部６７ｂが第１呼出要求を受信してから、呼出応答信号送信部６７ｅが応答信号を所定期間送信しない場合に、ＭＭＥ６３から送信される要求となる。また、第２呼出要求受信部６７ｆが受信する第２呼出要求には、第１呼出要求において呼出対象となった位置登録エリアを形成する複数の無線セルのうちの少なくとも既存在無線セル及び推定存在無線セルとは異なる無線セルのセル識別情報が含まれる。さらに、第２呼出要求受信部６７ｆが受信する第２呼出要求には、第１呼出要求に含まれていたのと同一の端末識別情報が含まれる。
【０１９８】
第２呼出実行部６７ｇは、第２呼出要求受信部６７ｆが受信した第２呼出要求に基づいて、少なくとも既存在無線セル及び推定存在無線セルとは異なる無線セルに対して呼び出しを実行するようになっている。第２呼出実行部６７ｇは、第２呼出要求に既存在無線セル及び推定存在無線セルのセル識別情報が含まれている場合には、当該セル識別情報の無線セルに第２呼出要求を実行する。
【０１９９】
（ＭＭＥ６３、ｅＮｏｄｅＢ６７、６９を備えた無線通信ネットワークシステム２０１の動作）
次に、本実施形態による交換機としてのＭＭＥ６３、無線ネットワーク装置としてのｅＮｏｄｅＢ６７、６９及びこれらを備えた無線通信ネットワークシステム２０１の動作について、図１８から図２０を参照しつつ、図２１を用いて説明する。図２１は、本実施形態による無線通信ネットワークシステム２０１の動作の一例を示すシーケンス図である。
【０２００】
図２１に示すように、ｅＮｏｄｅＢ６７は、ＭＭＥ６３に初めて接続する際に、オーバレイ情報をＭＭＥ６３に送信する（ステップＳ２０１）。例えば、ｅＮｏｄｅＢ６７は、オーバレイ情報記憶部６７ｈに記憶しているセル識別情報やオーバレイ情報などの全ての情報をオーバレイ情報送信部６７ｃを介してＭＭＥ６３に送信する。
ＭＭＥ６３は、ｅＮｏｄｅＢ６７から送信されたオーバレイ情報などをオーバレイ情報受信部６３ｅで受信し、オーバレイ情報記憶部６３ｆに記憶する（ステップＳ２０３）。例えば、ＭＭＥ６３は、ｅＮｏｄｅＢ６７から送信された情報から、ｅＮｏｄｅＢ６７の基地局識別情報と、ｅＮｏｄｅＢ６７が収容している無線セルのセル識別情報と、オーバレイ情報とを抽出する。ＭＭＥ６３は、抽出したこれらの情報に基づいて、図２０（ａ）及び図２０（ｂ）に示すデータ構造のデータベースを作成してオーバレイ情報記憶部６３ｆに記憶する。
【０２０１】
ｅＮｏｄｅＢ６９も同様に、ＭＭＥ６３に初めて接続する際に、オーバレイ情報などをＭＭＥ６３に送信する（ステップＳ２０５）。例えば、ｅＮｏｄｅＢ６９は、オーバレイ情報記憶部（不図示）に記憶しているセル識別情報やオーバレイ情報などの全ての情報をオーバレイ情報送信部を介してＭＭＥ６３に送信する。
ＭＭＥ６３は、ｅＮｏｄｅＢ６９から送信されたオーバレイ情報などをオーバレイ情報受信部６３ｅで受信し、オーバレイ情報記憶部６３ｆに記憶する（ステップＳ２０７）。例えば、ＭＭＥ６３は、ｅＮｏｄｅＢ６９から送信された情報から、ｅＮｏｄｅＢ６９の基地局識別情報と、ｅＮｏｄｅＢ６９が収容している無線セルのセル識別情報と、オーバレイ情報とを抽出する。ＭＭＥ６３は、抽出したこれらの情報に基づいて、図２０（ａ）及び図２０（ｂ）に示すデータ構造のデータベースを作成してオーバレイ情報記憶部６３ｆに記憶する。
【０２０２】
無線通信ネットワークシステム２０１は、ＵＥ２２７の存在する位置登録エリアが変更するたびに、位置登録処理を実行する。例えば、ＵＥ２２７は、位置登録エリア７１の無線セル７３ａに移動してきてエリア情報が変わったことを認識すると、ｅＮｏｄｅＢ６７を介してＭＭＥ６３に対して位置登録要求を実行する（ステップＳ２０９）。この位置登録要求には、ＵＥ２２７が在圏している無線セル７３ａのセル識別情報が含まれている。
ＭＭＥ６３は、この位置登録要求に含まれたセル識別情報をＵＥ２２７の端末識別情報に対応付けて通信端末装置情報記憶部６３ｈに記憶する（ステップＳ２１１）。
【０２０３】
また、ＵＥ２２７は、ＭＭＥ６３とのシグナリングコネクションを確立するためにｅＮｏｄｅＢ６７を介してコネクション確立信号を送信する（ステップＳ２１３）。このコネクション確立信号には、ＵＥ２２７がその後に移動して在圏している例えば無線セル７５ａのセル識別情報が含まれている。
ＭＭＥ６３は、このコネクション確立信号に含まれたセル識別情報をＵＥ２２７の端末識別情報に対応付けて通信端末装置情報記憶部６３ｈに記憶する（ステップＳ２１５）。
【０２０４】
このように、ＭＭＥ６３は、位置登録要求信号やコネクション確立信号を受信すると、これらの信号に含まれるＵＥ２２７のセル識別情報等を記録するとともに、記憶内容を更新する。これにより、例えばＭＭＥ６３の通信端末装置情報記憶部６３ｈには、ＵＥ２２７が在圏した無線セルの在圏履歴が保存される。
【０２０５】
ここで、例えば無線通信ネットワークシステム２０１に接続された外部装置（不図示）からＵＥ２２７に対して通信要求があったとする。この場合、ＭＭＥ６３は、当該通信要求に含まれた端末識別情報に基づいて、第１呼出要求の対象となる無線セルを導出する（ステップＳ２１５）。例えば、ＭＭＥ６３の制御部６３ａは、当該通信要求に含まれた端末識別情報を推定存在無線セル導出部６３ｇに送信して既存在無線セル及び推定存在無線セルの導出を指示する。推定存在無線セル導出部６３ｇは、当該端末識別情報に対応付けられたセル識別情報を通信端末装置情報記憶部６３ｈから取得する。本例では、推定存在無線セル導出部６３ｇは、当該端末識別情報に対応付けられたセル識別情報として無線セル７３ａ、７５ａのセル識別情報を取得する。推定存在無線セル導出部６３ｇは、オーバレイ情報記憶部６３ｆを参照し、取得したセル識別情報とオーバレイしているセル識別情報を導出する。本例では、推定存在無線セル導出部６３ｇは、無線セル７３ａとオーバレイしている無線セル７９ａのセル識別情報と、無線セル７５ａとオーバレイしている無線セル９１ａのセル識別情報とを導出する。推定存在無線セル導出部６３ｇは、通信端末装置情報記憶部６３ｈから取得したセル識別情報の無線セルを既存在無線セルと判断し、オーバレイ情報記憶部６３ｆから導出したセル識別情報の無線セルを推定存在無線セルと判断して、これらのセル識別情報を第１呼出要求送信部６３ｂに送信する。
【０２０６】
制御部６３ａは、第１呼出要求を送信すべきｅＮｏｄｅＢを第１呼出要求送信部６３ｂに送信されたセル識別情報に基づいて判断する。制御部６３ａは、オーバレイ情報記憶部６３ｆを参照し、第１呼出要求送信部６３ｂに送信されたセル識別情報を収容するｅＮｏｄｅＢを抽出する。制御部６３ａは、オーバレイ情報記憶部６３ｆに記憶された図２０（ａ）に示すデータベースより、無線セル７３ａを収容しているｅＮｏｄｅＢ６７と、無線セル９１ａを収容しているｅＮｏｄｅＢ６９とを抽出する。制御部６３ａは、抽出したｅＮｏｄｅＢ６７、６９が第１呼出要求を実行すべきｅＮｏｄｅＢであると判断し、ｅＮｏｄｅＢ６７、６９に対する第１呼出要求の実行を第１呼出要求送信部６３ｂに指示する。
【０２０７】
この結果、第１呼出要求送信部６３ｂは、通信要求対象のＵＥ２２７の端末識別情報と、受信した既存在無線セルである無線セル７３ａ、７５ａのセル識別情報と、受信した推定存在無線セルである無線セル７９ａ、９１ａのセル識別情報とを含む第１呼出要求をｅＮｏｄｅＢ６７に送信する（ステップＳ２１７）。同様に、第１呼出要求送信部６３ｂは、ｅＮｏｄｅＢ６７に送信したのと同じ情報を含む第１呼出要求をｅＮｏｄｅＢ６９に送信する（ステップＳ２１９）。第１呼出要求送信部６３ｂが第１呼出要求を送信する際に、制御部６３ａは、当該第１呼出要求に対する応答信号を受信するまでの待機時間の計測を開始する。
【０２０８】
ｅＮｏｄｅＢ６７の制御部６７ａは、第１呼出要求受信部６７ｂを介して第１呼出要求を受信したら、受信した第１呼出要求から無線セル７３ａ、７５ａ，７９ａ、９１ａのセル識別情報を抽出する。制御部６７ａは、オーバレイ情報記憶部６７ｈを参照し、抽出したセル識別情報の無線セルがｅＮｏｄｅＢ６７で収容している無線セルか否かを判断する。本例では、制御部６７ａは、無線セル７３ａ、７５ａ，７９ａをｅＮｏｄｅＢ６７で収容している無線セルであると判断し、無線セル９１ａをｅＮｏｄｅＢ６７で収容していない無線セルであると判断する。
制御部６７ａは、ｅＮｏｄｅＢ６７で収容していると判断した無線セル７３ａ、７５ａ，７９ａのセル識別情報と、当該第１呼出要求に含まれた端末識別情報とを第１呼出実行部６７ｄに送信するように第１呼出要求受信部６７ｂに指示する。第１呼出実行部６７ｄは、制御部６７ａから第１呼出要求の実行指令を受けたら、受信したセル識別情報の無線セル７３ａ、７５ａ及び無線セル７９ａに対して端末識別情報を含む呼び出し要求を実行する（ステップＳ２２１）。
第１呼出要求を受信したｅＮｏｄｅＢ６９は、第１呼出要求を受信したｅＮｏｄｅＢ６７と同様に動作する。ｅＮｏｄｅＢ６９の制御部は、無線セル９１ａをｅＮｏｄｅＢ６９で収容している無線セルであると判断し、無線セル７３ａ、７５ａ，７９ａをｅＮｏｄｅＢ６９で収容していない無線セルであると判断する。
ｅＮｏｄｅＢ６９の制御部は、ｅＮｏｄｅＢ６７で収容していると判断した無線セル９１ａのセル識別情報と、当該第１呼出要求に含まれた端末識別情報とを第１呼出実行部に送信するように第１呼出要求受信部に指示する。第１呼出実行部は、制御部から第１呼出要求の実行指令を受けたら、受信したセル識別情報の推定存在無線セル９１ａに対して端末識別情報を含む呼び出し要求を実行する（ステップＳ２２３）。このように、第１呼出要求には、既存在無線セル及び推定存在無線セルのセル識別情報が必ず含まれるわけではなく、既存在無線セルのみの場合もあれば推定存在無線セルのみの場合もある。
【０２０９】
ここで、図１８に示すように、例えばＵＥ２２７が第１呼出要求が実行された無線セル９１ａに存在していたとすると、ＵＥ２２７は第１呼出要求に対して応答信号をｅＮｏｄｅＢ６９に送信する。当該応答信号はｅＮｏｄｅＢ６９を介してＭＭＥ６３に送信される（ステップＳ２２５）。
【０２１０】
ＭＭＥ６３は、待機時間がタイムアウトとなる前に当該応答信号を受信した場合には、当該応答信号を受け付ける（ステップＳ２２７）。
第１呼出要求に対する応答信号を受信すると、ＭＭＥ６３は、従来公知の手法により呼接続処理を開始するとともに継続する（ステップＳ２２９）。
なお、ＭＭＥ６３は、待機時間がタイムアウトするまでに第１呼出要求に対する応答信号を受信しない場合には、第１呼出要求を実行したｅＮｏｄｅＢ６７、６９に対して第２呼出要求を実行する。その後、ＭＭＥ６３とｅＮｏｄｅＢ６７との間、及び、ＭＭＥ６３とｅＮｏｄｅＢ６９との間に、上記第１実施形態におけるステップＳ１７と同様の処理が実行される。
【０２１１】
以上説明したように、本実施形態による交換機、無線ネットワーク装置及び無線通信ネットワークシステムは、位置登録エリアを形成する複数の無線セルのうち、通信端末装置が存在している可能性が相対的に高い無線セルに対して選択的に呼出要求を実行できる。これにより、本実施形態による交換機、無線ネットワーク装置及び無線通信ネットワークシステムは、上記第１の実施形態による交換機、無線ネットワーク制御装置及びそれらを備えた無線通信ネットワークシステムと同様の効果が得られる。
【０２１２】
さらに、本実施形態による交換機、無線ネットワーク装置及び無線通信ネットワークシステムは、オーバレイしている無線セルが無線ネットワーク装置を跨っているとき、すなわちオーバレイしている無線セルが互いに異なる無線ネットワーク装置に管理されている場合にも、交換機に備えられたオーバレイ情報記憶部に無線ネットワークを跨るオーバレイ情報も記憶することができる。これにより、本実施形態によれば、位置登録エリアを跨って移動した通信端末装置に対する通信要求に応答することができる。
【０２１３】
本発明は、上記実施の形態に限らず、種々の変形が可能である。
上記第１及び第２の実施形態では、交換機として３Ｇコアネットワークを構成するＳＧＳＮを例にとり、また無線ネットワーク制御装置として３Ｇコアネットワークに接続されたＲＮＣを例にとって説明したが、本発明はこれに限られない。
例えば、本発明の交換機としてのＭＳＣ６が図２に示す制御部３ａと、第１呼出要求送信部３ｂと、呼出応答信号受信部３ｃと、第２呼出要求送信部３ｄと、無線セル情報保存部３ｅとを有していてもよい。上記第１及び第２実施形態では、パケット通信に関して無線リソースの逼迫やシステム負荷の増加を防止できるのに対し、ＭＳＣ６が第１呼出要求送信部３ｂ等の構成を有することにより、回線交換、すなわち音声通信に関して無線リソースの逼迫やシステム負荷の増加を防止できる。
【０２１４】
また例えば、本発明の上記第１及び第２の実施形態は、交換機として、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）といった３．９Ｇ網のコアネットワークであるＥＰＣを構成するＭＭＥにも適用できる。また、本発明は、無線ネットワーク制御装置として、ＥＰＣネットワークに接続され、ＬＴＥ方式に従った無線通信を行うとともに通信端末装置をＥＰＣネットワークに接続する無線基地局（ｅＮｏｄｅＢ）にも適用できる。
【０２１５】
すなわち、ＭＭＥが図２に示す制御部３ａと、第１呼出要求送信部３ｂと、呼出応答信号受信部３ｃと、第２呼出要求送信部３ｄと、無線セル情報保存部３ｅとを有し、ｅＮＢが、図４に示す制御部７ａと、第１呼出要求受信部７ｂと、推定存在無線セル導出部７ｃと、第１呼出実行部７ｄと、呼出応答信号送信部７ｅ、第２呼出要求受信部７ｆと、第２呼出実行部７ｇと、無線セル保存期間決定テーブル７ｈとを有することにより、上記第１の実施形態と同様の効果が得られる。
【０２１６】
また、当該ｅＮｏｄｅＢは、図４に示す各構成に替えて、図１１に示す制御部３７ａ、第１呼出要求受信部３７ｂ、推定存在無線セル導出部３７ｃと、第１呼出実行部３７ｄと、呼出応答信号送信部３７ｅと、第２呼出要求受信部３７ｆと、第２呼出実行部３７ｇと、無線セル相対位置関係記憶部３７ｈと、バスライン３７ｉとを有していてもよいし、あるいは、制御部４７ａと、第１呼出要求受信部４７ｂと、推定存在無線セル導出部４７ｃと、第１呼出実行部４７ｄと、呼出応答信号送信部４７ｅと、第２呼出要求受信部４７ｆと、第２呼出実行部４７ｇと、無線セル相対位置関係記憶部４７ｈと、バスライン４７ｉと、第１呼出要求転送部４７ｊとを有していてもよい。このような構成によれば、上記第１及び第２の実施形態と同様の効果が得られる。
【０２１７】
さらに、本発明は、ＳＧＳＮやＭＭＥと同等の機能を発揮する交換機や、ＲＮＣやｅＮＢと同等の機能を発揮する無線ネットワーク制御装置に対して適用できる。例えば、本発明は、４Ｇ（第４世代移動通信システム（４ｔｈ  Ｇｅｎｅｒａｔｉｏｎ））コアネットワークや今後の４Ｇ以降の移動通信システムコアネットワークに用いられ、ＳＧＳＮやＭＳＣ、あるいはＭＭＥと同等の機能を発揮する装置に適用可能である。
【０２１８】
上記第１及び第２の実施形態では、交換機が既存在無線セルを無線ネットワーク制御装置に送信するように構成されているが本発明はこれに限られない。例えば、無線ネットワーク制御装置は、無線セル情報保存部を備えており、対象通信端末装置の識別情報を含んで交換機から送信された呼出要求に基づいて、無線セル情報保存部を用いて既存在無線セルを決定し、かつ無線セル保存期間決定テーブルを用いて推定存在無線セルを導出するように構成されていてもよい。このような構成によれば、従来と同様の呼出要求（ページング要求）を交換機が実行した場合であっても、無線ネットワーク制御装置は、位置登録エリアを形成する複数の無線セルから選択した無線セルに呼び出し要求を実行できる。
【０２１９】
例えば無線ネットワーク制御装置は、第１呼出要求を実行するか否かを選択できるように構成されていてもよい。例えば通信端末装置が在圏する無線セルを頻繁に変更するような地域（例えば都心部）では、無線ネットワーク制御装置は、第１呼出要求に対する応答信号を受信し難くなり、第２呼出要求を実行する確率が高くなることが予想される。
これに対し、例えば通信端末装置が在圏する無線セルを頻繁に変更しないような地域（例えば地方）では、無線ネットワーク制御装置は、第１呼出要求に対する応答信号を受信し易くなり、第２呼出要求を実行する確率が低くなることが予想される。
そこで、無線ネットワーク制御装置は、第１呼出要求に対する応答信号を受信し易いか否かに基づいて、第１呼出要求を実行するか否かを選択することにより、全体として呼出要求の容量を低減し、無線リソースの逼迫やシステム負荷の増加を防止できる。
【０２２０】
本発明は、コンピュータプログラムとして具体化することができる。例えば、上記実施形態による中継装置としてのＳＧＳＮ３、ＲＮＣ７、３７、４７、ＭＭＥ６３、ｅＮｏｄｅＢ６７、６９の各部の機能を通信用プログラムとして実現することもできる。したがって、本発明の一部または全ては、ハードウェアまたはソフトウェア（ファームウェア、常駐ソフトウェア、マイクロコード、ステートマシン、ゲートアレイ等を含む）に組み入れることができる。さらに、本発明は、コンピュータによって使用可能な、またはコンピュータ可読の記憶媒体上のコンピュータプログラム製品の形態をとることができ、この媒体には、コンピュータによって使用可能な、またはコンピュータ可読のプログラムコードが組み入れられる。本明細書のコンテキストでは、コンピュータによって使用可能な、またはコンピュータ可読の媒体は、命令実行システム、装置若しくはデバイスによって、またはそれらとともに使用されるプログラムを、収録する、記憶する、通信する、伝搬する、または搬送することのできる、任意の媒体とすることができる。
【０２２１】
本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【符号の説明】
【０２２２】
１、２、２０１  無線通信ネットワークシステム
３  ＳＧＳＮ（交換機）
３ａ、７ａ、３７ａ、６３ａ、６７ａ  制御部
３ｂ、６３ｂ  第１呼出要求送信部
３ｃ、６３ｃ  呼出応答信号受信部
３ｄ、６３ｄ  第２呼出要求送信部
３ｅ  無線セル情報保存部
３ｆ、７ｉ、３７ｉ、４７ｉ、６３ｉ、６７ｉ  バスライン
４  ＧＧＳＮ
５  ＨＬＲ
６  ＭＳＣ
７、３７、４７、４９  ＲＮＣ（無線ネットワーク制御装置）
７ｂ、３７ｂ、４７ｂ、６７ｂ  第１呼出要求受信部
７ｃ、３７ｃ、４７ｃ、６３ｇ  推定存在無線セル導出部
７ｄ、３７ｄ、４７ｄ、６７ｄ  第１呼出実行部
７ｅ、３７ｅ、４７ｅ、６７ｅ  呼出応答信号送信部
７ｆ、３７ｆ、４７ｆ、６７ｆ  第２呼出要求受信部
７ｇ、３７ｇ、４７ｇ、６７ｇ  第２呼出実行部
７ｈ  無線セル保存期間決定テーブル
８  ＶＬＲ
９〜１５、３３、３５、３９、４３〜５５  ＢＴＳ
１０  ＧＭＳＣ
１７、２５、３１、４１  位置登録エリア
１９ａ〜１９ｉ、２１ａ〜２１ｉ、２３ａ〜２３ｉ、７３ａ〜７３ｆ、７５ａ〜７５ｆ、７９ａ〜７９ｆ、８３ａ〜８３ｆ、８５ａ〜８５ｆ、９１ａ〜９１ｆ、９３ａ〜９３ｆ、９５ａ〜９５ｆ  無線セル
２７、２７７  通信端末装置
３７ｈ、４７ｈ  無線セル相対位置関係記憶部
６２  Ｓ−ＧＷ
６３  ＭＭＥ
６３ｅ  オーバレイ情報受信部
６３ｆ、６７ｆ  オーバレイ情報記憶部
６３ｈ  通信端末装置情報記憶部
６４  Ｐ−ＧＷ
６６  ＨＳＳ
６７、６９  ｅＮｏｄｅＢ
６７ｃ  オーバレイ情報送信部
６８  ＰＣＲＦ
７０  ３ＧＰＰ  ＡＡＡ  Ｓｅｒｖｅｒ
【図１】
2015039163.tif 000003
【図２】
2015039163.tif 000004
【図３】
2015039163.tif 000005
【図４】
2015039163.tif 000006
【図５】
2015039163.tif 000007
【図６】
2015039163.tif 000008
【図７】
2015039163.tif 000009
【図８】
2015039163.tif 000010
【図９】
2015039163.tif 000011
【図１０】
2015039163.tif 000012
【図１１】
2015039163.tif 000013
【図１２】
2015039163.tif 000014
【図１３】
2015039163.tif 000015
【図１４】
2015039163.tif 000016
【図１５】
2015039163.tif 000017
【図１６】
2015039163.tif 000018
【図１７】
2015039163.tif 000019
【図１８】
2015039163.tif 000020
【図１９】
2015039163.tif 000021
【図２０】
2015039163.tif 000022
【図２１】
2015039163.tif 000023